(57)【要約】【課題】傷病者に関する情報や撮像画像を複数の救急病院に略同時に配信して、傷病者の受け入れ可否情報を、消防本部、災害救急センター、又は救急救命士等の救急隊員側で受信することによって、傷病者の搬送先を早急に決定することが可能な搬送先自動選択装置、搬送先自動選択システム、傷病者データベース生成装置、傷病者データベース検索装置、並びに移動体を提供すること。【解決手段】傷病者を撮像して症状画像を取得する撮像手段３５０と、複数の病院の複数の通信アドレスを記録する記録手段（メモリ３８１）と、取得した症状画像を複数の通信アドレスに対して連続して送信又は同時に送信する送信手段（送受信手段３６８）とを備えた。【選択図】図１
2004171394.tif 000002
【特許請求の範囲】
【請求項１】
傷病者等を撮像して症状画像を取得する撮像手段と、
複数の病院の複数の通信アドレスを記録する記録手段と、
前記取得した症状画像を前記複数の通信アドレスに対して連続して送信又は同時に送信する送信手段と、
を備えたことを特徴とする搬送先自動選択装置。
【請求項２】
傷病者の心拍数、血圧、呼吸数、酸素飽和度、傷病者の心電図情報等の生体情報を取得する取得手段を備え、
前記送信手段は、前記取得した生体情報を前記複数の通信アドレスに対して連続して送信又は同時に送信することを特徴とする請求項１に記載の搬送先自動選択装置。
【請求項３】
傷病者の症状を音声として取得する集音手段を備え、
前記送信手段は、前記取得した音声の生体情報を前記複数の通信アドレスに対して連続して送信又は同時に送信することを特徴とする請求項１又は２に記載の搬送先自動選択装置。
【請求項４】
病院の通信アドレス又は病院の識別情報と、当該病院において傷病者等を受け入れることが可能であるか否かを示す受入可否情報とを受信する受信手段と、
前記受信した受入可否情報を、病院の通信アドレス又は病院の識別情報と関連付けて表示する表示手段と、
を備えたことを特徴とする請求項１乃至３に記載の搬送先自動選択装置。
【請求項５】
病院の通信アドレスと、当該病院において傷病者等を受け入れることが可能であることを示す受入可能情報を受信する受信手段と、
前記受入可能情報を送信した病院の通信アドレスに対して、携帯電話回線、汎用無線通信回線又は専用無線通信回線を介して通信接続する通信手段を備えたことを特徴とする請求項１乃至３に記載の搬送先自動選択装置。
【請求項６】
現在位置を示す位置情報を取得する位置取得手段と、
病院において傷病者等を受け入れることが可能であることを示す受入可能情報と、当該受入れ可能な病院が存在する病院位置情報とを受信する受信手段と、
前記受入可能情報と病院位置情報と位置情報とに基づいて、両者の位置関係を表示する表示手段と、
を備えたことを特徴とする搬送先自動選択装置。
【請求項７】
現在位置を示す位置情報を取得する位置取得手段と、
病院を識別する識別情報と当該病院が存在する位置を示す病院位置情報とを関連付けて記録する記録手段と、
病院において傷病者等を受け入れることが可能であることを示す受入可能情報と、当該受入れ可能な病院の識別情報とを受信する受信手段と、
前記病院の受入可能情報と識別情報に基づいて記録手段に記録されている病院位置情報を読み出して、当該病院位置情報と位置情報とに基づいて、両者の位置関係を表示する表示手段と、
を備えたことを特徴とする搬送先自動選択装置。
【請求項８】
現在位置を示す位置情報を取得する位置取得手段と、
病院において傷病者等を受け入れることが可能であることを示す受入可能情報と、当該受入れ可能な病院が存在する病院位置情報との組合せを複数受信する受信手段と、
前記受入可能情報に基づいて受信した複数の病院位置情報と前記位置情報とをそれぞれ比較して、両者の位置が近い順に病院の順位を設定する順位設定手段と、
前記設定した病院の順位を表示する表示手段と、
を備えたことを特徴とする搬送先自動選択装置。
【請求項９】
傷病者等を撮像した症状画像、傷病者の心拍数、血圧、呼吸数、酸素飽和度、傷病者の心電図情報、又は傷病者の症状を音声として記録した音声情報等の生体情報を取得する第１の受信手段と、
複数の病院の複数の通信アドレスを記録する記録手段と、
前記取得した生体情報を前記複数の通信アドレスに対して連続して送信又は同時に送信する第１の送信手段と、
を備えたことを特徴とする搬送先自動選択装置。
【請求項１０】
病院の通信アドレスと、当該病院において傷病者等を受け入れることが可能であることを示す受入可否情報を受信する第２の受信手段と、
前記受信した受入可否情報を傷病者側の端末に送信する第２の送信手段と、
を備えたことを特徴とする請求項９に記載の搬送先自動選択装置。
【請求項１１】
救急車両の現在位置を示す位置情報を救急車両側の端末から受信する第１の受信手段と、
病院において傷病者等を受け入れることが可能であることを示す受入可能情報と当該受入れ可能な病院が存在する病院位置情報との組合せを複数受信する第２の受信手段と、
前記受信した受入可能情報に基づいて、複数の病院位置情報と救急車両の位置情報とをそれぞれ比較して、両者の位置が近い順に順位を設定する順位設定手段と、
前記設定した病院の順位を表示する表示手段、又は、前記設定した病院の順位を救急車両側の通信機器に対して送信する送信手段と、
を備えたことを特徴とする搬送先自動選択装置。
【請求項１２】
傷病者等を撮像して症状画像を取得する撮像手段と、前記症状画像をサーバに送信する第１の送信手段とを備えた傷病者側端末と、
症状画像を傷病者側端末から取得する受信手段と、複数の病院の複数の通信アドレスを記録する記録手段と、前記取得した症状画像を前記複数の通信アドレスに対して連続して送信又は同時に送信する第２の送信手段とを備えたサーバと、
から構成されることを特徴とする搬送先自動選択システム。
【請求項１３】
救急現場の端末から、傷病者の人数、年齢、性別、症状、症状画像、音声情報、心拍数、血圧、呼吸数、酸素飽和度、心電図情報等の複数の生体情報を受信する受信手段と、
前記複数の生体情報をそれぞれ関連付けて事件毎に１組の生体情報として記録する記録手段と、
を備えたことを特徴とする傷病者データベース生成装置。
【請求項１４】
傷病者の人数、年齢、性別、症状、症状画像、音声情報、心拍数、血圧、呼吸数、酸素飽和度、心電図情報等の複数の生体情報をそれぞれ関連付けて事件毎に１組の生体情報として記録する記録手段と、
複数の生体情報と検索を実行する旨の検索指示とを入力する入力手段と、
複数の生体情報と検索を実行する旨の検索指示とを入力すると、入力した生体情報と関連付けて記録手段に記録されている事件毎の生体情報の組合せを読み出す生体情報取得手段と、
前記読み出した事件毎の生体情報の組合せ中から、前記検索指示とともに入力した生体情報が多く含まれる順にその事件毎の生体情報の順位を設定する順位設定手段と、
前記設定した順位とその事件毎の生体情報の組合せとを表示する表示手段と、
を備えたことを特徴とする傷病者データベース検索装置。
【請求項１５】
傷病者等を撮像して症状画像を取得する撮像手段と、
前記取得した症状画像を複数の病院に対して同時に送信する送信手段と、
傷病者等を病院に搬送する搬送手段と、
を備えたことを特徴とする移動体。
【請求項１６】
傷病者等を撮像して症状画像を取得する撮像手段と、
複数の病院の複数の通信アドレスを記録する記録手段と、
前記取得した症状画像を前記複数の通信アドレスに対して連続して送信又は同時に送信する送信手段と、
傷病者等を病院に搬送する搬送手段と、
を備えたことを特徴とする移動体。
【請求項１７】
傷病者等を撮像した症状画像、傷病者の心拍数、血圧、呼吸数、酸素飽和度、傷病者の心電図情報、傷病者の症状、又は傷病者の人数等の生体情報を取得する取得手段と、
複数の病院の複数の通信アドレスを記録する第１の記録手段と、
前記取得した生体情報を前記複数の通信アドレスに対して連続して送信又は同時に送信する第１の送信手段と、
を備えた通信機器と、
生体情報を通信機器から受信する受信手段と、
病院にて対応可能な専科、症状画像、心拍数、血圧、呼吸数、酸素飽和度、心電図情報、若しくは治療可能な症状、又は、病院における受入可能な傷病者の人数、空きベッド数、若しくは勤務している医師の情報等の病院情報を記録する第２の記録手段と、
前記受信した生体情報が、前記記録手段に記録されている病院情報に含まれているか否かを判断する検索手段と、
前記判断の結果、生体情報が病院情報に含まれていると判断した場合には、傷病者等を受け入れることが可能であることを示す受入可能情報を送信する第２の送信手段と、
を備えた病院端末と、
を備えたことを特徴とする搬送先自動選択システム。
【発明の詳細な説明】
【０００１】
【発明の属する技術分野】
本発明は、傷病者等を救急病院に搬送する際に用いる搬送先自動選択装置、傷病者データベース生成装置、傷病者データベース検索装置並びに移動体に関する。
【０００２】
【従来の技術】
従来、救急車両を用いて傷病者を搬送する際には、傷病者の疾患の状態に応じて緊急車両に搭乗している救急救命士等が携帯電話等の無線通話機を用いて１乃至複数の病院に１軒１軒順番に連絡し、病院の空き状況や病院の受け入れ態勢を順番に確認した後に傷病者の受け入れ先の病院を決定して、その決定した病院に傷病者を搬送していた。
【０００３】
具体的には、先ず通報者からの消防本部に対して１１９番通報がなされる。消防本部では、通報者から得た情報に基づいて最寄の消防署に対して出動指令が出されて救急車両が出動し、現場に到着する。
【０００４】
救急車両に搭乗している救急救命士や救急隊員は傷病者に対して応急処置を実施するとともに、無線通話機を用いて１乃至複数の救急病院と連絡をとって傷病者の容体や現場の状況を報告する。そしてこれらの救急病院に対して別々に傷病者の受け入れ可否を問い合わせして、傷病者の搬送先救急病院を探していた。
【０００５】
搬送先の救急病院が決定すると、救急隊員は当該救急病院までの最適ルートを探して緊急車両を急行させる。一方救急救命士は、傷病者の生体情報を搬送先の救急病院に無線通話機を用いて通知し、救急病院の医師の指示を仰いで傷病者に手当てを実施していた。その後に救急車両に同乗している傷病者は所定の所定の病院に搬送され、救急病院に受け渡される。傷病者の受け渡しが終了すると緊急車両は消防署に帰署し、救急救命士又は救急隊員は報告書補の作成を行う。
【０００６】
また従来から、生体データを測定し、かつ、画面表示するとともに生体データを外部装置に送出するための接続部を備える第１のモニタと、前記第１のモニタから生体のデータを無線送信する救急用通信装置と、前記救急用送信装置から無線送信された生体データを受信する受信手段と、前記第１のモニタの生体データが入力される側面が外部に向くようにされつつほぼ全体が挿入装着される装着部と、前記装着部内に設けられ前記第１のモニタが前記装着部に挿入装着された際に前記第１のモニタの接続部と接続される本体接続部とを有し、前記装着部を通じて受け取った生体データを少なくとも画面表示する第２のモニタとを備え、前記第１のモニタが生体データを測定する際の操作を含む操作を行う本体操作手段を前記第２のモニタに設け、前記第１のモニタを前記第２のモニタに装着した後は、前記本体側操作手段の操作によって画面表示の操作を行うとともに、この操作による制御データを第１のモニタに送出することが可能な救急モニタシステムが知られている（例えば、特許文献１参照）。
【０００７】
また従来から、救急医療用の端末装置が医療機関に配置された中央指令装置との間で情報伝達を行うための救急医療システムにおいて、前記端末装置が、映像を撮影するための撮像手段と、視認可能な位置に配置された画像表示手段と、前記撮像手段で撮影された映像を変調して前記中央指令装置に送信するとともに、前記中央指令装置から送信された映像を受信する受信手段とを備えた救急医療システムが知られている（例えば、特許文献２参照）。
【０００８】
また従来から、自分の車両の位置を特定する自車位置推定手段と、ドライバの教示又は車載センサによって事故を認識する事故認識手段と、警察署や消防署等の各対応部署に事故の種類や自車位置やドライバの状態等を連絡する外部通報手段と、事故発生地点周辺の車両あるいは歩行者に事故があったことを知らせて救援を求めたり注意を促す周辺向け事故報知手段と、搭乗者の被害状況を検知する搭乗者被害認識手段と、搭乗者被害認識手段の認識結果に基づき搭乗者への応急処置や延命処置を施す応急処置手段とを備えたことを特徴とする自動車事故緊急対応装置が知られている（例えば、特許文献３参照）。
【０００９】
また従来から、ＰＨＳを用いた患者の救急処理のためのＰＨＳシステムにおいて、該ＰＨＳシステムは、それぞれが無線ゾーンを形成する複数の基地局と、該複数の基地局の内から最も電波状態の良好な基地局を選択して患者である利用者の通信端末として前記ＰＨＳを使用する移動局とからなるサブシステムと、該サブシステムを制御する中央呼処理装置とから構成され、前記移動局は、前記患者が携帯する携帯生命維持装置による前記患者の異常検出時に前記中央呼処理装置に対し緊急用の識別コードを送信する手段を備え、前記中央呼処理装置は、前記各移動局に設定された前記識別コードを管理し、前記緊急用の識別コードが、どの前記移動局に設定された識別コードであるかをチェックする識別コード解析部と、前記複数の基地局に対応する位置登録エリアと前記移動局を変換するテーブルをもち、前記患者である利用者がいる前記移動局の位置の解析を行う利用者位置解析部と、消防署又は医療機関の位置が登録されている医療機関登録メモリー部と、前記患者から一番近い前記消防署又は医療機関を選択する医療機関選択部と、前記消防署又は医療機関に対し発呼を行い前記患者の位置を伝え、救急車の要請を行う呼処理部とを備えた患者の救急処理のためのＰＨＳシステムが知られている（例えば特許文献４参照）。
【００１０】
【特許文献１】
特開平８−１２６６１６号公報  （第１−３ページ、第１図）
【特許文献２】
特開２０００−２３７１４８号公報  （第１−３ページ、第１図）
【特許文献３】
特開２０００−９９８６７号公報  （第１−３ページ、第１図）
【特許文献４】
特開平９−２００３８０号公報  （第１−３ページ、第１図）
【００１１】
【発明が解決しようとする課題】
ところが、従来の救急車両を用いて傷病者を搬送する方法では、傷病者の疾患の状態に応じて緊急車両に搭乗している救急救命士等が携帯電話等の無線通話機を用いて１乃至複数の病院に１軒１軒順番に連絡し、病院の空き状況や病院の受け入れ態勢を順番に確認した後に傷病者の受け入れ先の病院を決定していたために、救急病院を探して決定するまでに時間がかかりすぎるという不具合を生じていた。
【００１２】
従来から、およそ１軒の救急病院に対して受け入れ状況の問い合わせを行うのに約７分程度必要と言われている。したがって、数軒の救急病院に対して受け入れ可否の問い合わせを行うと、傷病者の搬入までに１時間程度の時間の経過は珍しくないという状況であった。
【００１３】
特に交通事故などで多く発生する重症外傷では、受傷から決定的治療（手術）を開始するまでの時間が１時間を超えるか否かで生死が分かれる場合が多い。そのことから受傷からの１時間をゴールデンアワーとも呼ばれている。
【００１４】
ロード・アンド・ゴーの思想では、傷病者に対して決められた観察を２分以内で行い、生命が脅かされる可能性があると判断した場合にはなすべく必須処置を行い、５分以内に現場を出発して、生命に関係の無い観察や処置は全て省略することとしている。
【００１５】
ところが従来の傷病者搬送方法では、緊急車両に搭乗している救急救命士等が傷病者の疾患の状態に応じて病院に連絡し、病院の受け入れ態勢を確認していたために、緊急を要する傷病者の搬送に際して受け入れ先の病院を即座に探し出すことができずに、傷病者を受け入れ可能な救急病院に到着するのが遅れてしまうという不具合を生じていた。
【００１６】
また、他方の医師としても、救急無線や携帯電話による音声と生体データのみでは、傷病者や疾病者の容態を完全に把握できないため、気管内送管やカウンタショックなどの高度な処置を医師でもない救急救命士に責任をもって指示できず、救急病院側からは「ともかく、連れて来て欲しい」といった要求を受けることになりがちであるという不具合を生じていた。
【００１７】
また、実際の応急処置の記録が救急隊員の書面報告のみであるため、救急災害時の対応マニュアルに救急現場での実際の対応が反映されずに、検証が不十分なため、医療の質を十分に確保しにくいという不具合を生じていた。
【００１８】
また、救急活動の終了後に救急救命士等の隊員は報告書補の作成を行うのであるが、従来の救急活動に対する報告書記録は文書からなる書面であったために、将来再度発生するであろう災害に備えた緊急災害時の対応マニュアルに、実際経験した対応が詳しく反映されず、将来発生し得る救急救命措置に反映されないという不具合を生じていた。
【００１９】
また、特許文献１に記載されている救急モニタシステムでは、第１のモニタからの生体データを救急用送信装置から無線送信しながら、第１のモニタが救急車に配置された第１のモニタよりも大型の表示画面を備えた第２のモニタに装着されるため、移動電話システムを利用して、救急患者を救急現場から救急車に収容して病院などに運ぶ際の生体データが中断することなく、病院などのモニタに無線伝送できるという効果を有するが、傷病者を撮像した画像を複数の救急病院に送信して、救急病院における受け入れ可否判断を行ったり、医師が救急救命措置に関する的確な指示を出すことができないという不具合を生じていた。
【００２０】
また、特許文献２に記載されている救急医療システムでは、救急救命士が装着したヘルメットから、治療対象者の状態を音声情報で医療機関に設置された中央指令装置へリアルタイムに伝送し、また、この中央指令装置から送信された映像音声信号をヘルメットでリアルタイムで受信することが可能となっている。そのため、医師は救急救命士に対して映像情報を用いて早急かつ適切な処置を指示することができ、救急救命士は迷うことなく、早急に対処することを可能としているものの、傷病者の搬送先を早急に決定することができないという不具合を生じていた。
【００２１】
また、特許文献３に記載されている自動車事故緊急対応装置では、警察や消防等に事故の有無やドライバの状態等を報知することが可能であるので迅速な被害者の救済ができる旨の記載されているものの、複数の救急病院に対して被害者の受け入れ可否の判断を求めることができないという不具合を生じていた。
【００２２】
また、特許文献４に記載されている患者の救急処理のためのＰＨＳシステムでは、患者の携帯する携帯生命維持装置（ペースメーカー等）と移動局（ＰＳ）とを連動させ、移動中の患者の緊急時に自動発呼し、緊急用の識別コードを送信し、最も近い消防車又は医療機関に回線をつなぎ、発呼者の位置を知らせ、迅速に救急処理を行うことが可能となっているが、傷病者を撮像した画像を救急病院に対して送信して、救急病院における受け入れ可否判断を行ったり、医師が救急救命措置に関する的確な指示を出すことができないという不具合を生じていた。
【００２３】
そこで本発明では、傷病者等に関する情報や撮像画像を複数の救急病院に略同時に配信して傷病者の症状の程度を示し、救急病院側から傷病者等の受け入れ可否情報を、消防本部（救急災害センター）、救急救命士等の救急隊員側にて受信することによって、傷病者等の搬送先を早急に決定することが可能な搬送先自動選択装置、並びに搬送先自動選択システムを提供することを目的としている。
【００２４】
また本発明は、救急現場の端末から受信した傷病者に関する複数の生体情報を用いて、同様の事件が発生した際の緊急災害時の対応データベースを自動で生成することが可能な傷病者データベース生成装置を提供することを目的としている。
【００２５】
また本発明は、入力手段を介して複数の生体情報と検索を実行する旨の検索指示とを入力すると、入力した生体情報と関連付けて記録手段に記録されている事件毎の生体情報の組合せを読み出して、事件毎の生体情報の組合せ中から、検索指示とともに受信した生体情報が多く含まれる順にその事件毎の生体情報の順位を設定し、設定した順位とその事件毎の生体情報の組合せとを表示手段に表示して、利用者が緊急災害時の対応データベースから緊急災害時の対応結果を取得することが可能な傷病者データベース検索装置を提供することを目的としている。
【００２６】
また本発明は、救急現場で撮像した傷病者等の症状画像を、複数の病院の通信アドレスに対して略同時に送信して、複数の救急病院に対して早急に傷病者等の受入れ可否の判断を求めることが可能な搬送先自動選択装置並びに搬送先自動選択システムを提供することを目的としている。
【００２７】
また本発明は、救急現場で取得した傷病者の心拍数、血圧、呼吸数、酸素飽和度、心電図情報等の生体情報を、複数の病院の通信アドレスに対して略同時に送信して、複数の救急病院に対して早急に傷病者の受入れ可否の判断を求めることが可能な搬送先自動選択装置並びに搬送先自動選択システムを提供することを目的としている。
【００２８】
また本発明は、受信した傷病者等の受入可否情報を病院の通信アドレス又は病院の名称等の識別情報と関連付けて表示して、消防本部（災害救急センター）並びに救急隊員に、傷病者等を受入れ可能な救急病院を早期に通知することが可能な搬送先自動選択装置を提供することを目的としている。
【００２９】
また本発明は、受入可能情報を送信した病院の通信アドレスに対して通信接続して、救急隊員が早期に傷病者等を受入れ可能な救急病院と情報の交換を行うことが可能な搬送先自動選択装置を提供することを目的としている。また、救急隊員が救急病院の医師から救急救命措置に関する指示を取得して、傷病者等に対して適切な初期措置を施すことが可能な搬送先自動選択装置を提供することを目的としている。
【００３０】
また本発明は、救急病院から傷病者等を受け入れることが可能であることを示す受入可能情報と病院位置情報とを受信して、傷病者等を受入れ可能な救急病院の位置と救急車両の位置関係を表示し、救急隊員に傷病者等の搬送先の救急病院までの道順を的確に通知することが可能な搬送先自動選択装置を提供することを目的としている。
【００３１】
また本発明は、受信した複数の病院位置情報と救急車両が存在する位置情報とをそれぞれ比較して両者の位置が近い順に病院の順位を表示手段に表示して、傷病者等を受入れ可能な複数の救急病院の中から最適な救急病院を救急隊員が選択することが可能な搬送先自動選択装置を提供することを目的としている。
【００３２】
また本発明は、受信した複数の病院位置情報と救急車両の位置情報とをそれぞれ比較して、両者の位置が近い順に病院の順位を表示手段に表示して、消防本部（災害救急センター）側にて最適な救急病院を選択して救急車両に指示することが可能な搬送先自動選択装置を提供することを目的としている。
【００３３】
また本発明は、傷病者等を撮像した症状画像を取得してサーバに送信する傷病者側端末と、傷病者側端末から取得した症状画像を複数の病院に対して連続して送信、又は同時に送信するサーバとを備えて、サーバ側にて複数の救急車両から傷病者等の搬送要求を取得した場合であっても、複数の救急病院に対して効率よく傷病者等の受入れ可否の判断を求めることが可能な搬送先自動選択システムを提供することを目的としている。
【００３４】
また本発明は、傷病者又は保護者を病院に搬送する搬送手段を備えた移動体に、傷病者又は被保護者を撮像して症状画像を取得する撮像手段と、前記取得した症状画像を複数の病院に対して同時に送信する送信手段とを備えて、複数の救急病院に対して早急に傷病者の受入れ可否の判断を求めることが可能な移動体を提供することを目的としている。
【００３５】
また本発明は、取得した生体情報を複数の通信アドレスに対して連続して送信又は同時に送信する通信機器と、通信機器から受信した生体情報が当該病院にて対応可能な条件等（病院情報）に含まれているか否かを判断し、該判断の結果、生体情報が病院情報に含まれていると判断した場合には傷病者等を受け入れることが可能であることを示す受入可能情報を送信する病院端末とを設けて、救急車両側が発した傷病者の受入要求に対して早急に受入可否、又は受入可能の返答を行うことが可能な搬送先自動選択システムを提供することを目的としている。また、救急車両側や消防本部において、病院における傷病者の受入可否、又は受入可能の返答を早急に受信することが可能な搬送先自動選択システムを提供することを目的としている。
【００３６】
【課題を解決するための手段】
前記目的を達成するために請求項１に記載の発明は、傷病者等を撮像して症状画像を取得する撮像手段と、複数の病院の複数の通信アドレスを記録する記録手段と、取得した症状画像を複数の通信アドレスに対して連続して送信又は同時に送信する送信手段とを備えたことを特徴としている。
【００３７】
本発明によれば、救急現場で撮像した傷病者等の症状画像を、複数の病院の通信アドレスに対して略同時に送信するようにしたので、複数の救急病院に対して早急に傷病者等の受入れ可否の判断を求めることが可能となる。また、医師が救急救命措置に関する的確な判断を早期に行うことが可能となる。
【００３８】
また、前記目的を達成するために請求項２に記載の発明は、前記請求項１の発明に加えて、傷病者の心拍数、血圧、呼吸数、酸素飽和度、傷病者の心電図情報等の生体情報を取得する取得手段を備え、送信手段は取得した生体情報を複数の通信アドレスに対して連続して送信又は同時に送信することを特徴としている。
【００３９】
本発明によれば、救急現場で取得した傷病者の心拍数、血圧、呼吸数、酸素飽和度、心電図情報等の生体情報を、複数の病院の通信アドレスに対して略同時に送信するようにしたので、複数の救急病院に対して早急に傷病者の受入れ可否の判断を求めることが可能となる。また、医師が救急救命措置に関する的確な判断を早期に行うことが可能となる。
【００４０】
また、前記目的を達成するために請求項３に記載の発明は、請求項１又は請求項２に記載の発明に加えて、傷病者の症状を音声として取得する集音手段を備え、送信手段は取得した音声の生体情報を複数の通信アドレスに対して連続して送信又は同時に送信することを特徴としている。
【００４１】
本発明によれば、救急現場で集音した傷病者の症状に関する音声の生体情報を、複数の病院の通信アドレスに対して略同時に送信するようにしたので、複数の救急病院に対して早急に傷病者の受入れ可否の判断を求めることが可能となる。また、医師が救急救命措置に関する的確な判断を早期に行うことが可能となる。
【００４２】
また、前記目的を達成するために請求項４に記載の発明は、請求項１乃至３に記載の発明に加えて、病院の通信アドレス又は病院の識別情報と当該病院において傷病者等を受け入れることが可能であるか否かを示す受入可否情報とを受信する受信手段と、受信した受入可否情報を病院の通信アドレス又は病院の識別情報と関連付けて表示する表示手段とを備えたことを特徴としている。
【００４３】
本発明によれば、受信した傷病者等の受入可否情報を、病院の通信アドレス又は病院の識別情報と関連付けて表示する表示手段を備えたので、救急隊員は傷病者等を受入れ可能な救急病院を早期に知ることが可能となる。
【００４４】
また、前記目的を達成するために請求項５に記載の発明は、請求項１乃至３に記載の発明に加えて、病院の通信アドレスと当該病院において傷病者等を受け入れることが可能であることを示す受入可能情報を受信する受信手段と、受入可能情報を送信した病院の通信アドレスに対して携帯電話回線、汎用無線通信回線又は専用無線通信回線を介して通信接続する通信手段を備えたことを特徴としている。
【００４５】
本発明によれば、受入可能情報を送信した病院の通信アドレスに対して通信接続する通信手段を備えたので、救急隊員は早期に傷病者等を受入れ可能な救急病院と情報の交換を行うことが可能となり、救急病院の医師から救急救命措置に関する指示を取得して、傷病者等に対して適切な初期措置を施すことが可能となる。
【００４６】
また、前記目的を達成するために請求項６に記載の発明は、現在位置を示す位置情報を取得する位置取得手段と、病院において傷病者等を受け入れることが可能であることを示す受入可能情報と当該受入れ可能な病院が存在する病院位置情報とを受信する受信手段と、前記受入可能情報と病院位置情報と位置情報とに基づいて両者の位置関係を表示する表示手段とを備えたことを特徴としている。
【００４７】
本発明によれば、救急病院から傷病者等を受け入れることが可能であることを示す受入可能情報と病院位置情報とを受信して、傷病者等を受入れ可能な救急病院の位置と救急車両等の位置関係を表示するようにしたので、救急隊員は傷病者等の搬送先の救急病院までの道順を的確に知ることが可能となる。
【００４８】
また、前記目的を達成するために請求項７に記載の発明は、現在位置を示す位置情報を取得する位置取得手段と、病院を識別する識別情報と当該病院が存在する位置を示す病院位置情報とを関連付けて記録する記録手段と、病院において傷病者等を受け入れることが可能であることを示す受入可能情報と当該受入れ可能な病院の識別情報とを受信する受信手段と、前記病院の識別情報と受入可能情報とに基づいて記録手段に記録されている病院位置情報を読み出して、当該病院位置情報と位置情報とに基づいて両者の位置関係を表示する表示手段とを備えたことを特徴としている。
【００４９】
本発明によれば、救急病院から傷病者等を受け入れることが可能であることを示す受入可能情報と病院の識別情報とを受信して、傷病者等を受入れ可能な救急病院の位置と救急車両の位置関係を表示するようにしたので、救急隊員は傷病者等の搬送先の救急病院までの道順を的確に知ることが可能となる。
【００５０】
また、前記目的を達成するために請求項８に記載の発明は、現在位置を示す位置情報を取得する位置取得手段と、病院において傷病者等を受け入れることが可能であることを示す受入可能情報と当該受入れ可能な病院が存在する病院位置情報との組合せを複数受信する受信手段と、受信した複数の病院位置情報と前記位置情報とをそれぞれ比較して両者の位置が近い順に病院の順位を設定する順位設定手段と、設定した病院の順位を表示する表示手段とを備えたことを特徴としている。
【００５１】
本発明によれば、受信した複数の病院位置情報と前記位置情報とをそれぞれ比較して両者の位置が近い順に病院の順位を表示手段に表示するようにしたので、救急隊員は傷病者等を受入れ可能な複数の救急病院の中から最適な救急病院を選択することが可能となる。
【００５２】
また、前記目的を達成するために請求項９に記載の発明は、傷病者等を撮像した症状画像、傷病者の心拍数、血圧、呼吸数、酸素飽和度、傷病者の心電図情報、又は傷病者の症状を音声として記録した音声情報等の生体情報を取得する受信手段と、複数の病院の複数の通信アドレスを記録する記録手段と、取得した生体情報を複数の通信アドレスに対して連続して送信又は同時に送信する第１の送信手段とを備えたことを特徴としている。
【００５３】
本発明によれば、傷病者等の生体情報を傷病者側の端末から受信して、予め記録されている複数の病院の複数の通信アドレスに対して連続して送信又は同時に送信する第１の送信手段とを備えたので、複数の救急病院に対して早急に傷病者等の受入れ可否の判断を求めることが可能となる。また、医師が救急救命措置に関する的確な判断を早期に行うことが可能となる。
【００５４】
また、前記目的を達成するために請求項１０に記載の発明は、請求項９の発明に加えて、病院の通信アドレスと当該病院において傷病者等を受け入れることが可能であることを示す受入可否情報を受信する受信手段と、受信した受入可否情報を傷病者側の端末に送信する第２の送信手段とを備えたことを特徴としている。
【００５５】
本発明によれば、受信した傷病者等の受入可否情報を傷病者側の通信端末に送信するようにしたので、傷病者側の救急隊員は、傷病者等を受入れ可能な救急病院を早期に知ることが可能となる。
【００５６】
また、前記目的を達成するために請求項１１に記載の発明は、救急車両の現在位置を示す位置情報を救急車両側の端末から受信する第１の受信手段と、病院において傷病者等を受け入れることが可能であることを示す受入可能情報と当該受入れ可能な病院が存在する病院位置情報との組合せを複数受信する第２の受信手段と、前記受信した受入可能情報に基づいて複数の病院位置情報と救急車両の位置情報とをそれぞれ比較して両者の位置が近い順に順位を設定する順位設定手段と、前記設定した病院の順位を表示する表示手段、又は、前記設定した病院の順位を救急車両側の通信機器に対して送信する送信手段とを備えたことを特徴としている。
【００５７】
本発明によれば、受信した複数の病院位置情報と救急車両の位置情報とをそれぞれ比較して、両者の位置が近い順に病院の順位を表示手段に表示することが可能となるので、消防本部（災害救急センター）側では最適な救急病院を選択して救急車両に指示することが可能となる。
【００５８】
また、本発明によれば、受信した複数の病院位置情報と救急車両の位置情報とをそれぞれ比較して、両者の位置が近い順に病院の順位を救急車両側の通信機器に送信するようにしたので、救急車両に搭乗している救急隊員は、傷病者等を受入れ可能な複数の救急病院の中から最適な救急病院を選択することが可能となる。
【００５９】
また、前記目的を達成するために請求項１２に記載の発明は、傷病者等を撮像して症状画像を取得する撮像手段、及び症状画像をサーバに送信する第１の送信手段とを備えた傷病者側端末と、症状画像を傷病者側端末から取得する受信手段、複数の病院の複数の通信アドレスを記録する記録手段、及び取得した症状画像を前記複数の通信アドレスに対して連続して送信又は同時に送信する第２の送信手段を備えたサーバとから構成されることを特徴としている。
【００６０】
本発明によれば、傷病者等を撮像して症状画像を取得してサーバに送信する傷病者側端末と、傷病者側端末から取得した症状画像を複数の病院の複数の通信アドレスに対して連続して送信、又は同時に送信するサーバとを備えたので、サーバ側では複数の救急車両から傷病者等の搬送要求を取得した場合であっても、複数の救急病院に対して効率よく傷病者等の受入れ可否の判断を求めることが可能となる。
【００６１】
また、前記目的を達成するために請求項１３に記載の発明は、救急現場の端末から傷病者に関する複数の生体情報を受信する受信手段と、傷病者の複数の生体情報をそれぞれ関連付けて事件毎に１組の生体情報として記録する記録手段とを備えたことを特徴としている。
【００６２】
本発明によれば、救急現場の端末から傷病者に関する複数の生体情報を受信して、それぞれの生体情報を関連付けて事件毎に１組の生体情報として記録するようにしたので、同様の事件が発生した際の緊急災害時の対応データベースを自動で生成することが可能となり、緊急災害時の対応マニュアルとして利用することが可能となる。
【００６３】
また、前記目的を達成するために請求項１４に記載の発明は、傷病者の人数、年齢、性別、症状、症状画像、音声情報、心拍数、血圧、呼吸数、酸素飽和度、心電図情報等の複数の生体情報をそれぞれ関連付けて事件毎に１組の生体情報として記録する記録手段と、複数の生体情報と検索を実行する旨の検索指示とを入力する入力手段と、複数の生体情報と検索を実行する旨の検索指示とを入力すると、入力した生体情報と関連付けて記録手段に記録されている事件毎の生体情報の組合せを読み出す生体情報取得手段と、前記読み出した事件毎の生体情報の組合せ中から、前記検索指示とともに入力した生体情報が多く含まれる順にその事件毎の生体情報の順位を設定する順位設定手段と、前記設定した順位とその事件毎の生体情報の組合せとを表示する表示手段とを備えたことを特徴としている。
【００６４】
本発明によれば、傷病者の複数の生体情報をそれぞれ関連付けて事件毎に１組の生体情報として記録する記録手段と、入力手段を介して複数の生体情報と検索を実行する旨の検索指示とを入力すると、入力した生体情報と関連付けて記録手段に記録されている事件毎の生体情報の組合せを読み出して、事件毎の生体情報の組合せ中から検索指示とともに受信した生体情報が多く含まれる順にその事件毎の生体情報の順位を設定し、設定した順位とその事件毎の生体情報の組合せとを表示手段に表示するようにしたので、傷病者の生体情報と検索指示とに基づいて、緊急災害時の対応データベースから緊急災害時の対応結果を取得することが可能となる。
【００６５】
また、前記目的を達成するために請求項１５に記載の発明は、傷病者又は被保護者を撮像して症状画像を取得する撮像手段と、前記取得した症状画像を複数の病院に対して同時に送信する送信手段と、傷病者又は保護者を病院に搬送する搬送手段とを備えたことを特徴としている。
【００６６】
本発明によれば、傷病者又は保護者を病院に搬送する搬送手段を備えた移動体に、傷病者又は被保護者を撮像して症状画像を取得する撮像手段と、前記取得した症状画像を複数の病院に対して同時に送信する送信手段とを備えたので、複数の救急病院に対して早急に傷病者の受入れ可否の判断を求めることが可能となる。また、医師が救急救命措置に関する的確な判断を早期に行うことが可能となる。
【００６７】
また、前記目的を達成するために請求項１６に記載の発明は、傷病者又は被保護者を撮像して症状画像を取得する撮像手段と、複数の病院の複数の通信アドレスを記録する記録手段と、取得した症状画像を前記複数の通信アドレスに対して連続して送信又は同時に送信する送信手段と、傷病者又は保護者を病院に搬送する搬送手段とを備えたことを特徴としている。
【００６８】
本発明によれば、傷病者又は保護者を病院に搬送する搬送手段を備えた移動体に、傷病者又は被保護者を撮像して症状画像を取得する撮像手段と、複数の病院の複数の通信アドレスを記録する記録手段と、取得した症状画像を前記複数の通信アドレスに対して連続して送信又は同時に送信する送信手段とを備えたので、複数の救急病院に対して早急に傷病者の受入れ可否の判断を求めることが可能となる。また、医師が救急救命措置に関する的確な判断を早期に行うことが可能となる。
【００６９】
また、前記目的を達成するために請求項１７に記載の発明は、傷病者等を撮像した症状画像、傷病者の心拍数、血圧、呼吸数、酸素飽和度、傷病者の心電図情報、傷病者の症状、又は傷病者の人数等の生体情報を取得する取得手段と、複数の病院の複数の通信アドレスを記録する第１の記録手段と、取得した生体情報を前記複数の通信アドレスに対して連続して送信又は同時に送信する第１の送信手段とを備えた通信機器と、生体情報を通信機器から受信する受信手段と、病院にて対応可能な専科、症状画像、心拍数、血圧、呼吸数、酸素飽和度、心電図情報、若しくは治療可能な症状、又は、病院における受入可能な傷病者の人数、空きベッド数、若しくは勤務している医師の情報等の病院情報を記録する第２の記録手段と、受信した生体情報が第２の記録手段に記録されている病院情報に含まれているか否かを判断する検索手段と、前記判断の結果、生体情報が病院情報に含まれていると判断した場合には傷病者等を受け入れることが可能であることを示す受入可能情報を送信する第２の送信手段とを備えた病院端末とから構成されることを特徴としている。
【００７０】
本発明によれば、取得した生体情報を複数の通信アドレスに対して連続して送信又は同時に送信する通信機器と、通信機器から受信した生体情報が当該病院にて対応可能な条件等（病院情報）に含まれているか否かを判断し、該判断の結果、生体情報が病院情報に含まれていると判断した場合には傷病者等を受け入れることが可能であることを示す受入可能情報を送信する病院端末とを備えたので、病院側では救急車両側が発した傷病者の受入要求に対して早急に受入可否、又は受入可能の返答を行うことが可能となる。また、救急車両側や消防本部では、病院における傷病者の受入可否、又は受入可能の返答を早急に受信することが可能となる。
【００７１】
【発明の実施の形態】
以下、本発明について詳細に説明する。
【００７２】
図１は本発明に係る搬送先自動選択システムの構成を示す図である。
【００７３】
同図に示すように、搬送先自動選択システムには、消防団員や救急救命士等が救急現場で撮像や音声入力等を行うヘッドセット端末３０（搬送先自動選択装置、傷病者側端末、通信機器の機能を備えていてもよい）と、画像や心拍数、血圧、呼吸数、酸素飽和度、心電図等の情報を表示する表示手段と通信手段とを備えた傷病者側端末４０（搬送先自動選択装置、通信機器の機能を備えていてもよい）と、救急病院や医療施設等に設けられている病院端末５０、５０Ａ…と、消防署等の救急車両２０（移動体）を管理する消防本部又は災害救急指令センター等に設けられているサーバ９０（搬送先自動選択装置、傷病者データベース生成装置、傷病者データベース検索装置の機能を備えていてもよい）と、傷病者側端末４０とサーバ９０とが通信を行う通信回線６０と、病院端末５０、５０Ａ等とサーバ９０等が通信を行うインターネットや電話回線網等の通信網７０とが含まれている。
【００７４】
なお、ヘッドセット端末３０や傷病者側端末４０は、公衆回線等の無線の基地局８０と通信網７０を介してサーバ９０や病院端末５０等と通信可能に接続されていてもよい。また、ヘッドセット端末３０や傷病者側端末４０は、救急車両２０内で使用してもよい。
【００７５】
なお同図におけるヘッドセット端末３０は、傷病者の血液が消防団員や救急救命士等の救急隊員の眼に飛び込むのを防止するためにゴーグルと一体に装着されている例で示してある。ヘッドセット端末３０には、傷病者を撮像して症状画像を取得する撮像手段（小型のデジタルカメラ）と、救急隊員等が発する音声を集音するマイクロフォン等から構成される集音手段と、救急隊員等に音声を発して情報を通知するイヤォン等から構成される発音手段と、傷病者側端末４０や直接サーバ９０又は病院端末５０、５０Ａ等と無線通信にて情報の送受信を行う通信手段とが設けられている。
【００７６】
当該ヘッドセット端末３０は、救急隊員等が装着するヘルメットと一体に構成されていてもよいし、救急隊員が装着するベルトに設けられていてもよいが、救急隊員等の眼の位置に近い位置に撮像手段が設けられていると救急隊員の視点に対して視差が少なくなるので好都合である。また、救急隊員等の眼の位置と撮像手段との位置関係が既知である場合には、撮像手段が撮像した被写体の合焦位置に基づいて自動的に撮像手段の視点を調節する自動視点調節手段を備えてもよい。
【００７７】
図２は、ヘッドセット端末３０の信号処理系ブロック図を示す図である。
【００７８】
ヘッドセット端末３０の画像処理部には、傷病者等の被写体像を受光面に結像させて光電変換し、画像信号として出力する撮像手段３５０（取得手段の機能を含む）と、画像サイズの変更、シャープネス補正、ガンマ補正、コントラスト補正、ホワイトバランス補正等の画像処理を行うとともにアナログの画像信号をデジタルの画像データに変換する画像処理手段３５１とが設けられている。
【００７９】
ヘッドセット端末３０の音声入力部には、救急隊員等が発する音声を集音して電気信号に変換するマイクロフォン等の集音手段３５４と、集音手段３５４が集音した音声信号を増幅してフイルタ処理を行うとともに、アナログの音声信号をデジタルの音声データに変換する音声処理手段３５５とが設けられている。
【００８０】
ヘッドセット端末３０の音声出力部には、情報処理手段３８０等からデジタルの音声データを取得してアナログの音声信号に変換するとともに音声信号に対してフイルタ処理や増幅処理を行う発音処理手段３５７と、発音処理手段３５７から音声信号を入力して振動板を振動させて音声を発するスピーカやヘッドフォン等の発音手段３５６とが設けられている。
【００８１】
ヘッドセット端末３０には、ＧＰＳ（Ｇｌｏｂａｌ  Ｐｏｓｉｔｉｏｎｉｎｇ  Ｓｙｓｔｅｍ  ）等の位置取得手段３５８が備えられており、現在救急隊員が搭乗している救急車両２０が現在何処に存在しているかを示す位置情報や軌跡を知ることが可能となっている。
【００８２】
症状画像や音声情報、生体情報を通信によって他の電子機器（傷病者側端末４０、病院端末５０、５０Ａ…、サーバ９０、基地局８０等）と送受信するヘッドセット端末３０の通信処理部には、症状画像や音声情報、生体情報等の各種情報を電波等の搬送波に乗せて送信又は受信する処理を行う送受信手段３６８（送信手段、受信手段）と、搬送波及び各種情報を送受信するアンテナ３６６とが設けられている。
【００８３】
また、ヘッドセット端末３０には、症状画像や音声情報、生体情報等の各種情報をＪＰＥＧやＭＰＥＧに代表される手法で圧縮制御したり、圧縮した情報を伸張展開制御する処理を行う圧縮伸張手段（図示せず）が設けられている。
【００８４】
また、ヘッドセット端末３０には、撮像開始ボタンや通信ボタン、送信ボタン、ファンクションスイッチ、十字キー、確定スイッチ、モード切り換えスイッチ等から構成される入力手段３７０（取得手段の機能を含む）が設けられている。
【００８５】
またヘッドセット端末３０には、撮像処理、集音処理、発音処理、通信処理その他ヘッドセット端末３０全体の制御を行う情報処理手段３８０と、プログラム実行時の作業領域となるとともに、ヘッドセット端末３０の識別情報や動作プログラム等を記録するメモリ３８１と、時を刻むカレンダ時計３９０とが設けられている。
【００８６】
ヘッドセット端末３０の情報処理手段３８０とその周辺の回路はバス３９９で接続されており、相互に高速な情報の伝達を行うことが可能となっている。そして情報処理手段３８０にて動作する処理プログラムの指示に基づいて、情報処理手段３８０は周辺の回路を制御することが可能となっている。
【００８７】
図３は、傷病者側端末４０の信号処理系ブロック図を示す図である。
【００８８】
傷病者側端末４０には、ＧＰＳ（Ｇｌｏｂａｌ  Ｐｏｓｉｔｉｏｎｉｎｇ  Ｓｙｓｔｅｍ  ）等の位置取得手段４５８が備えられており、現在救急隊員が搭乗している救急車両２０が現在何処に存在しているかを示す位置情報や軌跡を知ることが可能となっている。
【００８９】
症状画像や音声情報、生体情報を通信によって他の電子機器（ヘッドセット端末３０、病院端末５０、５０Ａ…、サーバ９０、基地局８０等）と送受信する傷病者側端末４０の通信処理部には、症状画像や音声情報、生体情報等の各種情報を電波等の搬送波に乗せて送信又は受信する処理を行う送受信手段４６８（送信手段、受信手段）と、搬送波及び各種情報を送受信するアンテナ４６６とが設けられている。
【００９０】
また、傷病者側端末４０には、症状画像や音声情報等の情報をＪＰＥＧやＭＰＥＧに代表される手法で圧縮制御したり、圧縮したデータを伸張展開制御する処理を行う圧縮伸張手段（図示せず）が設けられている。
【００９１】
また、傷病者側端末４０には、キーボードやマウス、トラックボール、タブレット等から構成される入力手段４７０（取得手段の機能を含む）と、心拍数や血圧、呼吸数、酸素飽和度、心電図などの生体情報測定用の各種センサや傷病者に電気ショックを与える際の電極を接続するコネクタ４７５と、該コネクタ４７５から電気信号を入力してバス４９９に情報を出力したり情報処理手段４８０から取得した情報に基づいてコネクタに対して信号を出力するＩ／Ｏ４７６（取得手段の機能を含む）とが設けられている。
【００９２】
また傷病者側端末４０には、撮像処理、集音処理、発音処理、通信処理その他傷病者側端末４０全体の制御を行う情報処理手段４８０と、プログラム実行時の作業領域となるメモリ４８１と、傷病者側端末４０の識別情報や動作プログラム等を電源遮断後も記録する不揮発性メモリ４８３と、時を刻むカレンダ時計４９０とが設けられている。
【００９３】
傷病者側端末４０の情報処理手段４８０とその周辺の回路はバス４９９で接続されており、相互に高速な情報の伝達を行うことが可能となっている。そして情報処理手段４８０にて動作する処理プログラムの指示に基づいて、情報処理手段４８０は周辺の回路を制御することが可能となっている。
【００９４】
傷病者側端末４０は、パソコン等の情報処理装置であってもよいし、ＰＤＡ（Ｐｅｒｓｏｎａｌ  Ｄａｔａ  Ａｓｓｉｓｔａｎｃｅ）等の通信端末であっても、本発明の目的を達成することが可能である。また、傷病者側端末４０は、救急救命士等の隊員が背中に背負うような構成、ベルトに装着する構成等のウェアラブルな構成としてもよいし、鞄に入れて携行可能な構成としてもよい。
【００９５】
図４は、病院端末５０の信号処理系ブロック図を示す図である。
【００９６】
病院端末５０の音声入力部には、担当の医師等が発する音声を集音して電気信号に変換するマイクロフォン等の集音手段５５４と、集音手段５５４が集音した音声信号を増幅してフイルタ処理を行うとともに、アナログの音声信号をデジタルの音声データに変換する音声処理手段５５５とが設けられている。
【００９７】
病院端末５０の音声出力部には、情報処理手段５８０等からデジタルの音声データを取得してアナログの音声信号に変換するとともに音声信号に対してフイルタ処理や増幅処理を行う発音処理手段５５７と、発音処理手段５５７から音声信号を入力して振動板を振動させて音声を発するスピーカやヘッドフォン等の発音手段５５６とが設けられている。
【００９８】
症状画像や音声情報、生体情報を通信によって他の電子機器（ヘッドセット端末３０、傷病者側端末４０、サーバ９０、基地局８０等）と送受信する病院端末５０の通信処理部には、症状画像や音声情報、生体情報等の各種情報を搬送波に乗せて送信又は受信する処理を行う送受信手段５６５（送信手段、受信手段）と、通信網７０を経由して搬送波及び各種情報を送受信する通信回線５６４とが設けられている。
【００９９】
また、病院端末５０には、症状画像や音声情報、生体情報等の各種情報をＪＰＥＧやＭＰＥＧに代表される手法で圧縮制御したり、圧縮した情報を伸張展開制御する処理を行う圧縮伸張手段（図示せず）が設けられている。
【０１００】
また、病院端末５０には、キーボードやマウス、トラックボール、タブレット等から構成される入力手段５７０と、撮像処理、集音処理、発音処理、通信処理その他病院端末５０全体の制御を行う情報処理手段５８０（検索手段）と、プログラム実行時の作業領域となるメモリ５８１と、病院の診療、治療、空きベッド数、受入可能な傷病者の人数、各担当医師在否情報、病院の位置情報、病院端末５０の識別情報（病院名、２次救急、３次救急などの情報）、病院にて対応可能な専科、症状画像、心拍数、血圧、呼吸数、酸素飽和度、心電図情報、若しくは治療可能な症状、等の病院情報や、動作プログラム等の各種の情報を記録する記録手段５８４と、時を刻むカレンダ時計５９０とが設けられている。
【０１０１】
病院端末５０の情報処理手段５８０とその周辺の回路はバス５９９で接続されており、相互に高速な情報の伝達を行うことが可能となっている。そして情報処理手段５８０にて動作する処理プログラムの指示に基づいて、情報処理手段５８０は周辺の回路を制御することが可能となっている。
【０１０２】
図５は、サーバ９０の信号処理系ブロック図を示す図である。
【０１０３】
サーバ９０の音声入力部には、担当の消防所員等が発する音声を集音して電気信号に変換するマイクロフォン等の集音手段９５４と、集音手段９５４が集音した音声信号を増幅してフイルタ処理を行うとともに、アナログの音声信号をデジタルの音声データに変換する音声処理手段９５５とが設けられている。
【０１０４】
サーバ９０の音声出力部には、情報処理手段９８０等からデジタルの音声データを取得してアナログの音声信号に変換するとともに音声信号に対してフイルタ処理や増幅処理を行う発音処理手段９５７と、発音処理手段９５７から音声信号を入力して振動板を振動させて音声を発するスピーカやヘッドフォン等の発音手段９５６とが設けられている。
【０１０５】
症状画像や音声情報、生体情報を通信によって他の電子機器（ヘッドセット端末３０、傷病者側端末４０、病院端末５０、５０Ａ…、基地局８０等）と送受信するサーバ９０の通信処理部には、症状画像や音声情報、生体情報等の各種情報を搬送波に乗せて送信又は受信する処理を行う送受信手段９６５（送信手段、受信手段、取得手段）と、通信網７０、公衆回線又は消防無線を経由して搬送波及び情報を送受信する通信回線９６４とが設けられている。
【０１０６】
症状画像や音声情報、生体情報を専用の消防無線によって他の電子機器（ヘッドセット端末３０、傷病者側端末４０等）と送受信するサーバ９０の無線通信処理部には、症状画像や音声情報、生体情報等の各種情報を搬送波に乗せて送信又は受信する処理を行う送受信手段９６８（送信手段、受信手段）と、搬送波及び情報を送受信するアンテナ９６６とが設けられている。
【０１０７】
サーバ９０には、症状画像や音声情報、生体情報等の各種情報をＪＰＥＧやＭＰＥＧに代表される手法で圧縮制御したり、圧縮した情報を伸張展開制御する処理を行う圧縮伸張手段（図示せず）が設けられている。
【０１０８】
また、サーバ９０には、キーボードやマウス、トラックボール、タブレット等から構成される入力手段９７０と、撮像処理、集音処理、発音処理、通信処理その他サーバ９０全体の制御を行う情報処理手段９８０と、プログラム実行時の作業領域となるメモリ９８１と、病院の通信用アドレス、病院の受入れ可否情報、傷病者側端末４０の通信アドレス、病院の位置情報、サーバ９０の識別情報や動作プログラム等の各種の情報を記録する記録手段９８４と、時を刻むカレンダ時計９９０とが設けられている。
【０１０９】
サーバ９０の情報処理手段９８０とその周辺の回路はバス９９９で接続されており、相互に高速な情報の伝達を行うことが可能となっている。そして情報処理手段９８０にて動作する処理プログラムの指示に基づいて、情報処理手段９８０は周辺の回路を制御することが可能となっている。
【０１１０】
図６は、搬送先自動選択システムを用いた搬送先自動選択処理の第１の実施例を示すイベントトレース図である。
【０１１１】
事故により傷病者が発生すると、図７に示すように消防団員又は救急救命士等の救急隊員がヘッドセット端末３０を装着して傷病者の診断を開始する。そして救急隊員がヘッドセット端末３０に設けられている入力手段３７０を介して撮像指令を入力する。なお、救急隊員は、ヘッドセット端末３０を用いて症状画像を撮像する代わりに、傷病者側端末４０を用いて症状画像の撮像を行って、以降の搬送先自動選択処理を実施するようにしてもよい。上記の説明では、事故により傷病者が発生した場合を想定しているが、本発明は傷病者に限定されるものではなく、子供や老人等の被保護者を対象としてもよい。
【０１１２】
入力手段３７０を介して入力された撮像指令は、バス３９９を介して情報処理手段３８０が取得する。すると情報処理手段３８０が実施する処理は、ステップＳ３００「撮像開始」（以降Ｓ３００のように省略して記載する）に進み、画像処理手段３５１に対して撮像の指示を開始する。
【０１１３】
撮像手段３５０では、撮像面に結像している被写体像を光電変換して画像信号として画像処理手段３５１に出力している。画像処理手段３５１では、取得した画像信号に対して画像サイズの変更、シャープネス補正、ガンマ補正、コントラスト補正、ホワイトバランス補正等の画像処理を行うとともにアナログの画像信号をデジタルの画像データに変換して、画像（静止画又は動画）をメモリ３８１に一時記憶する。
【０１１４】
メモリ３８１に記憶された画像データは、情報処理手段３８０の指示に基づいて、所定の圧縮形式に圧縮処理した後に、送受信手段３６８とアンテナ３６６を介して他の通信機器（サーバ９０、病院端末５０等）に対して送信することが可能となっている。このようにして、傷病者を撮像して傷病者の症状画像を取得することが可能となっている。撮像処理が開始されると、情報処理手段３８０が実施する処理は次のＳ３０２「位置情報取得」の処理に進む。
【０１１５】
次のＳ３０２「位置情報取得」にて情報処理手段３８０は、位置取得手段３５８から現在存在する位置の情報（位置情報）を取得する処理を行う。
【０１１６】
次に、救急隊員から傷病者やその傷病者の症状に関する情報（重症、軽傷、裂傷、骨折、脈拍、心拍数、血圧、呼吸数、酸素飽和度、心電図等の生体情報の測定情報その他の症状に関する情報を集音手段３５４又はＩ／Ｏを介して取得する）を入力して、通信開始の指示を入力手段３７０を介して入力すると、情報処理手段３８０が実施する処理はＳ３０４「緊急情報発信」に進み、送受信手段３６８、アンテナ３６６、公衆回線又は消防無線等の無線通信手段を介してサーバ９０に対して緊急情報を送信する処理を行う。
【０１１７】
ヘッドセット端末３０又は傷病者側端末４０から送信される緊急情報には、緊急である旨の情報のほか、当該ヘッドセット端末３０又は傷病者側端末４０を識別する識別情報、傷病者の人数、年齢、性別、症状、生体情報、位置情報、症状画像、音声情報等が含まれていてもよい。なお、前記音声情報は、音声そのものの情報であってもよいし、音声認識手段によって音声を文字に変換した後の文字情報であってもよい。
【０１１８】
一方、サーバ９０の情報処理手段９８０では、Ｓ９００「緊急情報受信？」にて、公衆回線又は消防無線等を介してヘッドセット端末３０又は傷病者側端末４０から緊急情報の受信を待つ処理を行っている。Ｓ９００にて情報処理手段９８０が、送受信手段９６５又は９６８を介して緊急情報を受信したと判断した場合には、受信した緊急情報をメモリ９８１又は記録手段９８４に記録する処理を行う。
【０１１９】
次のＳ９０２「表示・呼出」にて情報処理手段９８０は、消防本部又は災害救急センターに常駐する医師が存在する場合（例えば東京、横浜、京都等の消防本部には医師常駐している場合がある）には、Ｓ９００にて受信した症状画像や緊急情報に含まれる情報を、表示手段９７２に表示する処理を行うとともに、発音手段９５６から呼出し音を発する処理を行って、常駐している医師を呼び出す。このようにして、救急隊員側から症状画像が届いた際に、その旨を自動で医師に対して通知することが可能となる。
【０１２０】
また、発音手段９５６を介して直接医師を呼び出す代りに、医師が携行しているポケットベルやＰＨＳ等の端末に対して、症状画像や症状画像を受信した旨の情報等の緊急情報を送信して、緊急情報の通知や呼び出しの指示をするようにしてもよい。
【０１２１】
図８及び図９は、サーバ９０の表示手段９７２に表示される緊急情報及び画像の表示例を示す図である。なお、図８は救急現場における全体状況と位置情報、日時情報等を表示している例である。また図９は、救急隊員が傷病者を診断している状況や結果、瞳孔の状態、及び心電図等の生体情報を表示手段９７２に表示している例を示している。
【０１２２】
常駐する医師は、表示手段９７２に表示されている情報を見ながら傷病者の症状を判断して、現場に居る救急隊員に対して映像又は音声による指示や指導を行うことが可能となっている。また、現場の救急隊員は、消防本部等に常駐している医師から音声または画像による指示を受信して、傷病者に対して適切な初期処置を行うことが可能となる。
傷病者の症状についての判断内容は、傷病者がどのような呼吸状態であるか、自力で呼吸を行っているか否か、顔色は赤みがかっているか否か、瞳孔は大きくなっているか又は小さくなっているか、目を自力で開眼しているか否か、傷口からの出血がどの程度進んでいるか、自力で体を動かせる状態か否かなどを含むものである。また、事故車両の破損状況、有害物質の流出の有無などの現場状況も有力な判断の対象となる。
【０１２３】
次に情報処理手段９８０が実施する処理は、Ｓ９０４「救急病院選出」の処理に進み、記録手段９８４に予め記録されている救急病院の存在位置情報を読み出して、事故現場のヘッドセット３０又は傷病者側端末４０から受信した位置情報と比較して、所定の距離以内に存在する救急病院（現場に近い救急病院）を選出する処理を行う。
【０１２４】
なお記録手段９８４に、救急病院の住所、電話番号、規模、対応可能な専科、救急病院における空きベッド数や勤務している医師の情報又は受入れ可能な患者の症状等の情報を予め救急病院側から受信して記録しておき、ヘッドセット端末３０や傷病者側端末４０から受信した傷病者の人数や傷病者の症状の緊急情報に応じて救急病院を選出するようにしてもよい。Ｓ９０４にて１乃至複数の救急病院の選出処理が終了すると、情報処理手段９８０が実施する処理は次のＳ９０６「緊急情報発信」の処理に進む。
【０１２５】
Ｓ９０６にて情報処理手段９８０は、前記選出した１乃至複数の病院の通信アドレス（ＩＰアドレス、ＤＮＳ、電話番号等であってもよい）を記録手段９８４から読み出して、当該読み出した通信アドレスに対して症状画像又は生体情報を含む緊急情報を送信する処理を行う。当該緊急情報は、送受信手段９６５と通信回線９６４、通信網７０を介して１乃至複数の救急病院の病院端末５０、５０Ａ…の通信アドレスに対して連続して送信、又は同時にストリーミングにより一斉送信する。
【０１２６】
このとき、通信網７０としてインターネット等の通信網を利用する場合には、当該情報はＴＣＰ（Ｔｒａｎｓｍｉｓｓｉｏｎ  Ｃｏｎｔｒｏｌ  Ｐｒｏｔｏｃｏｌ）を用いて送信してもよいし、ＵＤＰ（Ｕｓｅｒ  Ｄａｔａ  ｇｒａｍ  Ｐｒｏｔｏｃｏｌ）を用いて送信するようにしてもよい。また、救急病院との間で一斉送信用の通信回線を専用に設けておき、この一斉送信用の通信回線を用いて症状画像又は生体情報を含む緊急情報をブロードキャスト送信するようにしてもよい。更にＳ９０６にて、緊急情報を送信した救急病院のリストを表示手段９７２に表示するようにしてもよい。
【０１２７】
病院端末５０、５０Ａ等の情報処理手段５８０では、Ｓ５００「緊急情報受信？」にて、公衆回線等の通信手段を介してサーバ９０等から緊急情報の受信を待つ処理を行っている。Ｓ５００にて情報処理手段５８０が、送受信手段５６５を介して緊急情報を受信したと判断した場合には、受信した緊急情報をメモリ５８１又は記録手段５８４に記録する処理を行う。
【０１２８】
次のＳ５０２「表示・呼出」にて情報処理手段５８０は、Ｓ５００にて受信した緊急情報等を表示手段５７２に表示する処理を行うとともに、発音手段５５６から呼出し音を発する処理を行って、医師を呼び出す。また、発音手段５５６を介して直接医師を呼び出す代りに、医師が携行しているポケットベルやＰＨＳ等の端末に対して緊急情報を送信して、緊急情報の通知や呼び出しの指示をするようにしてもよい。このようにして、救急隊員側が発した症状画像が届いた際に、その旨を自動で医師に対して通知することが可能となる。
【０１２９】
表示手段５７２には、図８及び図９に示した緊急情報及び画像が表示される。病院の医師は、表示手段５７２に表示されている情報を見ながら傷病者の症状を判断して、現場に居る救急隊員に対して映像又は音声による指示や指導を行うことが可能となっている。また、現場の救急隊員は、病院の医師から音声または画像による指示を受信して、傷病者に対して適切な初期処置を行うことが可能となっている。
【０１３０】
次のＳ５０４「受入可能？」の判断では、病院端末５０、５０Ａ…の情報処理手段５８０（検索手段）は、記録手段５８４に予め記録されている当該救急病院にて対応可能な専科、症状画像、心拍数、血圧、呼吸数、酸素飽和度、心電図情報、治療可能な症状、救急病院における空きベッド数、受入可能な傷病者の人数や勤務している医師の情報等の病院情報を読み出して、Ｓ５００にて受信した緊急情報と比較する処理を行う。そして、受信した生体情報が、記録手段５８４に記録されている病院情報に含まれているか否かを判断する処理を行う。
【０１３１】
そして、Ｓ５００にて受信した緊急情報が記録手段５８４から読み出した病院情報に含まれると判断した場合には、情報処理手段５８０が実施する処理はＳ５０６「受入可能情報送信」に進む。
【０１３２】
なお、Ｓ５０４にて、受信した生体情報が記録手段５８４に記録されている病院情報に含まれていると判断した場合には、情報処理手段５８０は緊急情報を受信した旨を、音声、光、又は振動にて、医師等の病院の者に対して通知するようにしてもよい。この通知は、病院端末５０の指示に基づいて、医師等が携行しているポケットベルやＰＨＳ等の携帯端末が実施するようにしてもよい。
【０１３３】
またＳ５０４の判断にて、情報処理手段５８０が記録手段５８４に記録されている病院情報を読み出して傷病者の受入れ可否を判断する代わりに、病院の医師がサーバ９０から送信されてきた緊急情報を見て受入可否の判断を行って、受入れが可能であると判断した場合には、病院端末５０に設けられている入力手段５７０を介して受入れ情報を入力、又は表示手段５７２上に表示されている「受入」ボタンを選択して受入可能情報を入力するようにしてもよい。するとその受入可能情報は情報処理手段５８０がバス５９９を介して読み取って、傷病者の受入れが可能であると判断して次のＳ５０６の処理に進む。
【０１３４】
Ｓ５０６にて情報処理手段５８０は、送受信手段５６５及び通信回線５６４を介してサーバ９０に対して受入可能情報又は受入可否情報と、当該病院を識別する通信アドレス又は病院名、２次救急、３次救急等の識別情報と、必要に応じて当該救急病院が存在する位置を示す病院位置情報とを送信する処理を行う。受入可能情報の送信が終了すると、情報処理手段５８０が実施する処理は次のＳ５１２「通信確立」に進む。
【０１３５】
またＳ５０４にて情報処理手段５８０が、Ｓ５００にて受信した緊急情報の全てが記録手段５８４から読み出した病院情報に含まれていないと判断した場合には、情報処理手段５８０が実施する処理はＳ５００に戻り、再び緊急情報の受信を待つ処理を行う。
【０１３６】
サーバ９０では、Ｓ９０８「受入可能情報受信？」にて、１乃至複数の病院端末５０、５０Ａ…からの受入可能情報等の受信を待つ処理を行う。１乃至複数の病院端末５０、５０Ａ…から受入可能情報を受信すると、情報処理手段９８０は受信した受入可能情報をメモリ９８１又は記録手段９８４に記録する処理を行う。そして、必要に応じてカレンダ時計９９０が計数している時間を読み取って、所定の時間が経過したと判断した場合等には、情報処理手段９８０が実施する処理は次のＳ９１０「順位設定・送信」の処理に進む。
【０１３７】
Ｓ９１０にて情報処理手段９８０（順位設定手段）は、Ｓ９０８にて病院端末５０、５０Ａ…から受信した受入可能な複数の病院が存在する複数の病院位置情報と、Ｓ９００にて受信した救急現場の位置情報とをそれぞれ比較する処理を行う。そして、傷病者を受入れ可能な病院と救急現場との距離、又は傷病者搬入までの予想移動時間が短い順に、受入れ可能な病院の順位を設定する処理を行う。そして、設定した受入れ可能な病院名とその順位を、送受信手段９６５又は送受信手段９６８を介して、ヘッドセット端末３０又は傷病者側端末４０に送信する処理を行う。
【０１３８】
受入れ可能な病院名とその順位との送信が終了すると、情報処理手段９８０が実施する処理は次のＳ９１２「順位表示」の処理に進む。なお、受入れ可能である旨の情報を受信した救急病院に対して、その救急現場から急行するときの予想移動時間を算出する際に、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ  ）等の道路交通情報通信システムが発信する道路の混雑情報を受信して、当該混雑状況に基づいて予想移動時間を算出するようにしてもよい。
【０１３９】
サーバ９０から受入れ可能な病院名や病院位置情報とその順位を受信したヘッドセット端末３０等では、Ｓ３０６「順位表示」にて表示手段３７２に対して受入れ可能な病院名とその順位、又は受入可否情報と通信アドレス若しくは病院の識別情報とを関連付けたものを表示する処理を行う。そして次のＳ３０８「ルート表示」にて自動で情報処理手段３８０がメモリ３８１等の記録手段に記録されている救急現場周辺（現在位置周辺）の地図情報を読み出して表示し、救急現場から受入れ可能な救急病院までの最適ルートを表示手段３７２に併せて表示する。
【０１４０】
なお、このとき病院端末５０からサーバ９０を介して受信した病院位置情報又は、メモリ３８１等の記録手段に病院と関連付けて記録されている病院位置情報と、位置取得手段３５８等が取得した位置情報とに基づいて、両者の位置関係を表示するようにしてもよい。また、前記最適ルートの表示は、救急隊員が救急車両２０の最適ルート表示を指示した後に表示手段３７２に表示するようにしてもよい。
【０１４１】
一方のサーバ９０の情報処理手段９８０は、Ｓ９１２にて表示手段９７２に対して受入れ可能な病院名とその順位、又は受入可否情報と通信アドレス若しくは病院の識別情報とを関連付けたものを表示する処理を行う。そして、医師が入力手段９７０を介して緊急車両の最適ルート表示を指示すると、Ｓ９１４「ルート表示」にて情報処理手段９８０は記録手段９８４に記録されている地図情報を読み出して表示し、救急現場から受入れ可能な救急病院までの最適ルートを表示手段９７２に併せて表示する。なお、このとき病院端末５０から受信した病院位置情報又は記録手段９８４に病院と関連付けて記録されている病院位置情報と、位置取得手段３５８等が取得した位置情報とに基づいて、両者の位置関係を表示するようにしてもよい。
【０１４２】
図１０は、表示手段９７２又は表示手段３７２に表示される最適ルートの表示例である。
【０１４３】
同図に示すように、サーバ９０の表示手段９７２又はヘッドセット端末３０の表示手段３７２には、救急車両２０が通行すべく最適ルートが表示されるので、消防本部又は災害救急センターに常駐する医師は、救急車両２０に対して受入れ可能な救急病院までの最適ルートを指示することが可能となる。また、救急車両２０に搭乗する救急隊員等は受入れ可能な救急病院までの最適ルートを容易に知ることが可能となる。
【０１４４】
Ｓ９１６にて情報処理手段９８０は、Ｓ９１０にて設定した順位に基づいて傷病者の搬送先を決定する。また、傷病者の搬送先は、Ｓ９１４にて表示手段９７２に表示した最適ルートに基づいて、医師が決定するようにしてもよい。搬送先が決定すると、傷病者の搬送先情報は、送受信手段９６５又は送受信手段９６８を介してヘッドセット端末３０又は傷病者側端末４０に送信される。
【０１４５】
そして情報処理手段９８０が実施する処理は、次のＳ９１８「緊急情報発信停止」に進み、搬送先の救急病院が決定したことを受けて、Ｓ９０６にて送信を開始した緊急情報の発信を停止する処理を行う。緊急情報の発信停止処理が終了すると、サーバ９０の情報処理手段９８０が実施する処理はＳ９２２「終了」に進み、一連の搬送先自動選択処理を終了する。また、更に搬送先自動選択処理を継続する場合には、Ｓ９００に戻り緊急情報の受信処理を行う。
【０１４６】
一方、ヘッドセット端末３０の情報処理手段３８０が実施する処理は、自動で、又は救急隊員の指示等に基づいてＳ３１２「通信確立」に進み、受入可能情報を送信した病院端末５０の通信アドレスに対して無線の通信を確立して通信の接続処理を行う。当該通信の確立は、ヘッドセット端末３０から病院端末５０側に対して携帯電話用無線通信回線や公衆回線、汎用無線通信回線等の通信手段を介してダイヤルアップ等を行ってもよいし、専用の無線通信手段を用いて通信の接続処理を行ってもよい。
【０１４７】
病院端末５０側では、Ｓ５１２「通信確立」にて情報処理手段５８０が、送受信手段５６５を介して呼出し信号をヘッドセット端末３０から受信すると、通信可能である旨の応答を返して、その後ヘッドセット端末３０と通信を確立する処理を行う。
【０１４８】
双方の通信機器間で通信が確立すると、ヘッドセット端末３０の情報処理手段３８０が実施する処理はＳ３１４「情報受信？」の処理に進み、病院端末５０から音声情報等を受信するのを待つ処理を行う。
【０１４９】
ベッドセット端末３０が病院端末５０から音声等の情報を受信すると、情報処理手段３８０が実施する処理は次のＳ３１６「発音」に進み、受信した音声情報を所定の時間間隔で発音処理手段３５７に出力する。音声情報を取得した発音処理手段３５７は、取得した音声情報をアナログの音声データに変換して増幅し、ヘッドフォン又はスピーカ等の発音手段３５６に出力する。なお、音声情報を音声認識手段によって文字情報に変換した場合には、文字情報を表示手段３７２に表示する。
【０１５０】
Ｓ３１６にて発音処理が終了すると、Ｓ３１８「撮像送信」にて情報処理手段３８０は、撮像手段３５０が撮像した傷病者の症状画像を画像処理手段３５１から取得し、集音手段３５４が集音した音声を音声処理手段３５５から取得するとともに、必要に応じて取得した傷病者の生体情報を取得して、送受信手段３６８を介して病院端末５０に送信する処理を行う。
【０１５１】
次に、情報処理手段３８０が実施する処理はＳ３２０「通信終了？」の判断に進み、救急隊員等から通信を終了する旨の指示を入力したか否かの判断を行っている。もし、通信を終了する旨の指示を入力していないと判断した場合には、処理はＳ３１４に戻る。
【０１５２】
また、救急車両２０が所定の救急病院に到着するなどして、通信を終了する旨の指示を入力したと判断した場合には、情報処理手段３８０が実施する処理はＳ３２２「終了」に進み、ヘッドセット端末３０における一連の搬送先自動選択処理を終了する。
【０１５３】
また病院端末５０側では、Ｓ５１２にて双方の通信処理が確立すると、病院端末５０の情報処理手段５８０が実施する処理はＳ５１４「情報受信？」の処理に進み、ヘッドセット端末３０から傷病者の症状画像、音声、生体情報等の情報を受信するのを待つ処理を行う。
【０１５４】
病院端末５０がベッドセット端末３０から傷病者の症状画像、音声、生体情報等の情報を受信すると、情報処理手段５８０が実施する処理は次のＳ５１６「表示発音」に進み、先ず受信した音声情報を所定の時間間隔で発音処理手段５５７に出力し、更に受信した症状画像及び生体情報を表示用の画像データに変換する処理を行って、表示手段５７２に出力する。なお、音声情報として、音声認識手段によって文字情報に変換した情報を受信した場合には、その文字情報を表示手段５７２に出力する。
【０１５５】
前記音声情報を取得した発音処理手段５５７は、取得した音声情報をアナログの音声データに変換し増幅して、ヘッドフォン又はスピーカ等の発音手段５５６に出力する。また、症状画像や生体情報は表示手段５７２に表示される。
【０１５６】
Ｓ５１６にて発音処理及び表示処理が終了すると、情報処理手段５８０は集音手段５５４が集音した音声を音声処理手段５５５から取得し、送受信手段５６５を介してヘッドセット端末３０に送信する処理を行う。また、音声情報を音声認識手段によって文字情報に変換して、その文字情報をヘッドセット端末３０に送信するようにしてもよい。
【０１５７】
次に、情報処理手段５８０が実施する処理はＳ５２０「通信終了？」の判断に進み、病院の医師等から通信を終了する旨の指示を入力したか否かの判断を行っている。もし、通信を終了する旨の指示を入力していないと判断した場合には、処理はＳ５１４に戻る。また、救急車両２０が所定の救急病院に到着するなどして、通信を終了する旨の指示を入力したと判断した場合には、情報処理手段５８０が実施する処理はＳ５２２「終了」に進み、病院途端末５０における一連の搬送先自動選択処理を終了する。また、更に搬送先自動選択処理を継続する場合には、Ｓ５００に戻り緊急情報の受信処理を行う。
【０１５８】
なお、上記の実施例では、救急隊員がヘッドセット端末３０を操作して撮像した症状画像をサーバ９０に送信して搬送先の救急病院を選択する実施例で説明したが、救急隊員はヘッドセット端末３０を用いる代わりに傷病者側端末４０を用いて撮像した症状画像をサーバ９０に送信して、搬送先の救急病院を選択するようにしてもよい。
【０１５９】
図１１は、搬送先自動選択システムを用いた搬送先自動選択処理の第２の実施例を示すイベントトレース図である。
【０１６０】
事故により傷病者が発生すると、図７に示すように救急隊員がヘッドセット端末３０を装着して傷病者の診断を開始する。そして救急隊員がヘッドセット端末３０に設けられている入力手段３７０を介して撮像指令を入力する。なお、救急隊員は、ヘッドセット端末３０を用いて症状画像を撮像する代わりに、傷病者側端末４０を用いて症状画像の撮像を行って以降の搬送先自動選択処理を実施するようにしてもよい。
【０１６１】
入力手段３７０を介して入力された撮像指令は、バス３９９を介して情報処理手段３８０が取得する。すると情報処理手段３８０が実施する処理は、ステップＳ３３０「撮像開始」に進み、画像処理手段３５１に対して撮像の指示を開始する。
【０１６２】
撮像手段３５０が光電変換した画像信号は画像処理手段３５１にて画像処理され、出力された画像データはメモリ３８１に一時記憶する。メモリ３８１に記憶された画像データは、後段の処理にて所定の圧縮形式に圧縮処理した後に、送受信手段３６８とアンテナ３６６を介して病院端末５０、５０Ａ…に対して送信することが可能となっている。撮像処理が開始されると、情報処理手段３８０が実施する処理は次のＳ３３２「位置情報取得」の処理に進む。
【０１６３】
次のＳ３３２にて情報処理手段３８０は、位置取得手段３５８から現在存在する位置の情報（位置情報）を取得する処理を行う。
【０１６４】
次に、救急隊員から傷病者やその傷病者の症状に関する情報（重症、軽傷、裂傷、骨折、脈拍、心拍数、血圧、呼吸数、酸素飽和度、心電図等の生体情報の測定情報その他の症状に関する情報を集音手段３５４又はＩ／Ｏを介して入力する）を入力して、通信開始の指示を入力手段３７０を介して入力すると、情報処理手段３８０が実施する処理はＳ３３４「救急病院選出」の処理に進む。
【０１６５】
Ｓ３３４にて情報処理手段３８０は、メモリ３８１等の記録手段に予め記録されている救急病院の存在位置情報を読み出して、Ｓ３３２にて取得した位置情報と比較する処理を行う。そして、現在位置から所定の距離以内に存在する救急病院（現場に近い救急病院）を１乃至複数選出する処理を行う。
【０１６６】
なおメモリ３８１等の記録手段には、救急病院の住所、電話番号、規模、対応可能な専科、救急病院における空きベッド数や勤務している医師の情報又は受入れ可能な患者の症状等の情報を予め救急病院側から受信して記録しておき、救急隊員が入力した傷病者の人数や、傷病者の症状等の緊急情報に応じて救急病院を選出するようにしてもよい。Ｓ３３４にて１乃至複数の救急病院の選出処理が終了すると、情報処理手段３８０が実施する処理は次のＳ３３６「緊急情報発信」の処理に進む。
【０１６７】
Ｓ３３６にて情報処理手段３８０は、前記選出した１乃至複数の病院の通信アドレス（ＩＰアドレス、ＤＮＳ、電話番号等であってもよい）をメモリ３８１等の記録手段から読み出して、当該読み出した通信アドレスに対して症状画像又は生体情報を含む緊急情報を送信する処理を行う。当該緊急情報は、送受信手段３６８と基地局８０、通信網７０、通信回線５６４、５６４Ａ…を介して１乃至複数の救急病院の病院端末５０、５０Ａ…の通信アドレスに対して、連続して送信、又は同時にストリーミングにより一斉送信する。
【０１６８】
このとき、通信網７０としてインターネット等の通信網を利用する場合には、当該情報はＴＣＰ（Ｔｒａｎｓｍｉｓｓｉｏｎ  Ｃｏｎｔｒｏｌ  Ｐｒｏｔｏｃｏｌ）を用いて送信してもよいし、ＵＤＰ（Ｕｓｅｒ  Ｄａｔａ  ｇｒａｍ  Ｐｒｏｔｏｃｏｌ）を用いて送信するようにしてもよい。またＳ９０６にて、緊急情報を送信した救急病院のリストを表示手段３７２に表示するようにしてもよい。
【０１６９】
ヘッドセット端末３０又は傷病者側端末４０から送信される緊急情報には、緊急である旨の情報のほか、当該ヘッドセット端末３０又は傷病者側端末４０を識別する識別情報、傷病者の人数、年齢、性別、症状、生体情報、位置情報、症状画像、音声情報等が含まれていてもよい。また、音声情報は、音声認識手段によって文字情報に変換した文字情報であってもよい。
【０１７０】
病院端末５０、５０Ａ等の情報処理手段５８０では、Ｓ５３０「緊急情報受信？」にて、公衆回線等の通信手段を介してヘッドセット端末３０等から緊急情報の受信を待つ処理を行っている。Ｓ５３０にて情報処理手段５８０が、送受信手段５６５を介して緊急情報を受信したと判断した場合には、受信した緊急情報をメモリ５８１又は記録手段５８４に記録する処理を行う。
【０１７１】
次のＳ５３２「表示・呼出」にて情報処理手段５８０は、Ｓ５３０にて受信した緊急情報等を表示手段５７２に表示する処理を行うとともに、発音手段５５６から呼出し音を発する処理を行って、医師を呼び出す。また、発音手段５５６を介して直接医師を呼び出す代りに、医師が携行しているポケットベルやＰＨＳ等の端末に対して緊急情報等を送信して、緊急情報の通知や呼び出しの指示をするようにしてもよい。このようにして、救急隊員側から症状画像が届いた際に、その旨を自動で医師に対して通知することが可能となる。
【０１７２】
表示手段５７２には、図８及び図９に示した緊急情報及び画像が表示される。病院の医師は、表示手段５７２に表示されている情報を見ながら傷病者の症状を判断して、現場に居る救急隊員に対して映像又は音声による指示や指導を行うことが可能となっている。また、現場の救急隊員は、病院の医師から音声または画像による指示を受信して、傷病者に対して適切な初期処置を行うことが可能となっている。
【０１７３】
次のＳ５３４「受入可能？」の判断では、病院端末５０、５０Ａ…の情報処理手段５８０（検索手段）は、記録手段５８４に予め記録されている当該救急病院にて対応可能な専科、症状画像、心拍数、血圧、呼吸数、酸素飽和度、心電図情報、治療可能な症状、救急病院における空きベッド数、受入可能な傷病者の人数や勤務している医師の情報等の病院情報を読み出して、Ｓ５３０にて受信した緊急情報と比較する処理を行う。そして、受信した生体情報が、記録手段５８４に記録されている病院情報に含まれているか否かを判断する処理を行う。
【０１７４】
そして、Ｓ５３０にて受信した緊急情報が記録手段５８４から読み出した病院情報に含まれると判断した場合には、情報処理手段５８０が実施する処理はＳ５３６「受入可能情報送信」に進む。
【０１７５】
なお、Ｓ５３４にて、受信した生体情報が記録手段５８４に記録されている病院情報に含まれていると判断した場合には、情報処理手段５８０は緊急情報を受信した旨を、音声、光、又は振動にて、医師等の病院の者に対して通知するようにしてもよい。この通知は、病院端末５０の指示に基づいて、医師等が携行しているポケットベルやＰＨＳ等の携帯端末が実施するようにしてもよい。
【０１７６】
またＳ５３４の判断にて、情報処理手段５８０が記録手段５８４に記録されている病院情報を読み出して傷病者の受入れ可否を判断する代わりに、病院の医師がベッドセット端末３０等から送信されてきた緊急情報を見て受入可否の判断を行って、受入れが可能であると判断した場合には、病院端末５０に設けられている入力手段５７０を介して受入れ情報を入力、又は表示手段５７２上に表示されている「受入」ボタンを選択して受入可能情報を入力するようにしてもよい。するとその受入可能情報は情報処理手段５８０がバス５９９を介して読み取って、傷病者の受入れが可能であると判断して次のＳ５３６の処理に進む。
【０１７７】
Ｓ５３６にて情報処理手段５８０は、送受信手段５６５及び通信回線５６４を介してヘッドセット端末３０等に対して受入可能情報又は受入可否情報と、当該病院を識別する通信アドレス又は病院名等の識別情報と、必要に応じて当該救急病院が存在する位置を示す病院位置情報とを送信する処理を行う。受入可能情報の送信が終了すると、情報処理手段５８０が実施する処理は次のＳ５４６「通信確立」に進む。
【０１７８】
またＳ５３４にて情報処理手段５８０が、Ｓ５３０にて受信した緊急情報の全てが記録手段５８４から読み出した病院情報に含まれていないと判断した場合には、情報処理手段５８０が実施する処理はＳ５３０に戻り、再び緊急情報の受信を待つ処理を行う。
【０１７９】
ヘッドセット端末３０等では、Ｓ３３８「受入可能情報受信？」にて、１乃至複数の病院端末５０、５０Ａ…からの受入可能情報の受信を待つ処理を行う。１乃至複数の病院端末５０、５０Ａ…から受入可能情報を受信すると、情報処理手段３８０は受信した受入可能情報をメモリ３８１等の記録手段に記録する処理を行う。そして、必要に応じてカレンダ時計３９０が計数している時間を読み取って、所定の時間が経過したと判断した場合等には、情報処理手段３８０が実施する処理は次のＳ３４０「順位設定・送信」の処理に進む。
【０１８０】
Ｓ３４０にて情報処理手段３８０（順位設定手段）は、Ｓ３３８にて病院端末５０、５０Ａ…から受信した受入可能な複数の病院が存在する複数の病院位置情報と、Ｓ３３３にて取得した救急現場の位置情報とをそれぞれ比較する処理を行う。そして、傷病者を受入れ可能な病院と救急現場との距離、又は傷病者搬入までの予想移動時間が短い順に、受入れ可能な病院の順位を設定する処理を行う。そして、設定した受入れ可能な病院名とその順位、又は受入可否情報と通信アドレス若しくは病院の識別情報とを関連付けたものを表示手段３７２等に表示する処理を行う。
【０１８１】
受入れ可能な病院名や病院位置情報とその順位との表示が終了すると、情報処理手段３８０が実施する処理は次のＳ３４２「ルート表示」の処理に進む。なお、受入れ可能である旨の情報を受信した救急病院に対して、その救急現場から急行するときの予想移動時間を算出する際には、上述の場合と同様にＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ  ）等の道路交通情報通信システムが発信する道路の混雑情報を受信して、当該混雑状況に基づいて予想移動時間を算出するようにしてもよい。
【０１８２】
次のＳ３４３「ルート表示」では、自動で情報処理手段３８０がメモリ３８１等の記録手段に記録されている救急現場周辺（現在位置周辺）の地図情報を読み出して表示し、救急現場から受入れ可能な救急病院までの最適ルートを表示手段３７２に併せて表示する（図１０参照）。なお、このとき病院端末５０から受信した病院位置情報又はメモリ３８１等の記録手段に病院と関連付けて記録されている病院位置情報と、位置取得手段３５８等が取得した位置情報とに基づいて、両者の位置関係を表示するようにしてもよい。また、前記最適ルートの表示は、救急隊員が救急車両２０の最適ルート表示を指示した後に表示手段３７２に表示するようにしてもよい。
【０１８３】
図１０に示すように、ヘッドセット端末３０の表示手段３７２、又は傷病者側端末４０の表示手段４７２には、救急車両２０が通行すべく最適ルートが表示されるので、救急車両２０に搭乗する救急隊員は受入れ可能な救急病院までの最適ルートを容易に知ることが可能となる。
【０１８４】
Ｓ３３４にて情報処理手段３８０は、Ｓ３４０にて設定した順位に基づいて傷病者の搬送先を決定する。また、傷病者の搬送先は、Ｓ３４０にて表示手段３７２等に表示した最適ルートに基づいて、救急隊員が決定するようにしてもよい。搬送先が決定すると、搬送先の救急病院が決定したことを受けて、Ｓ３３６にて送信を開始した緊急情報の発信を停止する処理を行う。緊急情報の発信停止処理が終了すると、ヘッドセット端末３０等の情報処理手段３８０が実施する処理は自動で、又は救急隊員の指示等に基づいてＳ３４６「通信確立」に進み、受入可能情報を送信した病院端末５０の通信アドレスに対して無線の通信を確立して通信を接続する処理を行う。当該通信の確立は、ヘッドセット端末３０から病院端末５０側に対して携帯電話用無線通信回線や公衆回線、汎用無線通信回線等の通信手段を介してダイヤルアップ等を行ってもよいし、専用の無線通信手段を用いて通信を接続するようにしてもよい。
【０１８５】
病院端末５０側では、Ｓ５４６「通信確立」にて情報処理手段５８０が、送受信手段５６５を介して呼出し信号をヘッドセット端末３０から受信すると、通信可能である旨の応答を返して、その後ヘッドセット端末３０と通信を確立する処理を行う。
【０１８６】
双方の通信機器間で通信が確立すると、ヘッドセット端末３０の情報処理手段３８０が実施する処理はＳ３４８「情報受信？」の処理に進み、病院端末５０から音声情報等を受信するのを待つ処理を行う。
【０１８７】
ベッドセット端末３０が病院端末５０から音声等の情報を受信すると、情報処理手段３８０が実施する処理は次のＳ３５０「発音」に進み、受信した音声情報を所定の時間間隔で発音処理手段３５７に出力する。音声情報を取得した発音処理手段３５７は、取得した音声情報をアナログの音声データに変換して増幅し、ヘッドフォン又はスピーカ等の発音手段３５６に出力する。
【０１８８】
Ｓ３５０にて発音処理が終了すると、情報処理手段３８０はＳ３５２「撮像送信」にて、撮像手段３５０が撮像した傷病者の症状画像を画像処理手段３５１から取得し、集音手段３５４が集音した音声を音声処理手段３５５から取得するとともに、必要に応じて取得した傷病者の生体情報を取得して、送受信手段３６８を介して病院端末５０に送信する処理を行う。
【０１８９】
次に、情報処理手段３８０が実施する処理はＳ３５４「通信終了？」の判断に進み、救急隊員等から通信を終了する旨の指示を入力したか否かの判断を行っている。もし、通信を終了する旨の指示を入力していないと判断した場合には、処理はＳ３４８に戻る。
【０１９０】
また、救急車両２０が所定の救急病院に到着するなどして、通信を終了する旨の指示を入力したと判断した場合には、情報処理手段３８０が実施する処理はＳ３５６「終了」に進み、ヘッドセット端末３０における一連の搬送先自動選択処理を終了する。
【０１９１】
また病院端末５０側では、Ｓ５４６にて双方の通信処理が確立すると、病院端末５０の情報処理手段５８０が実施する処理はＳ５４８「情報受信？」の処理に進み、ヘッドセット端末３０から傷病者の症状画像、音声、生体情報等の情報を受信するのを待つ処理を行う。
【０１９２】
病院端末５０がベッドセット端末３０から傷病者の症状画像、音声、生体情報等の情報を受信すると、情報処理手段５８０が実施する処理は次のＳ５５０「表示発音」に進み、先ず受信した音声情報を所定の時間間隔で発音処理手段５５７に出力し、更に受信した症状画像及び生体情報を表示用の画像データに変換する処理を行って、表示手段５７２に出力する。
【０１９３】
前記音声情報を取得した発音処理手段５５７は、取得した音声情報をアナログの音声データに変換し増幅して、ヘッドフォン又はスピーカ等の発音手段５５６に出力する。また、症状画像や生体情報は表示手段５７２に表示される。
【０１９４】
Ｓ５５０にて表示処理及び発音処理が終了すると、情報処理手段５８０は集音手段５５４が集音した音声を音声処理手段５５５から取得し、送受信手段５６５を介してヘッドセット端末３０に送信する処理を行う。
【０１９５】
次に、情報処理手段５８０が実施する処理はＳ５５４「通信終了？」の判断に進み、病院の医師等から通信を終了する旨の指示を入力したか否かの判断を行っている。もし、通信を終了する旨の指示を入力していないと判断した場合には、処理はＳ５４８に戻る。また、救急車両２０が所定の救急病院に到着するなどして、通信を終了する旨の指示を入力したと判断した場合には、情報処理手段５８０が実施する処理はＳ５５６「終了」に進み、病院途端末５０における一連の搬送先自動選択処理を終了する。また、更に搬送先自動選択処理を継続する場合には、Ｓ５３０に戻り緊急情報の受信処理を行う。
【０１９６】
なお、上記の実施例では、救急隊員がヘッドセット端末３０を操作して撮像した症状画像をサーバ９０に送信して搬送先の救急病院を選択する実施例で説明したが、救急隊員はヘッドセット端末３０を用いる代わりに傷病者側端末４０を用いて撮像した症状画像をサーバ９０に送信して、搬送先の救急病院を選択するようにしてもよい。
【０１９７】
以下に、本発明に係る傷病者データベース生成装置について説明する。
【０１９８】
図６に示すＳ９００にて、サーバ９０（傷病者データベース生成装置）が傷病者データベースを生成する場合には、図６に示すＳ９００以降にて傷病者データベースを生成する処理を行う。
【０１９９】
Ｓ９００にてサーバ９０の情報処理手段９８０が、ヘッドセット端末３０又は傷病者側端末４０（救急現場の端末）から、送受信手段９６５又は送受信手段９６８を介して受信した緊急情報を記録手段９８４に記録する際に、緊急情報として受信した傷病者の人数、年齢、性別、症状、症状画像、音声情報、心拍数、血圧、呼吸数、酸素飽和度、心電図情報等の複数の生体情報をそれぞれ関連付けて、発生した事故の事件毎に１組の生体情報として記録する処理を行う。
【０２００】
このように、受信した複数の生体情報をそれぞれ関連付けて、事件毎に１組の生体情報として記録手段９８４に記録することによって、傷病者データベースを自動で構築することが可能となる。従来は、救急活動の終了後に救急救命士等の救急隊員が状況や活動内容を文書化して報告書の形式にして作成、提出していたのであるが、本発明に係る傷病者データベースを自動で生成することによって、救急隊員の報告書作成作業を軽減することが可能となる。
【０２０１】
また、救急現場で取得した傷病者の人数、年齢、性別、症状、症状画像、音声情報、心拍数、血圧、呼吸数、酸素飽和度、心電図情報等の複数の生体情報を一括して事件毎に関連付けて検索容易な状態で記録することが可能となるので、救急活動の状況や結果の詳細が保存されることになる。そしてこれらの詳細な救急活動の結果は、医師側の検証によって医療の質の確保に役立てるとともに、将来発生し得る救急活動のマニュアル、緊急災害時の対応マニュアルとしてトレーニングの場などで活用することが可能となる。
【０２０２】
なお、上記の例では、サーバ９０の記録手段９８４に傷病者データベースを生成する実施例で説明したが、本発明はサーバ９０にて傷病者データベースを生成することに限定されるものではなく、ヘッドセット端末３０のメモリ３８１や、傷病者側端末４０の不揮発性メモリ４８３等の記録手段、又は病院端末５０の記録手段５８４において傷病者データベースを生成するようにしても、本発明の目的を達成することが可能である。
【０２０３】
利用者が、前記傷病者データベースから救急活動の詳細を探して閲覧する場合には、以下に示す処理を行って救急活動の結果を取得することが可能となる。
【０２０４】
サーバ９０の記録手段９８４には、傷病者の人数、年齢、性別、症状、症状画像、音声情報、心拍数、血圧、呼吸数、酸素飽和度、心電図情報等の複数の生体情報がそれぞれ関連付けられて事件毎に１組の生体情報として記録されている。利用者が、サーバ９０に設けられている入力手段９７０を操作して複数の生体情報と検索を実行する旨の情報を入力すると（又は送受信手段９６５若しくは送受信手段９６８を介して他の通信機器から複数の生体情報と検索を実行する旨の情報を受信すると）、当該入力した情報は情報処理手段９８０がバス９９９を介して読み取る。
【０２０５】
情報処理手段９８０（生体情報取得手段）が前記複数の生体情報と検索を実行する旨の検索情報を入力すると、入力した生体情報と関連付けて記録手段に記録されている事件毎の生体情報の組合せを読み出す処理を行う。次に情報処理手段９８０（順位設定手段）は、前記読み出した事件毎の生体情報の組合せの中から、前記検索情報とともに入力した生体情報が多く含まれる順にその事件毎の生体情報の順位を設定する処理を行う。
【０２０６】
そして情報処理手段９８０は、前記設定した順位とその事件毎の生体情報の組合せの表示情報を表示手段９７２に出力する。すると表示手段９７２には、設定した順位とその事件毎の生体情報の組合せが表示されるので、利用者は緊急災害時の対応データベースから緊急災害時の対応結果を取得することが可能となる。
【０２０７】
なお、上記の例では、サーバ９０にて傷病者データベースの検索を行う実施例で説明したが、本発明はサーバ９０における検索処理に限定されるものではなく、ヘッドセット端末３０や傷病者側端末４０、又は病院端末５０において傷病者データベースの検索を行うようにしても本発明の目的を達成することが可能である。
【０２０８】
【発明の効果】
以上、本発明に係る搬送先自動選択装置ならびに搬送先自動選択システムによれば、救急現場で撮像した傷病者等の症状画像を複数の病院の通信アドレスに対して略同時に送信するようにしたので、複数の救急病院に対して早急に傷病者等の受入れ可否の判断を求めることが可能となる。また、医師が救急救命措置に関する的確な判断を早期に行うことが可能となる。
【０２０９】
また、請求項２に記載の発明によれば、救急現場で取得した傷病者の心拍数、血圧、呼吸数、酸素飽和度、心電図情報等の生体情報を、複数の病院の通信アドレスに対して略同時に送信するようにしたので、複数の救急病院に対して早急に傷病者の受入れ可否の判断を求めることが可能となる。また、医師が救急救命措置に関する的確な判断を早期に行うことが可能となる。
【０２１０】
また、請求項３に記載の発明によれば、救急現場で集音した傷病者の症状に関する音声の生体情報を、複数の病院の通信アドレスに対して略同時に送信するようにしたので、複数の救急病院に対して早急に傷病者の受入れ可否の判断を求めることが可能となる。また、医師が救急救命措置に関する的確な判断を早期に行うことが可能となる。
【０２１１】
また、請求項４に記載の発明によれば、受信した傷病者等の受入可否情報を、病院の通信アドレス又は病院の識別情報と関連付けて表示する表示手段を備えたので、救急隊員は傷病者等を受入れ可能な救急病院を早期に知ることが可能となる。
【０２１２】
また、請求項５に記載の発明によれば、受入可能情報を送信した病院の通信アドレスに対して通信接続する通信手段を備えたので、救急隊員は早期に傷病者等を受入れ可能な救急病院と情報の交換を行うことが可能となり、救急病院の医師から救急救命措置に関する指示を取得して、傷病者等に対して適切な初期措置を施すことが可能となる。
【０２１３】
また、請求項６に記載の発明によれば、救急病院から傷病者等を受け入れることが可能であることを示す受入可能情報と病院位置情報とを受信して、傷病者等を受入れ可能な救急病院の位置と救急車両の位置関係を表示するようにしたので、救急隊員は傷病者等の搬送先の救急病院までの道順を的確に知ることが可能となる。
【０２１４】
また、請求項７に記載の発明によれば、救急病院から傷病者等を受け入れることが可能であることを示す受入可能情報と病院の識別情報とを受信して、傷病者等を受入れ可能な救急病院の位置と救急車両の位置関係を表示するようにしたので、救急隊員は傷病者等の搬送先の救急病院までの道順を的確に知ることが可能となる。
【０２１５】
また、請求項８に記載の発明によれば、受信した複数の病院位置情報と前記位置情報とをそれぞれ比較して両者の位置が近い順に病院の順位を表示手段に表示するようにしたので、救急隊員は傷病者等を受入れ可能な複数の救急病院の中から最適な救急病院を選択することが可能となる。
【０２１６】
また、請求項９に記載の発明によれば、傷病者等の生体情報を傷病者側の端末から受信して、予め記録されている複数の病院の複数の通信アドレスに対して連続して送信又は同時に送信する第１の送信手段とを備えたので、複数の救急病院に対して早急に傷病者等の受入れ可否の判断を求めることが可能となる。また、医師が救急救命措置に関する的確な判断を早期に行うことが可能となる。
【０２１７】
また、請求項１０に記載の発明によれば、受信した傷病者等の受入可否情報を傷病者側の通信端末に送信するようにしたので、傷病者側の救急隊員は、傷病者等を受入れ可能な救急病院を早期に知ることが可能となる。
【０２１８】
また、請求項１１に記載の発明によれば、受信した複数の病院位置情報と救急車両の位置情報とをそれぞれ比較して、両者の位置が近い順に病院の順位を表示手段に表示することが可能となるので、消防本部署側では最適な救急病院を選択して救急車両に指示することが可能となる。また、受信した複数の病院位置情報と救急車両の位置情報とをそれぞれ比較して、両者の位置が近い順に病院の順位を救急車両側の通信機器に送信するようにしたので、救急車両に搭乗している救急隊員は、傷病者等を受入れ可能な複数の救急病院の中から最適な救急病院を選択することが可能となる。
【０２１９】
また、請求項１２に記載の発明によれば、傷病者等を撮像して症状画像を取得してサーバに送信する傷病者側端末と、傷病者側端末から取得した症状画像を複数の病院の複数の通信アドレスに対して連続して送信、又は同時に送信するサーバとを備えたので、サーバ側では複数の救急車両から傷病者等の搬送要求を取得した場合であっても、複数の救急病院に対して効率よく傷病者等の受入れ可否の判断を求めることが可能となる。
【０２２０】
また、請求項１３に記載の発明によれば、救急現場の端末から傷病者に関する複数の生体情報を受信して、それぞれの生体情報を関連付けて事件毎に１組の生体情報として記録するようにしたので、同様の事件が発生した際の緊急災害時の対応データベースを自動で生成することが可能となり、緊急災害時の対応マニュアルとして利用することが可能となる。
【０２２１】
また、請求項１４に記載の発明によれば、傷病者の複数の生体情報をそれぞれ関連付けて事件毎に１組の生体情報として記録する記録手段と、入力手段を介して複数の生体情報と検索を実行する旨の検索指示とを入力すると、入力した生体情報と関連付けて記録手段に記録されている事件毎の生体情報の組合せを読み出して、事件毎の生体情報の組合せ中から検索指示とともに受信した生体情報が多く含まれる順にその事件毎の生体情報の順位を設定し、設定した順位とその事件毎の生体情報の組合せとを表示手段に表示するようにしたので、傷病者の生体情報と検索指示とに基づいて、緊急災害時の対応データベースから緊急災害時の対応結果を取得することが可能となる。
【０２２２】
また、請求項１５に記載の発明によれば、傷病者又は保護者を病院に搬送する搬送手段を備えた移動体に、傷病者又は被保護者を撮像して症状画像を取得する撮像手段と、前記取得した症状画像を複数の病院に対して同時に送信する送信手段とを備えたので、複数の救急病院に対して早急に傷病者の受入れ可否の判断を求めることが可能となる。また、医師が救急救命措置に関する的確な判断を早期に行うことが可能となる。
【０２２３】
また、請求項１６に記載の発明によれば、傷病者又は保護者を病院に搬送する搬送手段を備えた移動体に、傷病者又は被保護者を撮像して症状画像を取得する撮像手段と、複数の病院の複数の通信アドレスを記録する記録手段と、取得した症状画像を前記複数の通信アドレスに対して連続して送信又は同時に送信する送信手段とを備えたので、複数の救急病院に対して早急に傷病者の受入れ可否の判断を求めることが可能となる。また、医師が救急救命措置に関する的確な判断を早期に行うことが可能となる。
【０２２４】
また、請求項１７に記載の発明によれば、取得した生体情報を複数の通信アドレスに対して連続して送信又は同時に送信する通信機器と、通信機器から受信した生体情報が当該病院にて対応可能な条件等（病院情報）に含まれていると判断した場合には傷病者等を受け入れることが可能であることを示す受入可能情報を送信する病院端末とを備えたので、病院側では救急車両側が発した傷病者の受入要求に対して早急に受入可否、又は受入可能の返答を行うことが可能となる。また、救急車両側や消防本部では、病院における傷病者の受入可否、又は受入可能の返答を早急に受信することが可能となる。
【０２２５】
また本発明に係る搬送先自動選択装置並びに搬送先自動選択システムによれば、傷病者の搬送先を早急に決定した後に、救急現場の救急救命士が担当の医師に対して傷病者に関する情報や撮像画像をタイムリーに伝送することが可能となり、当該傷病者に関する情報や撮像画像に基づいて医師が診断することによって、救急救命士に対して適切な助言や指導を行なって、救急救命士は傷病者に対して適切な処置を行うことが可能となる。更に、救急病院にて傷病者を受け入れた後に、経過や状況を把握している医師が引き続き適切な処置を施すことが可能となる。
【０２２６】
また、本発明に係る搬送先自動選択装置並びに搬送先自動選択システムによれば、傷病者の搬送先を決定した後に、搬送先の救急病院で待機する医師と救急救命士との間でリアルタイムな連携を取ることが可能となり、傷病者に対して適切な処置を施すことが可能となるとともに、傷病者の救命率を向上させることが可能となる。
【図面の簡単な説明】
【図１】本発明に係る搬送先自動選択システムの構成を示す図である。
【図２】ヘッドセット端末の信号処理系ブロック図を示す図である。
【図３】傷病者側端末の信号処理系ブロック図を示す図である。
【図４】病院端末の信号処理系ブロック図を示す図である。
【図５】サーバの信号処理系ブロック図を示す図である。
【図６】搬送先自動選択システムを用いた搬送先自動選択処理の第１の実施例を示すイベントトレース図である。
【図７】消防団員又は救急救命士等の救急隊員がヘッドセット端末を装着して傷病者の診断している様子を示す図である。
【図８】サーバの表示手段に表示される緊急情報及び画像の表示例を示す図である。
【図９】サーバの表示手段に表示される緊急情報及び画像の表示例を示す図である。
【図１０】表示手段に表示される最適ルートの表示例である。
【図１１】搬送先自動選択システムを用いた搬送先自動選択処理の第２の実施例を示すイベントトレース図である。
【符号の説明】
２０  救急車両
３０  ヘッドセット端末
４０  傷病者側端末
５０  病院端末
６０  通信回線
７０  通信網
８０  基地局
９０  サーバ
３５０  撮像手段
３５１  画像処理手段
３５４  集音手段
３５５  音声処理手段
３５６  発音手段
３５７  発音処理手段
３５８  位置取得手段
３６６  アンテナ
３６８  送受信手段
３７０  入力手段
３７２  表示手段
３８０  情報処理手段
３８１  メモリ
３９０  カレンダ時計
３９９  バス
４５８  位置取得手段
４６６  アンテナ
４６８  送受信手段
４７０  入力手段
４７２  表示手段
４７５  コネクタ
４７６  Ｉ／Ｏ
４８０  情報処理手段
４８１  メモリ
４８３  不揮発性メモリ
４９０  カレンダ時計
４９９  バス
５５４  集音手段
５５５  音声処理手段
５５６  発音手段
５５７  発音処理手段
５６５  送受信手段
５７０  入力手段
５７２  表示手段
５８０  情報処理手段
５８１  メモリ
５８４  記録手段
５９０  カレンダ時計
５９９  バス
９５４  集音手段
９５５  音声処理手段
９５６  発音手段
９５７  発音処理手段
９６５  送受信手段
９６６  アンテナ
９６８  送受信手段
９７０  入力手段
９７２  表示手段
９８０  情報処理手段
９８１  メモリ
９８４  記録手段
９９０  カレンダ時計
９９９  バス
【図１】
2004171394.tif 000003
【図２】
2004171394.tif 000004
【図３】
2004171394.tif 000005
【図４】
2004171394.tif 000006
【図５】
2004171394.tif 000007
【図６】
2004171394.tif 000008
【図７】
2004171394.tif 000009
【図８】
2004171394.tif 000010
【図９】
2004171394.tif 000011
【図１０】
2004171394.tif 000012
【図１１】
2004171394.tif 000013
【手続補正書】
【提出日】平成15年4月28日(2003.4.28)
【手続補正１】
【補正対象書類名】明細書
【補正対象項目名】全文
【補正方法】変更
【補正の内容】
【特許請求の範囲】
【請求項１】傷病者を撮像して症状画像を取得する撮像手段と、
傷病者の症状を音声として取得する集音手段と、
複数の病院の複数の通信アドレスを記録する記録手段と、
前記取得した症状画像と前記取得した音声の生体情報とを前記複数の通信アドレスに対して連続して送信又は同時に送信する送信手段と、
病院の通信アドレス又は病院の識別情報と、当該病院において傷病者を受け入れることが可能であることを示す受入可能情報を受信する受信手段と、
前記受信した受入可能情報を、病院の通信アドレス又は病院の識別情報と関連付けて表示する表示手段と、
を備えたことを特徴とする搬送先自動選択装置。
【請求項２】取得した音声を文字に変換する音声認識手段を備え、
前記送信手段は、音声認識手段によって変換した後の文字情報を音声の生体情報として送信することを特徴とする請求項１の搬送先自動選択装置。
【請求項３】傷病者の心拍数、血圧、呼吸数、酸素飽和度、傷病者の心電図情報等の生体情報を取得する取得手段を備え、
前記送信手段は、前記取得した生体情報を前記複数の通信アドレスに対して連続して送信又は同時に送信することを特徴とする請求項１又は２の搬送先自動選択装置。
【請求項４】前記受入可能情報を送信した病院の通信アドレスに対して、携帯電話回線、汎用無線通信回線又は専用無線通信回線を介して通信接続する通信手段を備えたことを特徴とする請求項３の搬送先自動選択装置。
【請求項５】前記受信手段は、前記受入可能情報と当該受入れ可能な病院が存在する病院位置情報との組合せを複数の病院から受信し、
現在位置を示す位置情報を取得する位置取得手段と、
前記受入可能情報に基づいて受信した複数の病院位置情報と前記取得した位置情報とをそれぞれ比較して、両者の位置が近い順に病院の順位を設定する順位設定手段と、
を備え、
前記表示手段は、設定した病院の順位を表示することを特徴とする請求項４の搬送先自動選択装置。
【請求項６】傷病者を撮像した症状画像、傷病者の心拍数、血圧、呼吸数、酸素飽和度、傷病者の心電図情報、又は傷病者の症状を音声として記録した音声情報等の生体情報と、救急車両の現在位置を示す位置情報を救急車両側の端末から受信する第１の受信手段と、
複数の病院の複数の通信アドレスを記録する記録手段と、
前記取得した生体情報を前記複数の通信アドレスに対して連続して送信又は同時に送信する第１の送信手段と、
病院の通信アドレスと、当該病院において傷病者を受け入れることが可能であることを示す受入可能情報と、当該受入れ可能な病院が存在する病院位置情報との組合せを複数受信する第２の受信手段と、
前記受信した受入可能情報に基づいて、複数の病院位置情報と救急車両の位置情報とをそれぞれ比較して、両者の位置が近い順に順位を設定する順位設定手段と、
前記設定した病院の順位を表示する表示手段と、
前記設定した病院の順位を救急車両側の端末に対して送信する第２の送信手段と、
を備えたことを特徴とする搬送先自動選択装置。
【請求項７】傷病者を撮像して症状画像を取得する撮像手段と、
傷病者を撮像した症状画像、傷病者の心拍数、血圧、呼吸数、酸素飽和度、傷病者の心電図情報、傷病者の症状、又は傷病者の人数等の生体情報を取得する取得手段と、
複数の病院の複数の通信アドレスを記録する第１の記録手段と、
前記取得した生体情報を前記複数の通信アドレスに対して連続して送信又は同時に送信する第１の送信手段と、
病院の通信アドレス又は病院の識別情報と、当該病院において傷病者を受け入れることが可能であることを示す受入可能情報とを受信する第１の受信手段と、前記受信した受入可能情報を、病院の通信アドレス又は病院の識別情報と関連付けて表示する表示手段と、
を備えた通信機器と、
生体情報を通信機器から受信する第２の受信手段と、
病院にて対応可能な専科、症状画像、心拍数、血圧、呼吸数、酸素飽和度、心電図情報、若しくは治療可能な症状、又は、病院における受入可能な傷病者の人数、空きベッド数、若しくは勤務している医師の情報等の病院情報を記録する第２の記録手段と、
前記受信した生体情報が、前記記録手段に記録されている病院情報に含まれているか否かを判断する検索手段と、
前記判断の結果、受信した生体情報が病院情報に含まれていると判断した場合には、傷病者を受け入れることが可能であることを示す受入可能情報と、当該病院の通信アドレス又は病院の識別情報とを送信する第２の送信手段と、
を備えた病院端末と、
から構成されることを特徴とする搬送先自動選択システム。
【請求項８】画像を取得する撮像手段と、音声を取得する集音手段と、複数の病院の複数の通信アドレスを記録する記録手段と、画像と音声の生体情報を複数の通信アドレスに対して連続して送信又は同時に送信する送信手段と、病院の通信アドレス又は病院の識別情報と受入可能情報とを受信する受信手段と、受入可能情報を病院の通信アドレス又は病院の識別情報と関連付けて表示する表示手段と、前記撮像手段、集音手段、記録手段、送信手段、受信手段、及び表示手段を制御する情報処理手段とを備えた搬送先自動選択装置の情報処理手段にて動作する搬送先自動選択プログラムであって、
前記情報処理手段が、
前記撮像手段に、傷病者を撮像して症状画像を取得する機能と、
前記集音手段に、傷病者の症状を音声として取得する機能と、
前記記録手段から、複数の病院の複数の通信アドレスを取得する機能と、
前記送信手段に、症状画像と音声の生体情報とを複数の通信アドレスに対して連続して送信又は同時に送信する機能と、
前記受信手段に、病院の通信アドレス又は病院の識別情報と、当該病院において傷病者を受け入れることが可能であることを示す受入可能情報とを受信する機能と、
前記表示手段に、受信した受入可能情報と病院の通信アドレス又は病院の識別情報とを関連付けて表示する機能と、
を実現させることを特徴とする搬送先自動選択プログラム。
【請求項９】症状画像、生体情報及び位置情報を救急車両側の端末から受信する第１の受信手段と、複数の病院の複数の通信アドレスを記録する記録手段と、生体情報を複数の通信アドレスに対して連続して送信又は同時に送信する第１の送信手段と、病院の通信アドレスと受入可能情報と病院位置情報との組合せを複数受信する第２の受信手段と、受入可能情報と病院位置情報と救急車両の位置情報とに基づいて両者の位置が近い順に順位を設定する順位設定手段と、病院の順位を表示する表示手段と、設定した病院の順位を救急車両側の端末に対して送信する第２の送信手段と、前記第１の受信手段、記録手段、第１の送信手段、第２の受信手段、順位設定手段、表示手段、及び第２の送信手段を制御する情報処理手段とを備えた搬送先自動選択装置の情報処理手段にて動作する搬送先自動選択プログラムであって、
前記情報処理手段が、
前記第１の受信手段に、傷病者を撮像した症状画像、傷病者の心拍数、血圧、呼吸数、酸素飽和度、傷病者の心電図情報、又は傷病者の症状を音声として記録した音声情報等の生体情報と、救急車両の現在位置を示す位置情報を救急車両側の端末から受信する機能と、
前記記録手段から、複数の病院の複数の通信アドレスを取得する機能と、
前記第１の送信手段に、取得した生体情報を前記複数の通信アドレスに対して連続して送信又は同時に送信する機能と、
前記第２の受信手段に、病院の通信アドレスと当該病院において傷病者を受け入れることが可能であることを示す受入可能情報と当該受入れ可能な病院が存在する病院位置情報との組合せを複数受信する機能と、
前記順位設定手段に、前記受信した受入可能情報に基づいて、複数の病院位置情報と救急車両の位置情報とをそれぞれ比較して、両者の位置が近い順に順位を設定する機能と、
前記表示手段に、設定した病院の順位を表示する機能と、
前記第２の送信手段に、前記設定した病院の順位を救急車両側の端末に対して送信する機能と、
を実現させることを特徴とする搬送先自動選択プログラム。
【発明の詳細な説明】
【０００１】
【発明の属する技術分野】
本発明は、傷病者等を救急病院に搬送する際に用いる搬送先自動選択装置、傷病者データベース生成装置、傷病者データベース検索装置並びに移動体に関する。
【０００２】
【従来の技術】
従来、救急車両を用いて傷病者を搬送する際には、傷病者の疾患の状態に応じて緊急車両に搭乗している救急救命士等が携帯電話等の無線通話機を用いて１乃至複数の病院に１軒１軒順番に連絡し、病院の空き状況や病院の受け入れ態勢を順番に確認した後に傷病者の受け入れ先の病院を決定して、その決定した病院に傷病者を搬送していた。
【０００３】
具体的には、先ず通報者からの消防本部に対して１１９番通報がなされる。消防本部では、通報者から得た情報に基づいて最寄の消防署に対して出動指令が出されて救急車両が出動し、現場に到着する。
【０００４】
救急車両に搭乗している救急救命士や救急隊員は傷病者に対して応急処置を実施するとともに、無線通話機を用いて１乃至複数の救急病院と連絡をとって傷病者の容体や現場の状況を報告する。そしてこれらの救急病院に対して別々に傷病者の受け入れ可否を問い合わせして、傷病者の搬送先救急病院を探していた。
【０００５】
搬送先の救急病院が決定すると、救急隊員は当該救急病院までの最適ルートを探して緊急車両を急行させる。一方救急救命士は、傷病者の生体情報を搬送先の救急病院に無線通話機を用いて通知し、救急病院の医師の指示を仰いで傷病者に手当てを実施していた。その後に救急車両に同乗している傷病者は所定の所定の病院に搬送され、救急病院に受け渡される。傷病者の受け渡しが終了すると緊急車両は消防署に帰署し、救急救命士又は救急隊員は報告書補の作成を行う。
【０００６】
また従来から、生体データを測定し、かつ、画面表示するとともに生体データを外部装置に送出するための接続部を備える第１のモニタと、前記第１のモニタから生体のデータを無線送信する救急用通信装置と、前記救急用送信装置から無線送信された生体データを受信する受信手段と、前記第１のモニタの生体データが入力される側面が外部に向くようにされつつほぼ全体が挿入装着される装着部と、前記装着部内に設けられ前記第１のモニタが前記装着部に挿入装着された際に前記第１のモニタの接続部と接続される本体接続部とを有し、前記装着部を通じて受け取った生体データを少なくとも画面表示する第２のモニタとを備え、前記第１のモニタが生体データを測定する際の操作を含む操作を行う本体操作手段を前記第２のモニタに設け、前記第１のモニタを前記第２のモニタに装着した後は、前記本体側操作手段の操作によって画面表示の操作を行うとともに、この操作による制御データを第１のモニタに送出することが可能な救急モニタシステムが知られている（例えば、特許文献１参照）。
【０００７】
また従来から、救急医療用の端末装置が医療機関に配置された中央指令装置との間で情報伝達を行うための救急医療システムにおいて、前記端末装置が、映像を撮影するための撮像手段と、視認可能な位置に配置された画像表示手段と、前記撮像手段で撮影された映像を変調して前記中央指令装置に送信するとともに、前記中央指令装置から送信された映像を受信する受信手段とを備えた救急医療システムが知られている（例えば、特許文献２参照）。
【０００８】
また従来から、自分の車両の位置を特定する自車位置推定手段と、ドライバの教示又は車載センサによって事故を認識する事故認識手段と、警察署や消防署等の各対応部署に事故の種類や自車位置やドライバの状態等を連絡する外部通報手段と、事故発生地点周辺の車両あるいは歩行者に事故があったことを知らせて救援を求めたり注意を促す周辺向け事故報知手段と、搭乗者の被害状況を検知する搭乗者被害認識手段と、搭乗者被害認識手段の認識結果に基づき搭乗者への応急処置や延命処置を施す応急処置手段とを備えたことを特徴とする自動車事故緊急対応装置が知られている（例えば、特許文献３参照）。
【０００９】
また従来から、ＰＨＳを用いた患者の救急処理のためのＰＨＳシステムにおいて、該ＰＨＳシステムは、それぞれが無線ゾーンを形成する複数の基地局と、該複数の基地局の内から最も電波状態の良好な基地局を選択して患者である利用者の通信端末として前記ＰＨＳを使用する移動局とからなるサブシステムと、該サブシステムを制御する中央呼処理装置とから構成され、前記移動局は、前記患者が携帯する携帯生命維持装置による前記患者の異常検出時に前記中央呼処理装置に対し緊急用の識別コードを送信する手段を備え、前記中央呼処理装置は、前記各移動局に設定された前記識別コードを管理し、前記緊急用の識別コードが、どの前記移動局に設定された識別コードであるかをチェックする識別コード解析部と、前記複数の基地局に対応する位置登録エリアと前記移動局を変換するテーブルをもち、前記患者である利用者がいる前記移動局の位置の解析を行う利用者位置解析部と、消防署又は医療機関の位置が登録されている医療機関登録メモリー部と、前記患者から一番近い前記消防署又は医療機関を選択する医療機関選択部と、前記消防署又は医療機関に対し発呼を行い前記患者の位置を伝え、救急車の要請を行う呼処理部とを備えた患者の救急処理のためのＰＨＳシステムが知られている（例えば特許文献４参照）。
【００１０】
【特許文献１】
特開平８−１２６６１６号公報  （第１−３ページ、第１図）
【特許文献２】
特開２０００−２３７１４８号公報  （第１−３ページ、第１図）
【特許文献３】
特開２０００−９９８６７号公報  （第１−３ページ、第１図）
【特許文献４】
特開平９−２００３８０号公報  （第１−３ページ、第１図）
【００１１】
【発明が解決しようとする課題】
ところが、従来の救急車両を用いて傷病者を搬送する方法では、傷病者の疾患の状態に応じて緊急車両に搭乗している救急救命士等が携帯電話等の無線通話機を用いて１乃至複数の病院に１軒１軒順番に連絡し、病院の空き状況や病院の受け入れ態勢を順番に確認した後に傷病者の受け入れ先の病院を決定していたために、救急病院を探して決定するまでに時間がかかりすぎるという不具合を生じていた。
【００１２】
従来から、およそ１軒の救急病院に対して受け入れ状況の問い合わせを行うのに約７分程度必要と言われている。したがって、数軒の救急病院に対して受け入れ可否の問い合わせを行うと、傷病者の搬入までに１時間程度の時間の経過は珍しくないという状況であった。
【００１３】
特に交通事故などで多く発生する重症外傷では、受傷から決定的治療（手術）を開始するまでの時間が１時間を超えるか否かで生死が分かれる場合が多い。そのことから受傷からの１時間をゴールデンアワーとも呼ばれている。
【００１４】
ロード・アンド・ゴーの思想では、傷病者に対して決められた観察を２分以内で行い、生命が脅かされる可能性があると判断した場合にはなすべく必須処置を行い、５分以内に現場を出発して、生命に関係の無い観察や処置は全て省略することとしている。
【００１５】
ところが従来の傷病者搬送方法では、緊急車両に搭乗している救急救命士等が傷病者の疾患の状態に応じて病院に連絡し、病院の受け入れ態勢を確認していたために、緊急を要する傷病者の搬送に際して受け入れ先の病院を即座に探し出すことができずに、傷病者を受け入れ可能な救急病院に到着するのが遅れてしまうという不具合を生じていた。
【００１６】
また、他方の医師としても、救急無線や携帯電話による音声と生体データのみでは、傷病者や疾病者の容態を完全に把握できないため、気管内送管やカウンタショックなどの高度な処置を医師でもない救急救命士に責任をもって指示できず、救急病院側からは「ともかく、連れて来て欲しい」といった要求を受けることになりがちであるという不具合を生じていた。
【００１７】
また、実際の応急処置の記録が救急隊員の書面報告のみであるため、救急災害時の対応マニュアルに救急現場での実際の対応が反映されずに、検証が不十分なため、医療の質を十分に確保しにくいという不具合を生じていた。
【００１８】
また、救急活動の終了後に救急救命士等の隊員は報告書補の作成を行うのであるが、従来の救急活動に対する報告書記録は文書からなる書面であったために、将来再度発生するであろう災害に備えた緊急災害時の対応マニュアルに、実際経験した対応が詳しく反映されず、将来発生し得る救急救命措置に反映されないという不具合を生じていた。
【００１９】
また、特許文献１に記載されている救急モニタシステムでは、第１のモニタからの生体データを救急用送信装置から無線送信しながら、第１のモニタが救急車に配置された第１のモニタよりも大型の表示画面を備えた第２のモニタに装着されるため、移動電話システムを利用して、救急患者を救急現場から救急車に収容して病院などに運ぶ際の生体データが中断することなく、病院などのモニタに無線伝送できるという効果を有するが、傷病者を撮像した画像を複数の救急病院に送信して、救急病院における受け入れ可否判断を行ったり、医師が救急救命措置に関する的確な指示を出すことができないという不具合を生じていた。
【００２０】
また、特許文献２に記載されている救急医療システムでは、救急救命士が装着したヘルメットから、治療対象者の状態を音声情報で医療機関に設置された中央指令装置へリアルタイムに伝送し、また、この中央指令装置から送信された映像音声信号をヘルメットでリアルタイムで受信することが可能となっている。そのため、医師は救急救命士に対して映像情報を用いて早急かつ適切な処置を指示することができ、救急救命士は迷うことなく、早急に対処することを可能としているものの、傷病者の搬送先を早急に決定することができないという不具合を生じていた。
【００２１】
また、特許文献３に記載されている自動車事故緊急対応装置では、警察や消防等に事故の有無やドライバの状態等を報知することが可能であるので迅速な被害者の救済ができる旨の記載されているものの、複数の救急病院に対して被害者の受け入れ可否の判断を求めることができないという不具合を生じていた。
【００２２】
また、特許文献４に記載されている患者の救急処理のためのＰＨＳシステムでは、患者の携帯する携帯生命維持装置（ペースメーカー等）と移動局（ＰＳ）とを連動させ、移動中の患者の緊急時に自動発呼し、緊急用の識別コードを送信し、最も近い消防車又は医療機関に回線をつなぎ、発呼者の位置を知らせ、迅速に救急処理を行うことが可能となっているが、傷病者を撮像した画像を救急病院に対して送信して、救急病院における受け入れ可否判断を行ったり、医師が救急救命措置に関する的確な指示を出すことができないという不具合を生じていた。
【００２３】
そこで本発明では、傷病者等に関する情報や撮像画像を複数の救急病院に略同時に配信して傷病者の症状の程度を示し、救急病院側から傷病者等の受け入れ可否情報を、消防本部（救急災害センター）、救急救命士等の救急隊員側にて受信することによって、傷病者等の搬送先を早急に決定することが可能な搬送先自動選択装置、並びに搬送先自動選択システムを提供することを目的としている。
【００２４】
また本発明は、救急現場の端末から受信した傷病者に関する複数の生体情報を用いて、同様の事件が発生した際の緊急災害時の対応データベースを自動で生成することが可能な傷病者データベース生成装置を提供することを目的としている。
【００２５】
また本発明は、入力手段を介して複数の生体情報と検索を実行する旨の検索指示とを入力すると、入力した生体情報と関連付けて記録手段に記録されている事件毎の生体情報の組合せを読み出して、事件毎の生体情報の組合せ中から、検索指示とともに受信した生体情報が多く含まれる順にその事件毎の生体情報の順位を設定し、設定した順位とその事件毎の生体情報の組合せとを表示手段に表示して、利用者が緊急災害時の対応データベースから緊急災害時の対応結果を取得することが可能な傷病者データベース検索装置を提供することを目的としている。
【００２６】
また本発明は、救急現場で撮像した傷病者等の症状画像を、複数の病院の通信アドレスに対して略同時に送信して、複数の救急病院に対して早急に傷病者等の受入れ可否の判断を求めることが可能な搬送先自動選択装置並びに搬送先自動選択システムを提供することを目的としている。
【００２７】
また本発明は、救急現場で取得した傷病者の心拍数、血圧、呼吸数、酸素飽和度、心電図情報等の生体情報を、複数の病院の通信アドレスに対して略同時に送信して、複数の救急病院に対して早急に傷病者の受入れ可否の判断を求めることが可能な搬送先自動選択装置並びに搬送先自動選択システムを提供することを目的としている。
【００２８】
また本発明は、受信した傷病者等の受入可否情報を病院の通信アドレス又は病院の名称等の識別情報と関連付けて表示して、消防本部（災害救急センター）並びに救急隊員に、傷病者等を受入れ可能な救急病院を早期に通知することが可能な搬送先自動選択装置を提供することを目的としている。
【００２９】
また本発明は、受入可能情報を送信した病院の通信アドレスに対して通信接続して、救急隊員が早期に傷病者等を受入れ可能な救急病院と情報の交換を行うことが可能な搬送先自動選択装置を提供することを目的としている。また、救急隊員が救急病院の医師から救急救命措置に関する指示を取得して、傷病者等に対して適切な初期措置を施すことが可能な搬送先自動選択装置を提供することを目的としている。
【００３０】
また本発明は、救急病院から傷病者等を受け入れることが可能であることを示す受入可能情報と病院位置情報とを受信して、傷病者等を受入れ可能な救急病院の位置と救急車両の位置関係を表示し、救急隊員に傷病者等の搬送先の救急病院までの道順を的確に通知することが可能な搬送先自動選択装置を提供することを目的としている。
【００３１】
また本発明は、受信した複数の病院位置情報と救急車両が存在する位置情報とをそれぞれ比較して両者の位置が近い順に病院の順位を表示手段に表示して、傷病者等を受入れ可能な複数の救急病院の中から最適な救急病院を救急隊員が選択することが可能な搬送先自動選択装置を提供することを目的としている。
【００３２】
また本発明は、受信した複数の病院位置情報と救急車両の位置情報とをそれぞれ比較して、両者の位置が近い順に病院の順位を表示手段に表示して、消防本部（災害救急センター）側にて最適な救急病院を選択して救急車両に指示することが可能な搬送先自動選択装置を提供することを目的としている。
【００３３】
また本発明は、傷病者等を撮像した症状画像を取得してサーバに送信する傷病者側端末と、傷病者側端末から取得した症状画像を複数の病院に対して連続して送信、又は同時に送信するサーバとを備えて、サーバ側にて複数の救急車両から傷病者等の搬送要求を取得した場合であっても、複数の救急病院に対して効率よく傷病者等の受入れ可否の判断を求めることが可能な搬送先自動選択システムを提供することを目的としている。
【００３４】
また本発明は、傷病者又は保護者を病院に搬送する搬送手段を備えた移動体に、傷病者又は被保護者を撮像して症状画像を取得する撮像手段と、前記取得した症状画像を複数の病院に対して同時に送信する送信手段とを備えて、複数の救急病院に対して早急に傷病者の受入れ可否の判断を求めることが可能な移動体を提供することを目的としている。
【００３５】
また本発明は、取得した生体情報を複数の通信アドレスに対して連続して送信又は同時に送信する通信機器と、通信機器から受信した生体情報が当該病院にて対応可能な条件等（病院情報）に含まれているか否かを判断し、該判断の結果、生体情報が病院情報に含まれていると判断した場合には傷病者等を受け入れることが可能であることを示す受入可能情報を送信する病院端末とを設けて、救急車両側が発した傷病者の受入要求に対して早急に受入可否、又は受入可能の返答を行うことが可能な搬送先自動選択システムを提供することを目的としている。また、救急車両側や消防本部において、病院における傷病者の受入可否、又は受入可能の返答を早急に受信することが可能な搬送先自動選択システムを提供することを目的としている。
【００３６】
【課題を解決するための手段】
前記目的を達成するために請求項１に記載の発明は、傷病者を撮像して症状画像を取得する撮像手段と、傷病者の症状を音声として取得する集音手段と、複数の病院の複数の通信アドレスを記録する記録手段と、前記取得した症状画像と前記取得した音声の生体情報とを前記複数の通信アドレスに対して連続して送信又は同時に送信する送信手段と、病院の通信アドレス又は病院の識別情報と当該病院において傷病者を受け入れることが可能であることを示す受入可能情報を受信する受信手段と、前記受信した受入可能情報を病院の通信アドレス又は病院の識別情報と関連付けて表示する表示手段とを備えたことを特徴としている。
【００３７】
本発明によれば、救急現場で撮像した傷病者等の症状画像と傷病者の症状を示す音声の生体情報とを、複数の病院の通信アドレスに対して略同時に送信するようにしたので、複数の救急病院に対して早急に傷病者等の受入れ可否の判断を求めることが可能となる。また、医師が救急救命措置に関する的確な判断を早期に行うことが可能となる。
また本発明によれば、複数の救急病院に対して早急に傷病者等の受入れ可否の判断を求めることが可能となる。また、医師が救急救命措置に関する的確な判断を早期に行うことが可能となる。また、受信した傷病者等の受入可否情報を病院の通信アドレス又は病院の識別情報と関連付けて表示する表示手段を備えたので、救急隊員は傷病者等を受入れ可能な救急病院を早期に知ることが可能となる。
【００３８】
また、前記目的を達成するために請求項２に記載の発明は、前記請求項１の発明に加えて、取得した音声を文字に変換する音声認識手段を備え、前記送信手段は音声認識手段によって変換した後の文字情報を音声の生体情報として送信することを特徴としている。
【００３９】
本発明によれば、音声認識手段によって文字情報に変換した文字情報を送信することが可能となる。
【００４０】
また、前記目的を達成するために請求項３に記載の発明は、前記請求項１又は２の発明に加えて、傷病者の心拍数、血圧、呼吸数、酸素飽和度、傷病者の心電図情報等の生体情報を取得する取得手段を備え、送信手段は取得した生体情報を複数の通信アドレスに対して連続して送信又は同時に送信することを特徴としている。
【００４１】
本発明によれば、救急現場で取得した傷病者の心拍数、血圧、呼吸数、酸素飽和度、心電図情報等の生体情報を、複数の病院の通信アドレスに対して略同時に送信するようにしたので、複数の救急病院に対して早急に傷病者の受入れ可否の判断を求めることが可能となる。また、医師が救急救命措置に関する的確な判断を早期に行うことが可能となる。
【００４２】
また、前記目的を達成するために請求項４に記載の発明は、請求項３に記載の発明に加えて、受入可能情報を送信した病院の通信アドレスに対して携帯電話回線、汎用無線通信回線又は専用無線通信回線を介して通信接続する通信手段を備えたことを特徴としている。
【００４３】
本発明によれば、受入可能情報を送信した病院の通信アドレスに対して通信接続する通信手段を備えたので、救急隊員は早期に傷病者等を受入れ可能な救急病院と情報の交換を行うことが可能となり、救急病院の医師から救急救命措置に関する指示を取得して、傷病者等に対して適切な初期措置を施すことが可能となる。
【００４４】
また、前記目的を達成するために請求項５に記載の発明は、請求項４の発明に加えて、現在位置を示す位置情報を取得する位置取得手段と、病院において傷病者等を受け入れることが可能であることを示す受入可能情報と当該受入れ可能な病院が存在する病院位置情報との組合せを複数受信する受信手段と、受信した複数の病院位置情報と前記位置情報とをそれぞれ比較して両者の位置が近い順に病院の順位を設定する順位設定手段と、設定した病院の順位を表示する表示手段とを備えたことを特徴としている。
【００４５】
本発明によれば、受信した複数の病院位置情報と前記位置情報とをそれぞれ比較して両者の位置が近い順に病院の順位を表示手段に表示するようにしたので、救急隊員は傷病者等を受入れ可能な複数の救急病院の中から最適な救急病院を選択することが可能となる。
【００４６】
また、前記目的を達成するために請求項６に記載の発明は、傷病者を撮像した症状画像、傷病者の心拍数、血圧、呼吸数、酸素飽和度、傷病者の心電図情報、又は傷病者の症状を音声として記録した音声情報等の生体情報と、救急車両の現在位置を示す位置情報を救急車両側の端末から受信する第１の受信手段と、複数の病院の複数の通信アドレスを記録する記録手段と、前記取得した生体情報を前記複数の通信アドレスに対して連続して送信又は同時に送信する第１の送信手段と、病院の通信アドレスと当該病院において傷病者を受け入れることが可能であることを示す受入可能情報と、当該受入れ可能な病院が存在する病院位置情報との組合せを複数受信する第２の受信手段と、前記受信した受入可能情報に基づいて複数の病院位置情報と救急車両の位置情報とをそれぞれ比較して、両者の位置が近い順に順位を設定する順位設定手段と、前記設定した病院の順位を表示する表示手段と、前記設定した病院の順位を救急車両側の端末に対して送信する第２の送信手段とを備えたことを特徴としている。
【００４７】
本発明によれば、傷病者等の生体情報を傷病者側の端末から受信して、予め記録されている複数の病院の複数の通信アドレスに対して連続して送信又は同時に送信する第１の送信手段とを備えたので、複数の救急病院に対して早急に傷病者等の受入れ可否の判断を求めることが可能となる。また、医師が救急救命措置に関する的確な判断を早期に行うことが可能となる。
【００４８】
また、受信した傷病者等の受入可否情報を傷病者側の通信端末に送信するようにしたので、傷病者側の救急隊員は、傷病者等を受入れ可能な救急病院を早期に知ることが可能となる。
【００４９】
また、受信した複数の病院位置情報と救急車両の位置情報とをそれぞれ比較して、両者の位置が近い順に病院の順位を表示手段に表示することが可能となるので、消防本部（災害救急センター）側では最適な救急病院を選択して救急車両に指示することが可能となる。
また、本発明によれば、受信した複数の病院位置情報と救急車両の位置情報とをそれぞれ比較して、両者の位置が近い順に病院の順位を救急車両側の通信機器に送信するようにしたので、救急車両に搭乗している救急隊員は、傷病者等を受入れ可能な複数の救急病院の中から最適な救急病院を選択することが可能となる。
また、救急病院から傷病者等を受け入れることが可能であることを示す受入可能情報と病院位置情報とを受信して、傷病者等を受入れ可能な救急病院の位置と救急車両等の位置関係を表示することによって、救急隊員は傷病者等の搬送先の救急病院までの道順を的確に知ることが可能となる。
【００５０】
また、前記目的を達成するために請求項７に記載の発明は、傷病者を撮像して症状画像を取得する撮像手段と、傷病者を撮像した症状画像、傷病者の心拍数、血圧、呼吸数、酸素飽和度、傷病者の心電図情報、傷病者の症状、又は傷病者の人数等の生体情報を取得する取得手段と、複数の病院の複数の通信アドレスを記録する第１の記録手段と、前記取得した生体情報を前記複数の通信アドレスに対して連続して送信又は同時に送信する第１の送信手段と、病院の通信アドレス又は病院の識別情報と、当該病院において傷病者を受け入れることが可能であることを示す受入可能情報とを受信する第１の受信手段と、前記受信した受入可能情報を、病院の通信アドレス又は病院の識別情報と関連付けて表示する表示手段とを備えた通信機器と、生体情報を通信機器から受信する第２の受信手段と、病院にて対応可能な専科、症状画像、心拍数、血圧、呼吸数、酸素飽和度、心電図情報、若しくは治療可能な症状、又は、病院における受入可能な傷病者の人数、空きベッド数、若しくは勤務している医師の情報等の病院情報を記録する第２の記録手段と、前記受信した生体情報が、前記記録手段に記録されている病院情報に含まれているか否かを判断する検索手段と、前記判断の結果、受信した生体情報が病院情報に含まれていると判断した場合には、傷病者を受け入れることが可能であることを示す受入可能情報と、当該病院の通信アドレス又は病院の識別情報とを送信する第２の送信手段とを備えた病院端末と、から構成されることを特徴としている。
【００５１】
本発明によれば、取得した生体情報を複数の通信アドレスに対して連続して送信又は同時に送信する通信機器と、通信機器から受信した生体情報が当該病院にて対応可能な条件等（病院情報）に含まれているか否かを判断し、該判断の結果、生体情報が病院情報に含まれていると判断した場合には傷病者等を受け入れることが可能であることを示す受入可能情報を送信する病院端末とを備えたので、病院側では救急車両側が発した傷病者の受入要求に対して早急に受入可否、又は受入可能の返答を行うことが可能となる。また、救急車両側や消防本部では、病院における傷病者の受入可否、又は受入可能の返答を早急に受信することが可能となる。また、受信した傷病者等の受入可否情報を病院の通信アドレス又は病院の識別情報と関連付けて表示する表示手段を備えたので、救急隊員は傷病者等を受入れ可能な救急病院を早期に知ることが可能となる。
【００５２】
また、本発明は、救急現場の端末から傷病者に関する複数の生体情報を受信する受信手段と、傷病者の複数の生体情報をそれぞれ関連付けて事件毎に１組の生体情報として記録する記録手段とを備えたことを特徴としている。
【００５３】
本発明によれば、救急現場の端末から傷病者に関する複数の生体情報を受信して、それぞれの生体情報を関連付けて事件毎に１組の生体情報として記録するようにしたので、同様の事件が発生した際の緊急災害時の対応データベースを自動で生成することが可能となり、緊急災害時の対応マニュアルとして利用することが可能となる。
【００５４】
また本発明は、傷病者の人数、年齢、性別、症状、症状画像、音声情報、心拍数、血圧、呼吸数、酸素飽和度、心電図情報等の複数の生体情報をそれぞれ関連付けて事件毎に１組の生体情報として記録する記録手段と、複数の生体情報と検索を実行する旨の検索指示とを入力する入力手段と、複数の生体情報と検索を実行する旨の検索指示とを入力すると、入力した生体情報と関連付けて記録手段に記録されている事件毎の生体情報の組合せを読み出す生体情報取得手段と、前記読み出した事件毎の生体情報の組合せ中から、前記検索指示とともに入力した生体情報が多く含まれる順にその事件毎の生体情報の順位を設定する順位設定手段と、前記設定した順位とその事件毎の生体情報の組合せとを表示する表示手段とを備えたことを特徴としている。
【００５５】
本発明によれば、傷病者の複数の生体情報をそれぞれ関連付けて事件毎に１組の生体情報として記録する記録手段と、入力手段を介して複数の生体情報と検索を実行する旨の検索指示とを入力すると、入力した生体情報と関連付けて記録手段に記録されている事件毎の生体情報の組合せを読み出して、事件毎の生体情報の組合せ中から検索指示とともに受信した生体情報が多く含まれる順にその事件毎の生体情報の順位を設定し、設定した順位とその事件毎の生体情報の組合せとを表示手段に表示するようにしたので、傷病者の生体情報と検索指示とに基づいて、緊急災害時の対応データベースから緊急災害時の対応結果を取得することが可能となる。
【００５６】
また本発明は、傷病者又は被保護者を撮像して症状画像を取得する撮像手段と、前記取得した症状画像を複数の病院に対して同時に送信する送信手段と、傷病者又は保護者を病院に搬送する搬送手段とを備えたことを特徴としている。
【００５７】
本発明によれば、傷病者又は保護者を病院に搬送する搬送手段を備えた移動体に、傷病者又は被保護者を撮像して症状画像を取得する撮像手段と、前記取得した症状画像を複数の病院に対して同時に送信する送信手段とを備えたので、複数の救急病院に対して早急に傷病者の受入れ可否の判断を求めることが可能となる。また、医師が救急救命措置に関する的確な判断を早期に行うことが可能となる。
【００５８】
また本発明は、傷病者又は被保護者を撮像して症状画像を取得する撮像手段と、複数の病院の複数の通信アドレスを記録する記録手段と、取得した症状画像を前記複数の通信アドレスに対して連続して送信又は同時に送信する送信手段と、傷病者又は保護者を病院に搬送する搬送手段とを備えたことを特徴としている。
【００５９】
本発明によれば、傷病者又は保護者を病院に搬送する搬送手段を備えた移動体に、傷病者又は被保護者を撮像して症状画像を取得する撮像手段と、複数の病院の複数の通信アドレスを記録する記録手段と、取得した症状画像を前記複数の通信アドレスに対して連続して送信又は同時に送信する送信手段とを備えたので、複数の救急病院に対して早急に傷病者の受入れ可否の判断を求めることが可能となる。また、医師が救急救命措置に関する的確な判断を早期に行うことが可能となる。
【００６０】
【発明の実施の形態】
以下、本発明について詳細に説明する。
【００６１】
図１は本発明に係る搬送先自動選択システムの構成を示す図である。
【００６２】
同図に示すように、搬送先自動選択システムには、消防団員や救急救命士等が救急現場で撮像や音声入力等を行うヘッドセット端末３０（搬送先自動選択装置、傷病者側端末、通信機器の機能を備えていてもよい）と、画像や心拍数、血圧、呼吸数、酸素飽和度、心電図等の情報を表示する表示手段と通信手段とを備えた傷病者側端末４０（搬送先自動選択装置、通信機器の機能を備えていてもよい）と、救急病院や医療施設等に設けられている病院端末５０、５０Ａ…と、消防署等の救急車両２０（移動体）を管理する消防本部又は災害救急指令センター等に設けられているサーバ９０（搬送先自動選択装置、傷病者データベース生成装置、傷病者データベース検索装置の機能を備えていてもよい）と、傷病者側端末４０とサーバ９０とが通信を行う通信回線６０と、病院端末５０、５０Ａ等とサーバ９０等が通信を行うインターネットや電話回線網等の通信網７０とが含まれている。
【００６３】
なお、ヘッドセット端末３０や傷病者側端末４０は、公衆回線等の無線の基地局８０と通信網７０を介してサーバ９０や病院端末５０等と通信可能に接続されていてもよい。また、ヘッドセット端末３０や傷病者側端末４０は、救急車両２０内で使用してもよい。
【００６４】
なお同図におけるヘッドセット端末３０は、傷病者の血液が消防団員や救急救命士等の救急隊員の眼に飛び込むのを防止するためにゴーグルと一体に装着されている例で示してある。ヘッドセット端末３０には、傷病者を撮像して症状画像を取得する撮像手段（小型のデジタルカメラ）と、救急隊員等が発する音声を集音するマイクロフォン等から構成される集音手段と、救急隊員等に音声を発して情報を通知するイヤォン等から構成される発音手段と、傷病者側端末４０や直接サーバ９０又は病院端末５０、５０Ａ等と無線通信にて情報の送受信を行う通信手段とが設けられている。
【００６５】
当該ヘッドセット端末３０は、救急隊員等が装着するヘルメットと一体に構成されていてもよいし、救急隊員が装着するベルトに設けられていてもよいが、救急隊員等の眼の位置に近い位置に撮像手段が設けられていると救急隊員の視点に対して視差が少なくなるので好都合である。また、救急隊員等の眼の位置と撮像手段との位置関係が既知である場合には、撮像手段が撮像した被写体の合焦位置に基づいて自動的に撮像手段の視点を調節する自動視点調節手段を備えてもよい。
【００６６】
図２は、ヘッドセット端末３０の信号処理系ブロック図を示す図である。
【００６７】
ヘッドセット端末３０の画像処理部には、傷病者等の被写体像を受光面に結像させて光電変換し、画像信号として出力する撮像手段３５０（取得手段の機能を含む）と、画像サイズの変更、シャープネス補正、ガンマ補正、コントラスト補正、ホワイトバランス補正等の画像処理を行うとともにアナログの画像信号をデジタルの画像データに変換する画像処理手段３５１とが設けられている。
【００６８】
ヘッドセット端末３０の音声入力部には、救急隊員等が発する音声を集音して電気信号に変換するマイクロフォン等の集音手段３５４と、集音手段３５４が集音した音声信号を増幅してフイルタ処理を行うとともに、アナログの音声信号をデジタルの音声データに変換する音声処理手段３５５とが設けられている。
【００６９】
ヘッドセット端末３０の音声出力部には、情報処理手段３８０等からデジタルの音声データを取得してアナログの音声信号に変換するとともに音声信号に対してフイルタ処理や増幅処理を行う発音処理手段３５７と、発音処理手段３５７から音声信号を入力して振動板を振動させて音声を発するスピーカやヘッドフォン等の発音手段３５６とが設けられている。
【００７０】
ヘッドセット端末３０には、ＧＰＳ（Ｇｌｏｂａｌ  Ｐｏｓｉｔｉｏｎｉｎｇ  Ｓｙｓｔｅｍ  ）等の位置取得手段３５８が備えられており、現在救急隊員が搭乗している救急車両２０が現在何処に存在しているかを示す位置情報や軌跡を知ることが可能となっている。
【００７１】
症状画像や音声情報、生体情報を通信によって他の電子機器（傷病者側端末４０、病院端末５０、５０Ａ…、サーバ９０、基地局８０等）と送受信するヘッドセット端末３０の通信処理部には、症状画像や音声情報、生体情報等の各種情報を電波等の搬送波に乗せて送信又は受信する処理を行う送受信手段３６８（送信手段、受信手段）と、搬送波及び各種情報を送受信するアンテナ３６６とが設けられている。
【００７２】
また、ヘッドセット端末３０には、症状画像や音声情報、生体情報等の各種情報をＪＰＥＧやＭＰＥＧに代表される手法で圧縮制御したり、圧縮した情報を伸張展開制御する処理を行う圧縮伸張手段（図示せず）が設けられている。
【００７３】
また、ヘッドセット端末３０には、撮像開始ボタンや通信ボタン、送信ボタン、ファンクションスイッチ、十字キー、確定スイッチ、モード切り換えスイッチ等から構成される入力手段３７０（取得手段の機能を含む）が設けられている。
【００７４】
またヘッドセット端末３０には、撮像処理、集音処理、発音処理、通信処理その他ヘッドセット端末３０全体の制御を行う情報処理手段３８０と、プログラム実行時の作業領域となるとともに、ヘッドセット端末３０の識別情報や動作プログラム等を記録するメモリ３８１と、時を刻むカレンダ時計３９０とが設けられている。
【００７５】
ヘッドセット端末３０の情報処理手段３８０とその周辺の回路はバス３９９で接続されており、相互に高速な情報の伝達を行うことが可能となっている。そして情報処理手段３８０にて動作する処理プログラムの指示に基づいて、情報処理手段３８０は周辺の回路を制御することが可能となっている。
【００７６】
図３は、傷病者側端末４０の信号処理系ブロック図を示す図である。
【００７７】
傷病者側端末４０には、ＧＰＳ（Ｇｌｏｂａｌ  Ｐｏｓｉｔｉｏｎｉｎｇ  Ｓｙｓｔｅｍ  ）等の位置取得手段４５８が備えられており、現在救急隊員が搭乗している救急車両２０が現在何処に存在しているかを示す位置情報や軌跡を知ることが可能となっている。
【００７８】
症状画像や音声情報、生体情報を通信によって他の電子機器（ヘッドセット端末３０、病院端末５０、５０Ａ…、サーバ９０、基地局８０等）と送受信する傷病者側端末４０の通信処理部には、症状画像や音声情報、生体情報等の各種情報を電波等の搬送波に乗せて送信又は受信する処理を行う送受信手段４６８（送信手段、受信手段）と、搬送波及び各種情報を送受信するアンテナ４６６とが設けられている。
【００７９】
また、傷病者側端末４０には、症状画像や音声情報等の情報をＪＰＥＧやＭＰＥＧに代表される手法で圧縮制御したり、圧縮したデータを伸張展開制御する処理を行う圧縮伸張手段（図示せず）が設けられている。
【００８０】
また、傷病者側端末４０には、キーボードやマウス、トラックボール、タブレット等から構成される入力手段４７０（取得手段の機能を含む）と、心拍数や血圧、呼吸数、酸素飽和度、心電図などの生体情報測定用の各種センサや傷病者に電気ショックを与える際の電極を接続するコネクタ４７５と、該コネクタ４７５から電気信号を入力してバス４９９に情報を出力したり情報処理手段４８０から取得した情報に基づいてコネクタに対して信号を出力するＩ／Ｏ４７６（取得手段の機能を含む）とが設けられている。
【００８１】
また傷病者側端末４０には、撮像処理、集音処理、発音処理、通信処理その他傷病者側端末４０全体の制御を行う情報処理手段４８０と、プログラム実行時の作業領域となるメモリ４８１と、傷病者側端末４０の識別情報や動作プログラム等を電源遮断後も記録する不揮発性メモリ４８３と、時を刻むカレンダ時計４９０とが設けられている。
【００８２】
傷病者側端末４０の情報処理手段４８０とその周辺の回路はバス４９９で接続されており、相互に高速な情報の伝達を行うことが可能となっている。そして情報処理手段４８０にて動作する処理プログラムの指示に基づいて、情報処理手段４８０は周辺の回路を制御することが可能となっている。
【００８３】
傷病者側端末４０は、パソコン等の情報処理装置であってもよいし、ＰＤＡ（Ｐｅｒｓｏｎａｌ  Ｄａｔａ  Ａｓｓｉｓｔａｎｃｅ）等の通信端末であっても、本発明の目的を達成することが可能である。また、傷病者側端末４０は、救急救命士等の隊員が背中に背負うような構成、ベルトに装着する構成等のウェアラブルな構成としてもよいし、鞄に入れて携行可能な構成としてもよい。
【００８４】
図４は、病院端末５０の信号処理系ブロック図を示す図である。
【００８５】
病院端末５０の音声入力部には、担当の医師等が発する音声を集音して電気信号に変換するマイクロフォン等の集音手段５５４と、集音手段５５４が集音した音声信号を増幅してフイルタ処理を行うとともに、アナログの音声信号をデジタルの音声データに変換する音声処理手段５５５とが設けられている。
【００８６】
病院端末５０の音声出力部には、情報処理手段５８０等からデジタルの音声データを取得してアナログの音声信号に変換するとともに音声信号に対してフイルタ処理や増幅処理を行う発音処理手段５５７と、発音処理手段５５７から音声信号を入力して振動板を振動させて音声を発するスピーカやヘッドフォン等の発音手段５５６とが設けられている。
【００８７】
症状画像や音声情報、生体情報を通信によって他の電子機器（ヘッドセット端末３０、傷病者側端末４０、サーバ９０、基地局８０等）と送受信する病院端末５０の通信処理部には、症状画像や音声情報、生体情報等の各種情報を搬送波に乗せて送信又は受信する処理を行う送受信手段５６５（送信手段、受信手段）と、通信網７０を経由して搬送波及び各種情報を送受信する通信回線５６４とが設けられている。
【００８８】
また、病院端末５０には、症状画像や音声情報、生体情報等の各種情報をＪＰＥＧやＭＰＥＧに代表される手法で圧縮制御したり、圧縮した情報を伸張展開制御する処理を行う圧縮伸張手段（図示せず）が設けられている。
【００８９】
また、病院端末５０には、キーボードやマウス、トラックボール、タブレット等から構成される入力手段５７０と、撮像処理、集音処理、発音処理、通信処理その他病院端末５０全体の制御を行う情報処理手段５８０（検索手段）と、プログラム実行時の作業領域となるメモリ５８１と、病院の診療、治療、空きベッド数、受入可能な傷病者の人数、各担当医師在否情報、病院の位置情報、病院端末５０の識別情報（病院名、２次救急、３次救急などの情報）、病院にて対応可能な専科、症状画像、心拍数、血圧、呼吸数、酸素飽和度、心電図情報、若しくは治療可能な症状、等の病院情報や、動作プログラム等の各種の情報を記録する記録手段５８４と、時を刻むカレンダ時計５９０とが設けられている。
【００９０】
病院端末５０の情報処理手段５８０とその周辺の回路はバス５９９で接続されており、相互に高速な情報の伝達を行うことが可能となっている。そして情報処理手段５８０にて動作する処理プログラムの指示に基づいて、情報処理手段５８０は周辺の回路を制御することが可能となっている。
【００９１】
図５は、サーバ９０の信号処理系ブロック図を示す図である。
【００９２】
サーバ９０の音声入力部には、担当の消防所員等が発する音声を集音して電気信号に変換するマイクロフォン等の集音手段９５４と、集音手段９５４が集音した音声信号を増幅してフイルタ処理を行うとともに、アナログの音声信号をデジタルの音声データに変換する音声処理手段９５５とが設けられている。
【００９３】
サーバ９０の音声出力部には、情報処理手段９８０等からデジタルの音声データを取得してアナログの音声信号に変換するとともに音声信号に対してフイルタ処理や増幅処理を行う発音処理手段９５７と、発音処理手段９５７から音声信号を入力して振動板を振動させて音声を発するスピーカやヘッドフォン等の発音手段９５６とが設けられている。
【００９４】
症状画像や音声情報、生体情報を通信によって他の電子機器（ヘッドセット端末３０、傷病者側端末４０、病院端末５０、５０Ａ…、基地局８０等）と送受信するサーバ９０の通信処理部には、症状画像や音声情報、生体情報等の各種情報を搬送波に乗せて送信又は受信する処理を行う送受信手段９６５（送信手段、受信手段、取得手段）と、通信網７０、公衆回線又は消防無線を経由して搬送波及び情報を送受信する通信回線９６４とが設けられている。
【００９５】
症状画像や音声情報、生体情報を専用の消防無線によって他の電子機器（ヘッドセット端末３０、傷病者側端末４０等）と送受信するサーバ９０の無線通信処理部には、症状画像や音声情報、生体情報等の各種情報を搬送波に乗せて送信又は受信する処理を行う送受信手段９６８（送信手段、受信手段）と、搬送波及び情報を送受信するアンテナ９６６とが設けられている。
【００９６】
サーバ９０には、症状画像や音声情報、生体情報等の各種情報をＪＰＥＧやＭＰＥＧに代表される手法で圧縮制御したり、圧縮した情報を伸張展開制御する処理を行う圧縮伸張手段（図示せず）が設けられている。
【００９７】
また、サーバ９０には、キーボードやマウス、トラックボール、タブレット等から構成される入力手段９７０と、撮像処理、集音処理、発音処理、通信処理その他サーバ９０全体の制御を行う情報処理手段９８０と、プログラム実行時の作業領域となるメモリ９８１と、病院の通信用アドレス、病院の受入れ可否情報、傷病者側端末４０の通信アドレス、病院の位置情報、サーバ９０の識別情報や動作プログラム等の各種の情報を記録する記録手段９８４と、時を刻むカレンダ時計９９０とが設けられている。
【００９８】
サーバ９０の情報処理手段９８０とその周辺の回路はバス９９９で接続されており、相互に高速な情報の伝達を行うことが可能となっている。そして情報処理手段９８０にて動作する処理プログラムの指示に基づいて、情報処理手段９８０は周辺の回路を制御することが可能となっている。
【００９９】
図６は、搬送先自動選択システムを用いた搬送先自動選択処理の第１の実施例を示すイベントトレース図である。
【０１００】
事故により傷病者が発生すると、図７に示すように消防団員又は救急救命士等の救急隊員がヘッドセット端末３０を装着して傷病者の診断を開始する。そして救急隊員がヘッドセット端末３０に設けられている入力手段３７０を介して撮像指令を入力する。なお、救急隊員は、ヘッドセット端末３０を用いて症状画像を撮像する代わりに、傷病者側端末４０を用いて症状画像の撮像を行って、以降の搬送先自動選択処理を実施するようにしてもよい。上記の説明では、事故により傷病者が発生した場合を想定しているが、本発明は傷病者に限定されるものではなく、子供や老人等の被保護者を対象としてもよい。
【０１０１】
入力手段３７０を介して入力された撮像指令は、バス３９９を介して情報処理手段３８０が取得する。すると情報処理手段３８０が実施する処理は、ステップＳ３００「撮像開始」（以降Ｓ３００のように省略して記載する）に進み、画像処理手段３５１に対して撮像の指示を開始する。
【０１０２】
撮像手段３５０では、撮像面に結像している被写体像を光電変換して画像信号として画像処理手段３５１に出力している。画像処理手段３５１では、取得した画像信号に対して画像サイズの変更、シャープネス補正、ガンマ補正、コントラスト補正、ホワイトバランス補正等の画像処理を行うとともにアナログの画像信号をデジタルの画像データに変換して、画像（静止画又は動画）をメモリ３８１に一時記憶する。
【０１０３】
メモリ３８１に記憶された画像データは、情報処理手段３８０の指示に基づいて、所定の圧縮形式に圧縮処理した後に、送受信手段３６８とアンテナ３６６を介して他の通信機器（サーバ９０、病院端末５０等）に対して送信することが可能となっている。このようにして、傷病者を撮像して傷病者の症状画像を取得することが可能となっている。撮像処理が開始されると、情報処理手段３８０が実施する処理は次のＳ３０２「位置情報取得」の処理に進む。
【０１０４】
次のＳ３０２「位置情報取得」にて情報処理手段３８０は、位置取得手段３５８から現在存在する位置の情報（位置情報）を取得する処理を行う。
【０１０５】
次に、救急隊員から傷病者やその傷病者の症状に関する情報（重症、軽傷、裂傷、骨折、脈拍、心拍数、血圧、呼吸数、酸素飽和度、心電図等の生体情報の測定情報その他の症状に関する情報を集音手段３５４又はＩ／Ｏを介して取得する）を入力して、通信開始の指示を入力手段３７０を介して入力すると、情報処理手段３８０が実施する処理はＳ３０４「緊急情報発信」に進み、送受信手段３６８、アンテナ３６６、公衆回線又は消防無線等の無線通信手段を介してサーバ９０に対して緊急情報を送信する処理を行う。
【０１０６】
ヘッドセット端末３０又は傷病者側端末４０から送信される緊急情報には、緊急である旨の情報のほか、当該ヘッドセット端末３０又は傷病者側端末４０を識別する識別情報、傷病者の人数、年齢、性別、症状、生体情報、位置情報、症状画像、音声情報等が含まれていてもよい。なお、前記音声情報は、音声そのものの情報であってもよいし、音声認識手段によって音声を文字に変換した後の文字情報であってもよい。
【０１０７】
一方、サーバ９０の情報処理手段９８０では、Ｓ９００「緊急情報受信？」にて、公衆回線又は消防無線等を介してヘッドセット端末３０又は傷病者側端末４０から緊急情報の受信を待つ処理を行っている。Ｓ９００にて情報処理手段９８０が、送受信手段９６５又は９６８を介して緊急情報を受信したと判断した場合には、受信した緊急情報をメモリ９８１又は記録手段９８４に記録する処理を行う。
【０１０８】
次のＳ９０２「表示・呼出」にて情報処理手段９８０は、消防本部又は災害救急センターに常駐する医師が存在する場合（例えば東京、横浜、京都等の消防本部には医師常駐している場合がある）には、Ｓ９００にて受信した症状画像や緊急情報に含まれる情報を、表示手段９７２に表示する処理を行うとともに、発音手段９５６から呼出し音を発する処理を行って、常駐している医師を呼び出す。このようにして、救急隊員側から症状画像が届いた際に、その旨を自動で医師に対して通知することが可能となる。
【０１０９】
また、発音手段９５６を介して直接医師を呼び出す代りに、医師が携行しているポケットベルやＰＨＳ等の端末に対して、症状画像や症状画像を受信した旨の情報等の緊急情報を送信して、緊急情報の通知や呼び出しの指示をするようにしてもよい。
【０１１０】
図８及び図９は、サーバ９０の表示手段９７２に表示される緊急情報及び画像の表示例を示す図である。なお、図８は救急現場における全体状況と位置情報、日時情報等を表示している例である。また図９は、救急隊員が傷病者を診断している状況や結果、瞳孔の状態、及び心電図等の生体情報を表示手段９７２に表示している例を示している。
【０１１１】
常駐する医師は、表示手段９７２に表示されている情報を見ながら傷病者の症状を判断して、現場に居る救急隊員に対して映像又は音声による指示や指導を行うことが可能となっている。また、現場の救急隊員は、消防本部等に常駐している医師から音声または画像による指示を受信して、傷病者に対して適切な初期処置を行うことが可能となる。
【０１１２】
傷病者の症状についての判断内容は、傷病者がどのような呼吸状態であるか、自力で呼吸を行っているか否か、顔色は赤みがかっているか否か、瞳孔は大きくなっているか又は小さくなっているか、目を自力で開眼しているか否か、傷口からの出血がどの程度進んでいるか、自力で体を動かせる状態か否かなどを含むものである。また、事故車両の破損状況、有害物質の流出の有無などの現場状況も有力な判断の対象となる。
【０１１３】
次に情報処理手段９８０が実施する処理は、Ｓ９０４「救急病院選出」の処理に進み、記録手段９８４に予め記録されている救急病院の存在位置情報を読み出して、事故現場のヘッドセット３０又は傷病者側端末４０から受信した位置情報と比較して、所定の距離以内に存在する救急病院（現場に近い救急病院）を選出する処理を行う。
【０１１４】
なお記録手段９８４に、救急病院の住所、電話番号、規模、対応可能な専科、救急病院における空きベッド数や勤務している医師の情報又は受入れ可能な患者の症状等の情報を予め救急病院側から受信して記録しておき、ヘッドセット端末３０や傷病者側端末４０から受信した傷病者の人数や傷病者の症状の緊急情報に応じて救急病院を選出するようにしてもよい。Ｓ９０４にて１乃至複数の救急病院の選出処理が終了すると、情報処理手段９８０が実施する処理は次のＳ９０６「緊急情報発信」の処理に進む。
【０１１５】
Ｓ９０６にて情報処理手段９８０は、前記選出した１乃至複数の病院の通信アドレス（ＩＰアドレス、ＤＮＳ、電話番号等であってもよい）を記録手段９８４から読み出して、当該読み出した通信アドレスに対して症状画像又は生体情報を含む緊急情報を送信する処理を行う。当該緊急情報は、送受信手段９６５と通信回線９６４、通信網７０を介して１乃至複数の救急病院の病院端末５０、５０Ａ…の通信アドレスに対して連続して送信、又は同時にストリーミングにより一斉送信する。
【０１１６】
このとき、通信網７０としてインターネット等の通信網を利用する場合には、当該情報はＴＣＰ（Ｔｒａｎｓｍｉｓｓｉｏｎ  Ｃｏｎｔｒｏｌ  Ｐｒｏｔｏｃｏｌ）を用いて送信してもよいし、ＵＤＰ（Ｕｓｅｒ  Ｄａｔａ  ｇｒａｍＰｒｏｔｏｃｏｌ）を用いて送信するようにしてもよい。また、救急病院との間で一斉送信用の通信回線を専用に設けておき、この一斉送信用の通信回線を用いて症状画像又は生体情報を含む緊急情報をブロードキャスト送信するようにしてもよい。更にＳ９０６にて、緊急情報を送信した救急病院のリストを表示手段９７２に表示するようにしてもよい。
【０１１７】
病院端末５０、５０Ａ等の情報処理手段５８０では、Ｓ５００「緊急情報受信？」にて、公衆回線等の通信手段を介してサーバ９０等から緊急情報の受信を待つ処理を行っている。Ｓ５００にて情報処理手段５８０が、送受信手段５６５を介して緊急情報を受信したと判断した場合には、受信した緊急情報をメモリ５８１又は記録手段５８４に記録する処理を行う。
【０１１８】
次のＳ５０２「表示・呼出」にて情報処理手段５８０は、Ｓ５００にて受信した緊急情報等を表示手段５７２に表示する処理を行うとともに、発音手段５５６から呼出し音を発する処理を行って、医師を呼び出す。また、発音手段５５６を介して直接医師を呼び出す代りに、医師が携行しているポケットベルやＰＨＳ等の端末に対して緊急情報を送信して、緊急情報の通知や呼び出しの指示をするようにしてもよい。このようにして、救急隊員側が発した症状画像が届いた際に、その旨を自動で医師に対して通知することが可能となる。
【０１１９】
表示手段５７２には、図８及び図９に示した緊急情報及び画像が表示される。病院の医師は、表示手段５７２に表示されている情報を見ながら傷病者の症状を判断して、現場に居る救急隊員に対して映像又は音声による指示や指導を行うことが可能となっている。また、現場の救急隊員は、病院の医師から音声または画像による指示を受信して、傷病者に対して適切な初期処置を行うことが可能となっている。
【０１２０】
次のＳ５０４「受入可能？」の判断では、病院端末５０、５０Ａ…の情報処理手段５８０（検索手段）は、記録手段５８４に予め記録されている当該救急病院にて対応可能な専科、症状画像、心拍数、血圧、呼吸数、酸素飽和度、心電図情報、治療可能な症状、救急病院における空きベッド数、受入可能な傷病者の人数や勤務している医師の情報等の病院情報を読み出して、Ｓ５００にて受信した緊急情報と比較する処理を行う。そして、受信した生体情報が、記録手段５８４に記録されている病院情報に含まれているか否かを判断する処理を行う。
【０１２１】
そして、Ｓ５００にて受信した緊急情報が記録手段５８４から読み出した病院情報に含まれると判断した場合には、情報処理手段５８０が実施する処理はＳ５０６「受入可能情報送信」に進む。
【０１２２】
なお、Ｓ５０４にて、受信した生体情報が記録手段５８４に記録されている病院情報に含まれていると判断した場合には、情報処理手段５８０は緊急情報を受信した旨を、音声、光、又は振動にて、医師等の病院の者に対して通知するようにしてもよい。この通知は、病院端末５０の指示に基づいて、医師等が携行しているポケットベルやＰＨＳ等の携帯端末が実施するようにしてもよい。
【０１２３】
またＳ５０４の判断にて、情報処理手段５８０が記録手段５８４に記録されている病院情報を読み出して傷病者の受入れ可否を判断する代わりに、病院の医師がサーバ９０から送信されてきた緊急情報を見て受入可否の判断を行って、受入れが可能であると判断した場合には、病院端末５０に設けられている入力手段５７０を介して受入れ情報を入力、又は表示手段５７２上に表示されている「受入」ボタンを選択して受入可能情報を入力するようにしてもよい。するとその受入可能情報は情報処理手段５８０がバス５９９を介して読み取って、傷病者の受入れが可能であると判断して次のＳ５０６の処理に進む。
【０１２４】
Ｓ５０６にて情報処理手段５８０は、送受信手段５６５及び通信回線５６４を介してサーバ９０に対して受入可能情報又は受入可否情報と、当該病院を識別する通信アドレス又は病院名、２次救急、３次救急等の識別情報と、必要に応じて当該救急病院が存在する位置を示す病院位置情報とを送信する処理を行う。受入可能情報の送信が終了すると、情報処理手段５８０が実施する処理は次のＳ５１２「通信確立」に進む。
【０１２５】
またＳ５０４にて情報処理手段５８０が、Ｓ５００にて受信した緊急情報の全てが記録手段５８４から読み出した病院情報に含まれていないと判断した場合には、情報処理手段５８０が実施する処理はＳ５００に戻り、再び緊急情報の受信を待つ処理を行う。
【０１２６】
サーバ９０では、Ｓ９０８「受入可能情報受信？」にて、１乃至複数の病院端末５０、５０Ａ…からの受入可能情報等の受信を待つ処理を行う。１乃至複数の病院端末５０、５０Ａ…から受入可能情報を受信すると、情報処理手段９８０は受信した受入可能情報をメモリ９８１又は記録手段９８４に記録する処理を行う。そして、必要に応じてカレンダ時計９９０が計数している時間を読み取って、所定の時間が経過したと判断した場合等には、情報処理手段９８０が実施する処理は次のＳ９１０「順位設定・送信」の処理に進む。
【０１２７】
Ｓ９１０にて情報処理手段９８０（順位設定手段）は、Ｓ９０８にて病院端末５０、５０Ａ…から受信した受入可能な複数の病院が存在する複数の病院位置情報と、Ｓ９００にて受信した救急現場の位置情報とをそれぞれ比較する処理を行う。そして、傷病者を受入れ可能な病院と救急現場との距離、又は傷病者搬入までの予想移動時間が短い順に、受入れ可能な病院の順位を設定する処理を行う。そして、設定した受入れ可能な病院名とその順位を、送受信手段９６５又は送受信手段９６８を介して、ヘッドセット端末３０又は傷病者側端末４０に送信する処理を行う。
【０１２８】
受入れ可能な病院名とその順位との送信が終了すると、情報処理手段９８０が実施する処理は次のＳ９１２「順位表示」の処理に進む。なお、受入れ可能である旨の情報を受信した救急病院に対して、その救急現場から急行するときの予想移動時間を算出する際に、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ  ）等の道路交通情報通信システムが発信する道路の混雑情報を受信して、当該混雑状況に基づいて予想移動時間を算出するようにしてもよい。
【０１２９】
サーバ９０から受入れ可能な病院名や病院位置情報とその順位を受信したヘッドセット端末３０等では、Ｓ３０６「順位表示」にて表示手段３７２に対して受入れ可能な病院名とその順位、又は受入可否情報と通信アドレス若しくは病院の識別情報とを関連付けたものを表示する処理を行う。そして次のＳ３０８「ルート表示」にて自動で情報処理手段３８０がメモリ３８１等の記録手段に記録されている救急現場周辺（現在位置周辺）の地図情報を読み出して表示し、救急現場から受入れ可能な救急病院までの最適ルートを表示手段３７２に併せて表示する。
【０１３０】
なお、このとき病院端末５０からサーバ９０を介して受信した病院位置情報又は、メモリ３８１等の記録手段に病院と関連付けて記録されている病院位置情報と、位置取得手段３５８等が取得した位置情報とに基づいて、両者の位置関係を表示するようにしてもよい。また、前記最適ルートの表示は、救急隊員が救急車両２０の最適ルート表示を指示した後に表示手段３７２に表示するようにしてもよい。
【０１３１】
一方のサーバ９０の情報処理手段９８０は、Ｓ９１２にて表示手段９７２に対して受入れ可能な病院名とその順位、又は受入可否情報と通信アドレス若しくは病院の識別情報とを関連付けたものを表示する処理を行う。そして、医師が入力手段９７０を介して緊急車両の最適ルート表示を指示すると、Ｓ９１４「ルート表示」にて情報処理手段９８０は記録手段９８４に記録されている地図情報を読み出して表示し、救急現場から受入れ可能な救急病院までの最適ルートを表示手段９７２に併せて表示する。なお、このとき病院端末５０から受信した病院位置情報又は記録手段９８４に病院と関連付けて記録されている病院位置情報と、位置取得手段３５８等が取得した位置情報とに基づいて、両者の位置関係を表示するようにしてもよい。
【０１３２】
図１０は、表示手段９７２又は表示手段３７２に表示される最適ルートの表示例である。
【０１３３】
同図に示すように、サーバ９０の表示手段９７２又はヘッドセット端末３０の表示手段３７２には、救急車両２０が通行すべく最適ルートが表示されるので、消防本部又は災害救急センターに常駐する医師は、救急車両２０に対して受入れ可能な救急病院までの最適ルートを指示することが可能となる。また、救急車両２０に搭乗する救急隊員等は受入れ可能な救急病院までの最適ルートを容易に知ることが可能となる。
【０１３４】
Ｓ９１６にて情報処理手段９８０は、Ｓ９１０にて設定した順位に基づいて傷病者の搬送先を決定する。また、傷病者の搬送先は、Ｓ９１４にて表示手段９７２に表示した最適ルートに基づいて、医師が決定するようにしてもよい。搬送先が決定すると、傷病者の搬送先情報は、送受信手段９６５又は送受信手段９６８を介してヘッドセット端末３０又は傷病者側端末４０に送信される。
【０１３５】
そして情報処理手段９８０が実施する処理は、次のＳ９１８「緊急情報発信停止」に進み、搬送先の救急病院が決定したことを受けて、Ｓ９０６にて送信を開始した緊急情報の発信を停止する処理を行う。緊急情報の発信停止処理が終了すると、サーバ９０の情報処理手段９８０が実施する処理はＳ９２２「終了」に進み、一連の搬送先自動選択処理を終了する。また、更に搬送先自動選択処理を継続する場合には、Ｓ９００に戻り緊急情報の受信処理を行う。
【０１３６】
一方、ヘッドセット端末３０の情報処理手段３８０が実施する処理は、自動で、又は救急隊員の指示等に基づいてＳ３１２「通信確立」に進み、受入可能情報を送信した病院端末５０の通信アドレスに対して無線の通信を確立して通信の接続処理を行う。当該通信の確立は、ヘッドセット端末３０から病院端末５０側に対して携帯電話用無線通信回線や公衆回線、汎用無線通信回線等の通信手段を介してダイヤルアップ等を行ってもよいし、専用の無線通信手段を用いて通信の接続処理を行ってもよい。
【０１３７】
病院端末５０側では、Ｓ５１２「通信確立」にて情報処理手段５８０が、送受信手段５６５を介して呼出し信号をヘッドセット端末３０から受信すると、通信可能である旨の応答を返して、その後ヘッドセット端末３０と通信を確立する処理を行う。
【０１３８】
双方の通信機器間で通信が確立すると、ヘッドセット端末３０の情報処理手段３８０が実施する処理はＳ３１４「情報受信？」の処理に進み、病院端末５０から音声情報等を受信するのを待つ処理を行う。
【０１３９】
ベッドセット端末３０が病院端末５０から音声等の情報を受信すると、情報処理手段３８０が実施する処理は次のＳ３１６「発音」に進み、受信した音声情報を所定の時間間隔で発音処理手段３５７に出力する。音声情報を取得した発音処理手段３５７は、取得した音声情報をアナログの音声データに変換して増幅し、ヘッドフォン又はスピーカ等の発音手段３５６に出力する。なお、音声情報を音声認識手段によって文字情報に変換した場合には、文字情報を表示手段３７２に表示する。
【０１４０】
Ｓ３１６にて発音処理が終了すると、Ｓ３１８「撮像送信」にて情報処理手段３８０は、撮像手段３５０が撮像した傷病者の症状画像を画像処理手段３５１から取得し、集音手段３５４が集音した音声を音声処理手段３５５から取得するとともに、必要に応じて取得した傷病者の生体情報を取得して、送受信手段３６８を介して病院端末５０に送信する処理を行う。
【０１４１】
次に、情報処理手段３８０が実施する処理はＳ３２０「通信終了？」の判断に進み、救急隊員等から通信を終了する旨の指示を入力したか否かの判断を行っている。もし、通信を終了する旨の指示を入力していないと判断した場合には、処理はＳ３１４に戻る。
【０１４２】
また、救急車両２０が所定の救急病院に到着するなどして、通信を終了する旨の指示を入力したと判断した場合には、情報処理手段３８０が実施する処理はＳ３２２「終了」に進み、ヘッドセット端末３０における一連の搬送先自動選択処理を終了する。
【０１４３】
また病院端末５０側では、Ｓ５１２にて双方の通信処理が確立すると、病院端末５０の情報処理手段５８０が実施する処理はＳ５１４「情報受信？」の処理に進み、ヘッドセット端末３０から傷病者の症状画像、音声、生体情報等の情報を受信するのを待つ処理を行う。
【０１４４】
病院端末５０がベッドセット端末３０から傷病者の症状画像、音声、生体情報等の情報を受信すると、情報処理手段５８０が実施する処理は次のＳ５１６「表示発音」に進み、先ず受信した音声情報を所定の時間間隔で発音処理手段５５７に出力し、更に受信した症状画像及び生体情報を表示用の画像データに変換する処理を行って、表示手段５７２に出力する。なお、音声情報として、音声認識手段によって文字情報に変換した情報を受信した場合には、その文字情報を表示手段５７２に出力する。
【０１４５】
前記音声情報を取得した発音処理手段５５７は、取得した音声情報をアナログの音声データに変換し増幅して、ヘッドフォン又はスピーカ等の発音手段５５６に出力する。また、症状画像や生体情報は表示手段５７２に表示される。
【０１４６】
Ｓ５１６にて発音処理及び表示処理が終了すると、情報処理手段５８０は集音手段５５４が集音した音声を音声処理手段５５５から取得し、送受信手段５６５を介してヘッドセット端末３０に送信する処理を行う。また、音声情報を音声認識手段によって文字情報に変換して、その文字情報をヘッドセット端末３０に送信するようにしてもよい。
【０１４７】
次に、情報処理手段５８０が実施する処理はＳ５２０「通信終了？」の判断に進み、病院の医師等から通信を終了する旨の指示を入力したか否かの判断を行っている。もし、通信を終了する旨の指示を入力していないと判断した場合には、処理はＳ５１４に戻る。また、救急車両２０が所定の救急病院に到着するなどして、通信を終了する旨の指示を入力したと判断した場合には、情報処理手段５８０が実施する処理はＳ５２２「終了」に進み、病院途端末５０における一連の搬送先自動選択処理を終了する。また、更に搬送先自動選択処理を継続する場合には、Ｓ５００に戻り緊急情報の受信処理を行う。
【０１４８】
なお、上記の実施例では、救急隊員がヘッドセット端末３０を操作して撮像した症状画像をサーバ９０に送信して搬送先の救急病院を選択する実施例で説明したが、救急隊員はヘッドセット端末３０を用いる代わりに傷病者側端末４０を用いて撮像した症状画像をサーバ９０に送信して、搬送先の救急病院を選択するようにしてもよい。
【０１４９】
図１１は、搬送先自動選択システムを用いた搬送先自動選択処理の第２の実施例を示すイベントトレース図である。
【０１５０】
事故により傷病者が発生すると、図７に示すように救急隊員がヘッドセット端末３０を装着して傷病者の診断を開始する。そして救急隊員がヘッドセット端末３０に設けられている入力手段３７０を介して撮像指令を入力する。なお、救急隊員は、ヘッドセット端末３０を用いて症状画像を撮像する代わりに、傷病者側端末４０を用いて症状画像の撮像を行って以降の搬送先自動選択処理を実施するようにしてもよい。
【０１５１】
入力手段３７０を介して入力された撮像指令は、バス３９９を介して情報処理手段３８０が取得する。すると情報処理手段３８０が実施する処理は、ステップＳ３３０「撮像開始」に進み、画像処理手段３５１に対して撮像の指示を開始する。
【０１５２】
撮像手段３５０が光電変換した画像信号は画像処理手段３５１にて画像処理され、出力された画像データはメモリ３８１に一時記憶する。メモリ３８１に記憶された画像データは、後段の処理にて所定の圧縮形式に圧縮処理した後に、送受信手段３６８とアンテナ３６６を介して病院端末５０、５０Ａ…に対して送信することが可能となっている。撮像処理が開始されると、情報処理手段３８０が実施する処理は次のＳ３３２「位置情報取得」の処理に進む。
【０１５３】
次のＳ３３２にて情報処理手段３８０は、位置取得手段３５８から現在存在する位置の情報（位置情報）を取得する処理を行う。
【０１５４】
次に、救急隊員から傷病者やその傷病者の症状に関する情報（重症、軽傷、裂傷、骨折、脈拍、心拍数、血圧、呼吸数、酸素飽和度、心電図等の生体情報の測定情報その他の症状に関する情報を集音手段３５４又はＩ／Ｏを介して入力する）を入力して、通信開始の指示を入力手段３７０を介して入力すると、情報処理手段３８０が実施する処理はＳ３３４「救急病院選出」の処理に進む。
【０１５５】
Ｓ３３４にて情報処理手段３８０は、メモリ３８１等の記録手段に予め記録されている救急病院の存在位置情報を読み出して、Ｓ３３２にて取得した位置情報と比較する処理を行う。そして、現在位置から所定の距離以内に存在する救急病院（現場に近い救急病院）を１乃至複数選出する処理を行う。
【０１５６】
なおメモリ３８１等の記録手段には、救急病院の住所、電話番号、規模、対応可能な専科、救急病院における空きベッド数や勤務している医師の情報又は受入れ可能な患者の症状等の情報を予め救急病院側から受信して記録しておき、救急隊員が入力した傷病者の人数や、傷病者の症状等の緊急情報に応じて救急病院を選出するようにしてもよい。Ｓ３３４にて１乃至複数の救急病院の選出処理が終了すると、情報処理手段３８０が実施する処理は次のＳ３３６「緊急情報発信」の処理に進む。
【０１５７】
Ｓ３３６にて情報処理手段３８０は、前記選出した１乃至複数の病院の通信アドレス（ＩＰアドレス、ＤＮＳ、電話番号等であってもよい）をメモリ３８１等の記録手段から読み出して、当該読み出した通信アドレスに対して症状画像又は生体情報を含む緊急情報を送信する処理を行う。当該緊急情報は、送受信手段３６８と基地局８０、通信網７０、通信回線５６４、５６４Ａ…を介して１乃至複数の救急病院の病院端末５０、５０Ａ…の通信アドレスに対して、連続して送信、又は同時にストリーミングにより一斉送信する。
【０１５８】
このとき、通信網７０としてインターネット等の通信網を利用する場合には、当該情報はＴＣＰ（Ｔｒａｎｓｍｉｓｓｉｏｎ  Ｃｏｎｔｒｏｌ  Ｐｒｏｔｏｃｏｌ）を用いて送信してもよいし、ＵＤＰ（Ｕｓｅｒ  Ｄａｔａ  ｇｒａｍＰｒｏｔｏｃｏｌ）を用いて送信するようにしてもよい。またＳ９０６にて、緊急情報を送信した救急病院のリストを表示手段３７２に表示するようにしてもよい。
【０１５９】
ヘッドセット端末３０又は傷病者側端末４０から送信される緊急情報には、緊急である旨の情報のほか、当該ヘッドセット端末３０又は傷病者側端末４０を識別する識別情報、傷病者の人数、年齢、性別、症状、生体情報、位置情報、症状画像、音声情報等が含まれていてもよい。また、音声情報は、音声認識手段によって文字情報に変換した文字情報であってもよい。
【０１６０】
病院端末５０、５０Ａ等の情報処理手段５８０では、Ｓ５３０「緊急情報受信？」にて、公衆回線等の通信手段を介してヘッドセット端末３０等から緊急情報の受信を待つ処理を行っている。Ｓ５３０にて情報処理手段５８０が、送受信手段５６５を介して緊急情報を受信したと判断した場合には、受信した緊急情報をメモリ５８１又は記録手段５８４に記録する処理を行う。
【０１６１】
次のＳ５３２「表示・呼出」にて情報処理手段５８０は、Ｓ５３０にて受信した緊急情報等を表示手段５７２に表示する処理を行うとともに、発音手段５５６から呼出し音を発する処理を行って、医師を呼び出す。また、発音手段５５６を介して直接医師を呼び出す代りに、医師が携行しているポケットベルやＰＨＳ等の端末に対して緊急情報等を送信して、緊急情報の通知や呼び出しの指示をするようにしてもよい。このようにして、救急隊員側から症状画像が届いた際に、その旨を自動で医師に対して通知することが可能となる。
【０１６２】
表示手段５７２には、図８及び図９に示した緊急情報及び画像が表示される。病院の医師は、表示手段５７２に表示されている情報を見ながら傷病者の症状を判断して、現場に居る救急隊員に対して映像又は音声による指示や指導を行うことが可能となっている。また、現場の救急隊員は、病院の医師から音声または画像による指示を受信して、傷病者に対して適切な初期処置を行うことが可能となっている。
【０１６３】
次のＳ５３４「受入可能？」の判断では、病院端末５０、５０Ａ…の情報処理手段５８０（検索手段）は、記録手段５８４に予め記録されている当該救急病院にて対応可能な専科、症状画像、心拍数、血圧、呼吸数、酸素飽和度、心電図情報、治療可能な症状、救急病院における空きベッド数、受入可能な傷病者の人数や勤務している医師の情報等の病院情報を読み出して、Ｓ５３０にて受信した緊急情報と比較する処理を行う。そして、受信した生体情報が、記録手段５８４に記録されている病院情報に含まれているか否かを判断する処理を行う。
【０１６４】
そして、Ｓ５３０にて受信した緊急情報が記録手段５８４から読み出した病院情報に含まれると判断した場合には、情報処理手段５８０が実施する処理はＳ５３６「受入可能情報送信」に進む。
【０１６５】
なお、Ｓ５３４にて、受信した生体情報が記録手段５８４に記録されている病院情報に含まれていると判断した場合には、情報処理手段５８０は緊急情報を受信した旨を、音声、光、又は振動にて、医師等の病院の者に対して通知するようにしてもよい。この通知は、病院端末５０の指示に基づいて、医師等が携行しているポケットベルやＰＨＳ等の携帯端末が実施するようにしてもよい。
【０１６６】
またＳ５３４の判断にて、情報処理手段５８０が記録手段５８４に記録されている病院情報を読み出して傷病者の受入れ可否を判断する代わりに、病院の医師がベッドセット端末３０等から送信されてきた緊急情報を見て受入可否の判断を行って、受入れが可能であると判断した場合には、病院端末５０に設けられている入力手段５７０を介して受入れ情報を入力、又は表示手段５７２上に表示されている「受入」ボタンを選択して受入可能情報を入力するようにしてもよい。するとその受入可能情報は情報処理手段５８０がバス５９９を介して読み取って、傷病者の受入れが可能であると判断して次のＳ５３６の処理に進む。
【０１６７】
Ｓ５３６にて情報処理手段５８０は、送受信手段５６５及び通信回線５６４を介してヘッドセット端末３０等に対して受入可能情報又は受入可否情報と、当該病院を識別する通信アドレス又は病院名等の識別情報と、必要に応じて当該救急病院が存在する位置を示す病院位置情報とを送信する処理を行う。受入可能情報の送信が終了すると、情報処理手段５８０が実施する処理は次のＳ５４６「通信確立」に進む。
【０１６８】
またＳ５３４にて情報処理手段５８０が、Ｓ５３０にて受信した緊急情報の全てが記録手段５８４から読み出した病院情報に含まれていないと判断した場合には、情報処理手段５８０が実施する処理はＳ５３０に戻り、再び緊急情報の受信を待つ処理を行う。
【０１６９】
ヘッドセット端末３０等では、Ｓ３３８「受入可能情報受信？」にて、１乃至複数の病院端末５０、５０Ａ…からの受入可能情報の受信を待つ処理を行う。１乃至複数の病院端末５０、５０Ａ…から受入可能情報を受信すると、情報処理手段３８０は受信した受入可能情報をメモリ３８１等の記録手段に記録する処理を行う。そして、必要に応じてカレンダ時計３９０が計数している時間を読み取って、所定の時間が経過したと判断した場合等には、情報処理手段３８０が実施する処理は次のＳ３４０「順位設定・送信」の処理に進む。
【０１７０】
Ｓ３４０にて情報処理手段３８０（順位設定手段）は、Ｓ３３８にて病院端末５０、５０Ａ…から受信した受入可能な複数の病院が存在する複数の病院位置情報と、Ｓ３３３にて取得した救急現場の位置情報とをそれぞれ比較する処理を行う。そして、傷病者を受入れ可能な病院と救急現場との距離、又は傷病者搬入までの予想移動時間が短い順に、受入れ可能な病院の順位を設定する処理を行う。そして、設定した受入れ可能な病院名とその順位、又は受入可否情報と通信アドレス若しくは病院の識別情報とを関連付けたものを表示手段３７２等に表示する処理を行う。
【０１７１】
受入れ可能な病院名や病院位置情報とその順位との表示が終了すると、情報処理手段３８０が実施する処理は次のＳ３４２「ルート表示」の処理に進む。なお、受入れ可能である旨の情報を受信した救急病院に対して、その救急現場から急行するときの予想移動時間を算出する際には、上述の場合と同様にＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ  ）等の道路交通情報通信システムが発信する道路の混雑情報を受信して、当該混雑状況に基づいて予想移動時間を算出するようにしてもよい。
【０１７２】
次のＳ３４３「ルート表示」では、自動で情報処理手段３８０がメモリ３８１等の記録手段に記録されている救急現場周辺（現在位置周辺）の地図情報を読み出して表示し、救急現場から受入れ可能な救急病院までの最適ルートを表示手段３７２に併せて表示する（図１０参照）。なお、このとき病院端末５０から受信した病院位置情報又はメモリ３８１等の記録手段に病院と関連付けて記録されている病院位置情報と、位置取得手段３５８等が取得した位置情報とに基づいて、両者の位置関係を表示するようにしてもよい。また、前記最適ルートの表示は、救急隊員が救急車両２０の最適ルート表示を指示した後に表示手段３７２に表示するようにしてもよい。
【０１７３】
図１０に示すように、ヘッドセット端末３０の表示手段３７２、又は傷病者側端末４０の表示手段４７２には、救急車両２０が通行すべく最適ルートが表示されるので、救急車両２０に搭乗する救急隊員は受入れ可能な救急病院までの最適ルートを容易に知ることが可能となる。
【０１７４】
Ｓ３３４にて情報処理手段３８０は、Ｓ３４０にて設定した順位に基づいて傷病者の搬送先を決定する。また、傷病者の搬送先は、Ｓ３４０にて表示手段３７２等に表示した最適ルートに基づいて、救急隊員が決定するようにしてもよい。搬送先が決定すると、搬送先の救急病院が決定したことを受けて、Ｓ３３６にて送信を開始した緊急情報の発信を停止する処理を行う。緊急情報の発信停止処理が終了すると、ヘッドセット端末３０等の情報処理手段３８０が実施する処理は自動で、又は救急隊員の指示等に基づいてＳ３４６「通信確立」に進み、受入可能情報を送信した病院端末５０の通信アドレスに対して無線の通信を確立して通信を接続する処理を行う。当該通信の確立は、ヘッドセット端末３０から病院端末５０側に対して携帯電話用無線通信回線や公衆回線、汎用無線通信回線等の通信手段を介してダイヤルアップ等を行ってもよいし、専用の無線通信手段を用いて通信を接続するようにしてもよい。
【０１７５】
病院端末５０側では、Ｓ５４６「通信確立」にて情報処理手段５８０が、送受信手段５６５を介して呼出し信号をヘッドセット端末３０から受信すると、通信可能である旨の応答を返して、その後ヘッドセット端末３０と通信を確立する処理を行う。
【０１７６】
双方の通信機器間で通信が確立すると、ヘッドセット端末３０の情報処理手段３８０が実施する処理はＳ３４８「情報受信？」の処理に進み、病院端末５０から音声情報等を受信するのを待つ処理を行う。
【０１７７】
ベッドセット端末３０が病院端末５０から音声等の情報を受信すると、情報処理手段３８０が実施する処理は次のＳ３５０「発音」に進み、受信した音声情報を所定の時間間隔で発音処理手段３５７に出力する。音声情報を取得した発音処理手段３５７は、取得した音声情報をアナログの音声データに変換して増幅し、ヘッドフォン又はスピーカ等の発音手段３５６に出力する。
【０１７８】
Ｓ３５０にて発音処理が終了すると、情報処理手段３８０はＳ３５２「撮像送信」にて、撮像手段３５０が撮像した傷病者の症状画像を画像処理手段３５１から取得し、集音手段３５４が集音した音声を音声処理手段３５５から取得するとともに、必要に応じて取得した傷病者の生体情報を取得して、送受信手段３６８を介して病院端末５０に送信する処理を行う。
【０１７９】
次に、情報処理手段３８０が実施する処理はＳ３５４「通信終了？」の判断に進み、救急隊員等から通信を終了する旨の指示を入力したか否かの判断を行っている。もし、通信を終了する旨の指示を入力していないと判断した場合には、処理はＳ３４８に戻る。
【０１８０】
また、救急車両２０が所定の救急病院に到着するなどして、通信を終了する旨の指示を入力したと判断した場合には、情報処理手段３８０が実施する処理はＳ３５６「終了」に進み、ヘッドセット端末３０における一連の搬送先自動選択処理を終了する。
【０１８１】
また病院端末５０側では、Ｓ５４６にて双方の通信処理が確立すると、病院端末５０の情報処理手段５８０が実施する処理はＳ５４８「情報受信？」の処理に進み、ヘッドセット端末３０から傷病者の症状画像、音声、生体情報等の情報を受信するのを待つ処理を行う。
【０１８２】
病院端末５０がベッドセット端末３０から傷病者の症状画像、音声、生体情報等の情報を受信すると、情報処理手段５８０が実施する処理は次のＳ５５０「表示発音」に進み、先ず受信した音声情報を所定の時間間隔で発音処理手段５５７に出力し、更に受信した症状画像及び生体情報を表示用の画像データに変換する処理を行って、表示手段５７２に出力する。
【０１８３】
前記音声情報を取得した発音処理手段５５７は、取得した音声情報をアナログの音声データに変換し増幅して、ヘッドフォン又はスピーカ等の発音手段５５６に出力する。また、症状画像や生体情報は表示手段５７２に表示される。
【０１８４】
Ｓ５５０にて表示処理及び発音処理が終了すると、情報処理手段５８０は集音手段５５４が集音した音声を音声処理手段５５５から取得し、送受信手段５６５を介してヘッドセット端末３０に送信する処理を行う。
【０１８５】
次に、情報処理手段５８０が実施する処理はＳ５５４「通信終了？」の判断に進み、病院の医師等から通信を終了する旨の指示を入力したか否かの判断を行っている。もし、通信を終了する旨の指示を入力していないと判断した場合には、処理はＳ５４８に戻る。また、救急車両２０が所定の救急病院に到着するなどして、通信を終了する旨の指示を入力したと判断した場合には、情報処理手段５８０が実施する処理はＳ５５６「終了」に進み、病院途端末５０における一連の搬送先自動選択処理を終了する。また、更に搬送先自動選択処理を継続する場合には、Ｓ５３０に戻り緊急情報の受信処理を行う。
【０１８６】
なお、上記の実施例では、救急隊員がヘッドセット端末３０を操作して撮像した症状画像をサーバ９０に送信して搬送先の救急病院を選択する実施例で説明したが、救急隊員はヘッドセット端末３０を用いる代わりに傷病者側端末４０を用いて撮像した症状画像をサーバ９０に送信して、搬送先の救急病院を選択するようにしてもよい。
【０１８７】
以下に、本発明に係る傷病者データベース生成装置について説明する。
【０１８８】
図６に示すＳ９００にて、サーバ９０（傷病者データベース生成装置）が傷病者データベースを生成する場合には、図６に示すＳ９００以降にて傷病者データベースを生成する処理を行う。
【０１８９】
Ｓ９００にてサーバ９０の情報処理手段９８０が、ヘッドセット端末３０又は傷病者側端末４０（救急現場の端末）から、送受信手段９６５又は送受信手段９６８を介して受信した緊急情報を記録手段９８４に記録する際に、緊急情報として受信した傷病者の人数、年齢、性別、症状、症状画像、音声情報、心拍数、血圧、呼吸数、酸素飽和度、心電図情報等の複数の生体情報をそれぞれ関連付けて、発生した事故の事件毎に１組の生体情報として記録する処理を行う。
【０１９０】
このように、受信した複数の生体情報をそれぞれ関連付けて、事件毎に１組の生体情報として記録手段９８４に記録することによって、傷病者データベースを自動で構築することが可能となる。従来は、救急活動の終了後に救急救命士等の救急隊員が状況や活動内容を文書化して報告書の形式にして作成、提出していたのであるが、本発明に係る傷病者データベースを自動で生成することによって、救急隊員の報告書作成作業を軽減することが可能となる。
【０１９１】
また、救急現場で取得した傷病者の人数、年齢、性別、症状、症状画像、音声情報、心拍数、血圧、呼吸数、酸素飽和度、心電図情報等の複数の生体情報を一括して事件毎に関連付けて検索容易な状態で記録することが可能となるので、救急活動の状況や結果の詳細が保存されることになる。そしてこれらの詳細な救急活動の結果は、医師側の検証によって医療の質の確保に役立てるとともに、将来発生し得る救急活動のマニュアル、緊急災害時の対応マニュアルとしてトレーニングの場などで活用することが可能となる。
【０１９２】
なお、上記の例では、サーバ９０の記録手段９８４に傷病者データベースを生成する実施例で説明したが、本発明はサーバ９０にて傷病者データベースを生成することに限定されるものではなく、ヘッドセット端末３０のメモリ３８１や、傷病者側端末４０の不揮発性メモリ４８３等の記録手段、又は病院端末５０の記録手段５８４において傷病者データベースを生成するようにしても、本発明の目的を達成することが可能である。
【０１９３】
利用者が、前記傷病者データベースから救急活動の詳細を探して閲覧する場合には、以下に示す処理を行って救急活動の結果を取得することが可能となる。
【０１９４】
サーバ９０の記録手段９８４には、傷病者の人数、年齢、性別、症状、症状画像、音声情報、心拍数、血圧、呼吸数、酸素飽和度、心電図情報等の複数の生体情報がそれぞれ関連付けられて事件毎に１組の生体情報として記録されている。利用者が、サーバ９０に設けられている入力手段９７０を操作して複数の生体情報と検索を実行する旨の情報を入力すると（又は送受信手段９６５若しくは送受信手段９６８を介して他の通信機器から複数の生体情報と検索を実行する旨の情報を受信すると）、当該入力した情報は情報処理手段９８０がバス９９９を介して読み取る。
【０１９５】
情報処理手段９８０（生体情報取得手段）が前記複数の生体情報と検索を実行する旨の検索情報を入力すると、入力した生体情報と関連付けて記録手段に記録されている事件毎の生体情報の組合せを読み出す処理を行う。次に情報処理手段９８０（順位設定手段）は、前記読み出した事件毎の生体情報の組合せの中から、前記検索情報とともに入力した生体情報が多く含まれる順にその事件毎の生体情報の順位を設定する処理を行う。
【０１９６】
そして情報処理手段９８０は、前記設定した順位とその事件毎の生体情報の組合せの表示情報を表示手段９７２に出力する。すると表示手段９７２には、設定した順位とその事件毎の生体情報の組合せが表示されるので、利用者は緊急災害時の対応データベースから緊急災害時の対応結果を取得することが可能となる。
【０１９７】
なお、上記の例では、サーバ９０にて傷病者データベースの検索を行う実施例で説明したが、本発明はサーバ９０における検索処理に限定されるものではなく、ヘッドセット端末３０や傷病者側端末４０、又は病院端末５０において傷病者データベースの検索を行うようにしても本発明の目的を達成することが可能である。
【０１９８】
【発明の効果】
以上、本発明に係る搬送先自動選択装置ならびに搬送先自動選択システムによれば、救急現場で撮像した傷病者等の症状画像を複数の病院の通信アドレスに対して略同時に送信するようにしたので、複数の救急病院に対して早急に傷病者等の受入れ可否の判断を求めることが可能となる。また、医師が救急救命措置に関する的確な判断を早期に行うことが可能となる。
【０１９９】
また、請求項２に記載の発明によれば、救急現場で取得した傷病者の心拍数、血圧、呼吸数、酸素飽和度、心電図情報等の生体情報を、複数の病院の通信アドレスに対して略同時に送信するようにしたので、複数の救急病院に対して早急に傷病者の受入れ可否の判断を求めることが可能となる。また、医師が救急救命措置に関する的確な判断を早期に行うことが可能となる。
【０２００】
また、請求項３に記載の発明によれば、救急現場で集音した傷病者の症状に関する音声の生体情報を、複数の病院の通信アドレスに対して略同時に送信するようにしたので、複数の救急病院に対して早急に傷病者の受入れ可否の判断を求めることが可能となる。また、医師が救急救命措置に関する的確な判断を早期に行うことが可能となる。
【０２０１】
また、請求項４に記載の発明によれば、受信した傷病者等の受入可否情報を、病院の通信アドレス又は病院の識別情報と関連付けて表示する表示手段を備えたので、救急隊員は傷病者等を受入れ可能な救急病院を早期に知ることが可能となる。
【０２０２】
また、請求項５に記載の発明によれば、受入可能情報を送信した病院の通信アドレスに対して通信接続する通信手段を備えたので、救急隊員は早期に傷病者等を受入れ可能な救急病院と情報の交換を行うことが可能となり、救急病院の医師から救急救命措置に関する指示を取得して、傷病者等に対して適切な初期措置を施すことが可能となる。
【０２０３】
また、請求項６に記載の発明によれば、救急病院から傷病者等を受け入れることが可能であることを示す受入可能情報と病院位置情報とを受信して、傷病者等を受入れ可能な救急病院の位置と救急車両の位置関係を表示するようにしたので、救急隊員は傷病者等の搬送先の救急病院までの道順を的確に知ることが可能となる。
【０２０４】
また、請求項７に記載の発明によれば、救急病院から傷病者等を受け入れることが可能であることを示す受入可能情報と病院の識別情報とを受信して、傷病者等を受入れ可能な救急病院の位置と救急車両の位置関係を表示するようにしたので、救急隊員は傷病者等の搬送先の救急病院までの道順を的確に知ることが可能となる。
【０２０５】
また、請求項８に記載の発明によれば、受信した複数の病院位置情報と前記位置情報とをそれぞれ比較して両者の位置が近い順に病院の順位を表示手段に表示するようにしたので、救急隊員は傷病者等を受入れ可能な複数の救急病院の中から最適な救急病院を選択することが可能となる。
【０２０６】
また、請求項９に記載の発明によれば、傷病者等の生体情報を傷病者側の端末から受信して、予め記録されている複数の病院の複数の通信アドレスに対して連続して送信又は同時に送信する第１の送信手段とを備えたので、複数の救急病院に対して早急に傷病者等の受入れ可否の判断を求めることが可能となる。また、医師が救急救命措置に関する的確な判断を早期に行うことが可能となる。
【０２０７】
また、請求項１０に記載の発明によれば、受信した傷病者等の受入可否情報を傷病者側の通信端末に送信するようにしたので、傷病者側の救急隊員は、傷病者等を受入れ可能な救急病院を早期に知ることが可能となる。
【０２０８】
また、請求項１１に記載の発明によれば、受信した複数の病院位置情報と救急車両の位置情報とをそれぞれ比較して、両者の位置が近い順に病院の順位を表示手段に表示することが可能となるので、消防本部署側では最適な救急病院を選択して救急車両に指示することが可能となる。また、受信した複数の病院位置情報と救急車両の位置情報とをそれぞれ比較して、両者の位置が近い順に病院の順位を救急車両側の通信機器に送信するようにしたので、救急車両に搭乗している救急隊員は、傷病者等を受入れ可能な複数の救急病院の中から最適な救急病院を選択することが可能となる。
【０２０９】
また、請求項１２に記載の発明によれば、傷病者等を撮像して症状画像を取得してサーバに送信する傷病者側端末と、傷病者側端末から取得した症状画像を複数の病院の複数の通信アドレスに対して連続して送信、又は同時に送信するサーバとを備えたので、サーバ側では複数の救急車両から傷病者等の搬送要求を取得した場合であっても、複数の救急病院に対して効率よく傷病者等の受入れ可否の判断を求めることが可能となる。
【０２１０】
また、請求項１３に記載の発明によれば、救急現場の端末から傷病者に関する複数の生体情報を受信して、それぞれの生体情報を関連付けて事件毎に１組の生体情報として記録するようにしたので、同様の事件が発生した際の緊急災害時の対応データベースを自動で生成することが可能となり、緊急災害時の対応マニュアルとして利用することが可能となる。
【０２１１】
また、請求項１４に記載の発明によれば、傷病者の複数の生体情報をそれぞれ関連付けて事件毎に１組の生体情報として記録する記録手段と、入力手段を介して複数の生体情報と検索を実行する旨の検索指示とを入力すると、入力した生体情報と関連付けて記録手段に記録されている事件毎の生体情報の組合せを読み出して、事件毎の生体情報の組合せ中から検索指示とともに受信した生体情報が多く含まれる順にその事件毎の生体情報の順位を設定し、設定した順位とその事件毎の生体情報の組合せとを表示手段に表示するようにしたので、傷病者の生体情報と検索指示とに基づいて、緊急災害時の対応データベースから緊急災害時の対応結果を取得することが可能となる。
【０２１２】
また、請求項１５に記載の発明によれば、傷病者又は保護者を病院に搬送する搬送手段を備えた移動体に、傷病者又は被保護者を撮像して症状画像を取得する撮像手段と、前記取得した症状画像を複数の病院に対して同時に送信する送信手段とを備えたので、複数の救急病院に対して早急に傷病者の受入れ可否の判断を求めることが可能となる。また、医師が救急救命措置に関する的確な判断を早期に行うことが可能となる。
【０２１３】
また、請求項１６に記載の発明によれば、傷病者又は保護者を病院に搬送する搬送手段を備えた移動体に、傷病者又は被保護者を撮像して症状画像を取得する撮像手段と、複数の病院の複数の通信アドレスを記録する記録手段と、取得した症状画像を前記複数の通信アドレスに対して連続して送信又は同時に送信する送信手段とを備えたので、複数の救急病院に対して早急に傷病者の受入れ可否の判断を求めることが可能となる。また、医師が救急救命措置に関する的確な判断を早期に行うことが可能となる。
【０２１４】
また、請求項１７に記載の発明によれば、取得した生体情報を複数の通信アドレスに対して連続して送信又は同時に送信する通信機器と、通信機器から受信した生体情報が当該病院にて対応可能な条件等（病院情報）に含まれていると判断した場合には傷病者等を受け入れることが可能であることを示す受入可能情報を送信する病院端末とを備えたので、病院側では救急車両側が発した傷病者の受入要求に対して早急に受入可否、又は受入可能の返答を行うことが可能となる。また、救急車両側や消防本部では、病院における傷病者の受入可否、又は受入可能の返答を早急に受信することが可能となる。
【０２１５】
また本発明に係る搬送先自動選択装置並びに搬送先自動選択システムによれば、傷病者の搬送先を早急に決定した後に、救急現場の救急救命士が担当の医師に対して傷病者に関する情報や撮像画像をタイムリーに伝送することが可能となり、当該傷病者に関する情報や撮像画像に基づいて医師が診断することによって、救急救命士に対して適切な助言や指導を行なって、救急救命士は傷病者に対して適切な処置を行うことが可能となる。更に、救急病院にて傷病者を受け入れた後に、経過や状況を把握している医師が引き続き適切な処置を施すことが可能となる。
【０２１６】
また、本発明に係る搬送先自動選択装置並びに搬送先自動選択システムによれば、傷病者の搬送先を決定した後に、搬送先の救急病院で待機する医師と救急救命士との間でリアルタイムな連携を取ることが可能となり、傷病者に対して適切な処置を施すことが可能となるとともに、傷病者の救命率を向上させることが可能となる。
【図面の簡単な説明】
【図１】本発明に係る搬送先自動選択システムの構成を示す図である。
【図２】ヘッドセット端末の信号処理系ブロック図を示す図である。
【図３】傷病者側端末の信号処理系ブロック図を示す図である。
【図４】病院端末の信号処理系ブロック図を示す図である。
【図５】サーバの信号処理系ブロック図を示す図である。
【図６】搬送先自動選択システムを用いた搬送先自動選択処理の第１の実施例を示すイベントトレース図である。
【図７】消防団員又は救急救命士等の救急隊員がヘッドセット端末を装着して傷病者の診断している様子を示す図である。
【図８】サーバの表示手段に表示される緊急情報及び画像の表示例を示す図である。
【図９】サーバの表示手段に表示される緊急情報及び画像の表示例を示す図である。
【図１０】表示手段に表示される最適ルートの表示例である。
【図１１】搬送先自動選択システムを用いた搬送先自動選択処理の第２の実施例を示すイベントトレース図である。
【符号の説明】
２０  救急車両
３０  ヘッドセット端末
４０  傷病者側端末
５０  病院端末
６０  通信回線
７０  通信網
８０  基地局
９０  サーバ
３５０  撮像手段
３５１  画像処理手段
３５４  集音手段
３５５  音声処理手段
３５６  発音手段
３５７  発音処理手段
３５８  位置取得手段
３６６  アンテナ
３６８  送受信手段
３７０  入力手段
３７２  表示手段
３８０  情報処理手段
３８１  メモリ
３９０  カレンダ時計
３９９  バス
４５８  位置取得手段
４６６  アンテナ
４６８  送受信手段
４７０  入力手段
４７２  表示手段
４７５  コネクタ
４７６  Ｉ／Ｏ
４８０  情報処理手段
４８１  メモリ
４８３  不揮発性メモリ
４９０  カレンダ時計
４９９  バス
５５４  集音手段
５５５  音声処理手段
５５６  発音手段
５５７  発音処理手段
５６５  送受信手段
５７０  入力手段
５７２  表示手段
５８０  情報処理手段
５８１  メモリ
５８４  記録手段
５９０  カレンダ時計
５９９  バス
９５４  集音手段
９５５  音声処理手段
９５６  発音手段
９５７  発音処理手段
９６５  送受信手段
９６６  アンテナ
９６８  送受信手段
９７０  入力手段
９７２  表示手段
９８０  情報処理手段
９８１  メモリ
９８４  記録手段
９９０  カレンダ時計
９９９  バス